(57)【要約】  駆動部分、及び駆動部分から第１の距離だけ偏位している締め付け部分を含む、第１のステープルと、加えて、駆動部分、及び駆動部分から第１の距離とは異なる第２の距離だけ偏位している締め付け部分を含む、第２のステープルと、を備える、ステープルカートリッジアセンブリが開示される。
2020501799.tif 000002
【特許請求の範囲】
【請求項１】
ステープルカートリッジアセンブリであって、
カートリッジ本体であって、
ステープルキャビティの第１の長手方向列、及び
ステープルキャビティの第２の長手方向列、を含む、カートリッジ本体と、
前記ステープルキャビティの第１の長手方向列内に着脱可能に格納された複数の第１のステープルであって、各前記第１のステープルが、
第１のクラウン部、
第１の近位脚部、
第１の遠位脚部であって、前記第１の近位脚部及び前記第１の遠位脚部が第１の脚部平面を画定する、第１の遠位脚部、
前記第１のクラウン部から延在し、かつ前記第１のクラウン部と一体的に形成された第１のカム表面であって、第１のカム平面を画定する、第１のカム表面、
前記第１の近位脚部と前記第１のクラウン部との間に延在し、かつ前記第１の近位脚部及び前記第１のクラウン部と一体的に形成された第１の近位コネクタ、並びに
前記第１の遠位脚部と前記第１のクラウン部との間に延在し、かつ前記第１の遠位脚部及び前記第１のクラウン部と一体的に形成された第１の遠位コネクタであって、前記第１の近位コネクタ及び前記第１の遠位コネクタが、前記第１のカム平面と前記第１の脚部平面との間に第１の距離を画定する、第１の遠位コネクタ、を備える、複数の第１のステープルと、
前記ステープルキャビティの第２の長手方向列内に着脱可能に格納された複数の第２のステープルであって、各前記第２のステープルが、
第２のクラウン部、
第２の近位脚部、
第２の遠位脚部であって、前記第２の近位脚部及び前記第２の遠位脚部が第２の脚部平面を画定する、第２の遠位脚部、
前記第２のクラウン部から延在し、かつ前記第２のクラウン部と一体的に形成された第２のカム表面であって、第２のカム平面を画定する、第２のカム表面、
前記第２の近位脚部と前記第２のクラウン部との間に延在し、かつ前記第２の近位脚部及び前記第２のクラウン部と一体的に形成された第２の近位コネクタ、並びに
前記第２の遠位脚部と前記第２のクラウン部との間に延在し、かつ前記第２の遠位脚部及び前記第２のクラウン部と一体的に形成された第２の遠位コネクタであって、前記第２の近位コネクタ及び前記第２の遠位コネクタが、前記第２のカム平面と前記第２の脚部平面との間に第２の距離を画定し、前記第２の距離が前記第１の距離とは異なる、第２の遠位コネクタ、を備える、複数の第２のステープルと、を備える、ステープルカートリッジアセンブリ。
【請求項２】
前記カートリッジ本体が、切断部材を受容するように構成された長手方向スロットを更に備える、請求項１に記載のステープルカートリッジアセンブリ。
【請求項３】
前記第１の距離が前記第２の距離よりも長く、前記ステープルキャビティの第１の長手方向列が、前記長手方向スロットと隣接し、前記ステープルキャビティの第１の長手方向列が、前記長手方向スロットと前記ステープルキャビティの第２の長手方向列との中間にある、請求項２に記載のステープルカートリッジアセンブリ。
【請求項４】
前記第１の距離が前記第２の距離よりも長く、前記ステープルキャビティの第２の長手方向列が、前記長手方向スロットと隣接し、前記ステープルキャビティの第２の長手方向列が、前記長手方向スロットと前記ステープルキャビティの第１の長手方向列との中間にある、請求項２に記載のステープルカートリッジアセンブリ。
【請求項５】
前記第１のステープルの前記第１のカム平面が、前記第１の脚部平面よりも前記長手方向スロットに近い、請求項２に記載のステープルカートリッジアセンブリ。
【請求項６】
前記第２のステープルの前記第２のカム平面が、前記第２の脚部平面よりも前記長手方向スロットに近い、請求項５に記載のステープルカートリッジアセンブリ。
【請求項７】
前記第２のステープルの前記第２の脚部平面が、前記第２のカム平面よりも前記長手方向スロットに近い、請求項５に記載のステープルカートリッジアセンブリ。
【請求項８】
前記第１のステープルの前記第１の脚部平面が、前記第１のカム平面よりも前記長手方向スロットに近い、請求項２に記載のステープルカートリッジアセンブリ。
【請求項９】
前記第２のステープルの前記第２のカム平面が、前記第２の脚部平面よりも前記長手方向スロットに近い、請求項８に記載のステープルカートリッジアセンブリ。
【請求項１０】
前記第２のステープルの前記第２の脚部平面が、前記第２のカム平面よりも前記長手方向スロットに近い、請求項８に記載のステープルカートリッジアセンブリ。
【請求項１１】
前記カートリッジ本体が、ステープルキャビティの第３の長手方向列を更に含み、前記ステープルカートリッジアセンブリが、前記ステープルキャビティの第３の長手方向列内に着脱可能に格納された複数の第３のステープルを更に備え、各前記第３のステープルが、
第３のクラウン部、
第３の近位脚部、
第３の遠位脚部であって、前記第３の近位脚部及び前記第３の遠位脚部が第３のステープル脚部平面を画定する、第３の遠位脚部、
前記第３のクラウン部から延在し、かつ前記第３のクラウン部と一体的に形成された第３のカム表面であって、第３のカム平面を画定する、第３のカム表面、
前記第３の近位脚部と前記第３のクラウン部との間に延在し、かつ前記第３の近位脚部及び前記第３のクラウン部と一体的に形成された第３の近位コネクタ、並びに
前記第３の遠位脚部と前記第３のクラウン部との間に延在し、かつ前記第３の遠位脚部及び前記第３のクラウン部と一体的に形成された第３の遠位コネクタであって、前記第３の近位コネクタ及び前記第３の遠位コネクタが、前記第３のカム平面と前記第３のステープル脚部平面との間に第３の距離を画定し、前記第３の距離が前記第２の距離及び前記第１の距離とは異なる、第３の遠位コネクタと、を備える、請求項１に記載のステープルカートリッジアセンブリ。
【請求項１２】
前記カートリッジ本体が、切断部材を受容するように構成された長手方向スロットを更に備える、請求項１１に記載のステープルカートリッジアセンブリ。
【請求項１３】
前記第１のステープルの前記第１のカム平面が、前記第１の脚部平面よりも前記長手方向スロットに近く、前記第２のステープルの前記第２のカム平面が、前記第２の脚部平面よりも前記長手方向スロットに近く、前記第３のステープルの前記第３のカム平面が、前記第３の脚部平面よりも前記長手方向スロットに近い、請求項１２に記載のステープルカートリッジアセンブリ。
【請求項１４】
前記第１のステープルの前記第１の脚部平面が、前記第１のカム平面よりも前記長手方向スロットに近く、前記第２のステープルの前記第２の脚部平面が、前記第２のカム平面よりも前記長手方向スロットに近く、前記第３のステープルの前記第３の脚部平面が、前記第３のカム平面よりも前記長手方向スロットに近い、請求項１２に記載のステープルカートリッジアセンブリ。
【請求項１５】
前記第１のステープルの前記第１のカム平面が互いに長手方向に整列し、前記第２のカム平面が互いに長手方向に整列している、請求項１に記載のステープルカートリッジアセンブリ。
【請求項１６】
前記第１のステープル及び前記第２のステープルが平坦なストックから打ち抜かれている、請求項１に記載のステープルカートリッジアセンブリ。
【請求項１７】
前記第１のステープル及び前記第２のステープルが１つ又は２つ以上の材料シートから形成されている、請求項１に記載のステープルカートリッジアセンブリ。
【請求項１８】
ステープルカートリッジアセンブリであって、
カートリッジ本体であって、
ステープルキャビティの第１の長手方向列、及び
ステープルキャビティの第２の長手方向列、を含む、カートリッジ本体と、
前記ステープルキャビティの第１の長手方向列内に着脱可能に格納された複数の第１のステープルであって、各前記第１のステープルが、
第１のクラウン部、
第１の近位脚部、
第１の遠位脚部であって、前記第１の近位脚部及び前記第１の遠位脚部が第１の脚部平面を画定する、第１の遠位脚部、
前記第１のクラウン部から延在し、かつ前記第１のクラウン部と一体的に形成された第１の駆動表面、
前記第１の近位脚部と前記第１のクラウン部との間に延在し、かつ前記第１の近位脚部及び前記第１のクラウン部と一体的に形成された第１の近位コネクタ、並びに
前記第１の遠位脚部と前記第１のクラウン部との間に延在し、かつ前記第１の遠位脚部及び前記第１のクラウン部と一体的に形成された第１の遠位コネクタであって、前記第１の近位コネクタ及び前記第１の遠位コネクタが、前記第１のクラウン部と前記第１の脚部平面との間に第１の幅を画定する、第１の遠位コネクタを備える、複数の第１のステープルと、
前記ステープルキャビティの第２の長手方向列内に着脱可能に格納された複数の第２のステープルであって、各前記第２のステープルが、
第２のクラウン部、
第２の近位脚部、
第２の遠位脚部であって、前記第２の近位脚部及び前記第２の遠位脚部が第２の脚部平面を画定する、第２の遠位脚部、
前記第２のクラウン部から延在し、かつ前記第２のクラウン部と一体的に形成された第２の駆動表面、
前記第２の近位脚部と前記第２のクラウン部との間に延在し、かつ前記第２の近位脚部及び前記第２のクラウン部と一体的に形成された第２の近位コネクタ、並びに
前記第２の遠位脚部と前記第２のクラウン部との間に延在し、かつ前記第２の遠位脚部及び前記第２のクラウン部と一体的に形成された第２の遠位コネクタであって、前記第２の近位コネクタ及び前記第２の遠位コネクタが、前記第２のクラウン部と前記第２の脚部平面との間に第２の幅を画定し、前記第２の幅が前記第１の幅とは異なる、第２の遠位コネクタ、を備える、複数の第２のステープルと、を備える、ステープルカートリッジアセンブリ。
【請求項１９】
ステープルカートリッジアセンブリであって、
カートリッジ本体であって、
ステープルキャビティの第１の長手方向列、及び
ステープルキャビティの第２の長手方向列、を含む、カートリッジ本体と、
前記ステープルキャビティの第１の長手方向列内に着脱可能に格納された複数の第１のステープルであって、各前記第１のステープルが、
第１のクラウン部、
第１の近位脚部、
第１の遠位脚部であって、前記第１の近位脚部及び前記第１の遠位脚部が第１のクランプ部分を画定する、第１の遠位脚部、
前記第１のクラウン部と一体的に形成された第１のカム、
前記第１の近位脚部と前記第１のクラウン部との間に延在し、かつ前記第１の近位脚部及び前記第１のクラウン部と一体的に形成された第１の近位コネクタ、並びに
前記第１の遠位脚部と前記第１のクラウン部との間に延在し、かつ前記第１の遠位脚部及び前記第１のクラウン部と一体的に形成された第１の遠位コネクタであって、前記第１の近位コネクタ及び前記第１の遠位コネクタが、前記第１のクラウン部と前記第１のクランプ部分との間に第１の幅を画定する、第１の遠位コネクタ、を備える、複数の第１のステープルと、
前記ステープルキャビティの第２の長手方向列内に着脱可能に格納された複数の第２のステープルであって、各前記第２のステープルが、
第２のクラウン部、
第２の近位脚部、
第２の遠位脚部であって、前記第２の近位脚部及び前記第２の遠位脚部が第２のクランプ部分を画定する、第２の遠位脚部、
前記第２のクラウン部と一体的に形成された第２のカム、
前記第２の近位脚部と前記第２のクラウン部との間に延在し、かつ前記第２の近位脚部及び前記第２のクラウン部と一体的に形成された第２の近位コネクタ、並びに
前記第２の遠位脚部と前記第２のクラウン部との間に延在し、かつ前記第２の遠位脚部及び前記第２のクラウン部と一体的に形成された第２の遠位コネクタであって、前記第２の近位コネクタ及び前記第２の遠位コネクタが、前記第２のクラウン部と前記第２のクランプ部分との間に第２の幅を画定し、前記第２の幅が前記第１の幅とは異なる、第２の遠位コネクタ、を備える、複数の第２のステープルと、を備える、ステープルカートリッジアセンブリ。
【発明の詳細な説明】
【背景技術】
【０００１】
本発明は、外科用器具に関し、また様々な装置構成では、外科用ステープリング及び切断器具、並びにそれと共に使用するステープルカートリッジに関する。
【図面の簡単な説明】
【０００２】
本明細書に記載する実施形態の様々な特徴は、それらの利点と共に、以下の添付図面と併せて以下の説明によって理解することができる。
【図１】少なくとも１つの実施形態による外科用ステープリング器具のエンドエフェクタの斜視図である。
【図２】図１のエンドエフェクタと共に使用するためのステープルカートリッジの部分斜視図である。
【図３】図２のステープルカートリッジ内に着脱可能に格納されるワイヤステープルの斜視図である。
【図３Ａ】図２のステープルカートリッジから図３のステープルを排出するように構成されたステープルドライバの斜視図である。
【図４】図１のエンドエフェクタと共に使用するためのステープルカートリッジの部分斜視図である。
【図５】図４のステープルカートリッジ内に着脱可能に格納されるステープルの斜視図である。
【図６】図２のステープルカートリッジのステープル及び図４のステープルカートリッジのステープルが、図１のエンドエフェクタのアンビルの成形ポケットと整列可能であることを示す図である。
【図７】図５のステープルの立面図である。
【図８】図５のステープルの部分側面図である。
【図９】図５のステープルの部分側面図である。
【図１０】図５のステープルと直接的に係合する、図４のステープルカートリッジのスレッドを示す図である。
【図１１】未発射位置にある図５のステープルを示す、図４のステープルカートリッジの部分断面図である。
【図１２】発射位置にある図５のステープルを示す、図４のステープルカートリッジの部分断面図である。
【図１３】図５のステープルの代替的な実施形態の斜視図及び立面図である。
【図１４】非平行のステープル脚部を有する、図５のステープルの変形形態の斜視図及び立面図である。
【図１５】少なくとも１つの実施形態によるステープルカートリッジの部分平面図である。
【図１６】図１５のステープルカートリッジと共に使用するためのスレッドの背面端面図である。
【図１７】図１６のスレッドの斜視図である。
【図１８】図１５のステープルカートリッジのカートリッジ本体の部分断面図である。
【図１９】図１５のステープルカートリッジと共に使用するためのアンビルの部分平面図である。
【図２０】少なくとも１つの実施形態によるステープルカートリッジの部分平面図である。
【図２１】図２０のステープルカートリッジと共に使用するためのスレッドの正面端面図である。
【図２２】少なくとも１つの実施形態による異なる寸法を有するステープルを示す図である。
【図２３】図２２のステープルの斜視図を含む。
【図２４】図２２のステープルを使用するように構成されたステープルカートリッジの部分平面図である。
【図２５】図２４のステープルカートリッジの部分斜視図である。
【０００３】
複数の図面を通して、対応する参照符号は対応する部分を示す。本明細書に記載される例示は、本発明の様々な実施形態を１つの形態で例示するものであり、かかる例示は、いかなる方法によっても本発明の範囲を限定するものとして解釈されるべきではない。
【発明を実施するための形態】
【０００４】
本願の出願人は、本願と同日に出願された以下の米国特許出願を所有しており、これらはそれぞれの全体内容が参照により各々本明細書に組み込まれる：
−米国特許出願第＿＿＿＿＿＿号、発明の名称「ＳＵＲＧＩＣＡＬ  ＳＴＡＰＬＩＮＧ  ＩＮＳＴＲＵＭＥＮＴＳ  ＡＮＤ  ＲＥＰＬＡＣＥＡＢＬＥ  ＴＯＯＬ  ＡＳＳＥＭＢＬＩＥＳ  ＴＨＥＲＥＯＦ」、代理人整理番号第ＥＮＤ７９８０ＵＳＮＰ／１６０１５５号、
−米国特許出願第＿＿＿＿＿＿号、発明の名称「ＡＲＴＩＣＵＬＡＴＡＢＬＥ  ＳＵＲＧＩＣＡＬ  ＳＴＡＰＬＩＮＧ  ＩＮＳＴＲＵＭＥＮＴＳ」、代理人整理番号第ＥＮＤ７９８１ＵＳＮＰ／１６０１５６号、
−米国特許出願第＿＿＿＿＿＿号、発明の名称「ＬＯＣＫＯＵＴ  ＡＲＲＡＮＧＥＭＥＮＴＳ  ＦＯＲ  ＳＵＲＧＩＣＡＬ  ＥＮＤ  ＥＦＦＥＣＴＯＲＳ」、代理人整理番号第ＥＮＤ７９８２ＵＳＮＰ／１６０１５７号、
−米国特許出願第＿＿＿＿＿＿号、発明の名称「ＳＵＲＧＩＣＡＬ  ＥＮＤ  ＥＦＦＥＣＴＯＲＳ  ＡＮＤ  ＦＩＲＩＮＧ  ＭＥＭＢＥＲＳ  ＴＨＥＲＥＯＦ」、代理人整理番号第ＥＮＤ７９８３ＵＳＮＰ／１６０１５８号、
−米国特許出願第＿＿＿＿＿＿号、発明の名称「ＬＯＣＫＯＵＴ  ＡＲＲＡＮＧＥＭＥＮＴＳ  ＦＯＲ  ＳＵＲＧＩＣＡＬ  ＥＮＤ  ＥＦＦＥＣＴＯＲＳ  ＡＮＤ  ＲＥＰＬＡＣＥＡＢＬＥ  ＴＯＯＬ  ＡＳＳＥＭＢＬＩＥＳ」、代理人整理番号第ＥＮＤ７９８４ＵＳＮＰ／１６０１５９号、及び
−米国特許出願第＿＿＿＿＿＿号、発明の名称「ＳＵＲＧＩＣＡＬ  ＥＮＤ  ＥＦＦＥＣＴＯＲＳ  ＡＮＤ  ＡＤＡＰＴＡＢＬＥ  ＦＩＲＩＮＧ  ＭＥＭＢＥＲＳ  ＴＨＥＲＥＦＯＲ」、代理人整理番号第ＥＮＤ７９８５ＵＳＮＰ／１６０１６０号。
【０００５】
本願の出願人は、本願と同日に出願された以下の米国特許出願を所有しており、これらはそれぞれの全体内容が参照により各々本明細書に組み込まれる：
−米国特許出願第＿＿＿＿＿＿号、発明の名称「ＳＴＡＰＬＥ  ＣＡＲＴＲＩＤＧＥＳ  ＡＮＤ  ＡＲＲＡＮＧＥＭＥＮＴＳ  ＯＦ  ＳＴＡＰＬＥＳ  ＡＮＤ  ＳＴＡＰＬＥ  ＣＡＶＩＴＩＥＳ  ＴＨＥＲＥＩＮ」、代理人整理番号第ＥＮＤ７９８６ＵＳＮＰ／１６０１６１号、
−米国特許出願第＿＿＿＿＿＿号、発明の名称「ＳＵＲＧＩＣＡＬ  ＴＯＯＬ  ＡＳＳＥＭＢＬＩＥＳ  ＷＩＴＨ  ＣＬＵＴＣＨＩＮＧ  ＡＲＲＡＮＧＥＭＥＮＴＳ  ＦＯＲ  ＳＨＩＦＴＩＮＧ  ＢＥＴＷＥＥＮ  ＣＬＯＳＵＲＥ  ＳＹＳＴＥＭＳ  ＷＩＴＨ  ＣＬＯＳＵＲＥ  ＳＴＲＯＫＥ  ＲＥＤＵＣＴＩＯＮ  ＦＥＡＴＵＲＥＳ  ＡＮＤ  ＡＲＴＩＣＵＬＡＴＩＯＮ  ＡＮＤ  ＦＩＲＩＮＧ  ＳＹＳＴＥＭＳ」、代理人整理番号第ＥＮＤ７９８７ＵＳＮＰ／１６０１６２号、
−米国特許出願第＿＿＿＿＿＿号、発明の名称「ＳＵＲＧＩＣＡＬ  ＳＴＡＰＬＩＮＧ  ＩＮＳＴＲＵＭＥＮＴＳ  ＡＮＤ  ＳＴＡＰＬＥ−ＦＯＲＭＩＮＧ  ＡＮＶＩＬＳ」、代理人整理番号第ＥＮＤ７９８８ＵＳＮＰ／１６０１６３号、
−米国特許出願第＿＿＿＿＿＿号、発明の名称「ＳＵＲＧＩＣＡＬ  ＴＯＯＬ  ＡＳＳＥＭＢＬＩＥＳ  ＷＩＴＨ  ＣＬＯＳＵＲＥ  ＳＴＲＯＫＥ  ＲＥＤＵＣＴＩＯＮ  ＦＥＡＴＵＲＥＳ」、代理人整理番号第ＥＮＤ７９８９ＵＳＮＰ／１６０１６４号、
−米国特許出願第＿＿＿＿＿＿号、発明の名称「ＳＴＡＰＬＥ  ＣＡＲＴＲＩＤＧＥＳ  ＡＮＤ  ＡＲＲＡＮＧＥＭＥＮＴＳ  ＯＦ  ＳＴＡＰＬＥＳ  ＡＮＤ  ＳＴＡＰＬＥ  ＣＡＶＩＴＩＥＳ  ＴＨＥＲＥＩＮ」、代理人整理番号第ＥＮＤ７９９０ＵＳＮＰ／１６０１６５号、
−米国特許出願第＿＿＿＿＿＿号、発明の名称「ＳＵＲＧＩＣＡＬ  ＳＴＡＰＬＩＮＧ  ＩＮＳＴＲＵＭＥＮＴＳ  ＡＮＤ  ＳＴＡＰＬＥ−ＦＯＲＭＩＮＧ  ＡＮＶＩＬＳ」、代理人整理番号第ＥＮＤ７９９１ＵＳＮＰ／１６０１６６号、
−米国特許出願第＿＿＿＿＿＿号、発明の名称「ＳＵＲＧＩＣＡＬ  ＩＮＳＴＲＵＭＥＮＴＳ  ＷＩＴＨ  ＪＡＷ  ＯＰＥＮＩＮＧ  ＦＥＡＴＵＲＥＳ  ＦＯＲ  ＩＮＣＲＥＡＳＩＮＧ  Ａ  ＪＡＷ  ＯＰＥＮＩＮＧ  ＤＩＳＴＡＮＣＥ」、代理人整理番号第ＥＮＤ７９９２ＵＳＮＰ／１６０１６７号、
−米国特許出願第＿＿＿＿＿＿号、発明の名称「ＭＥＴＨＯＤＳ  ＯＦ  ＳＴＡＰＬＩＮＧ  ＴＩＳＳＵＥ」、代理人整理番号第ＥＮＤ７９９３ＵＳＮＰ／１６０１６８号、
−米国特許出願第＿＿＿＿＿＿号、発明の名称「ＦＩＲＩＮＧ  ＭＥＭＢＥＲＳ  ＷＩＴＨ  ＮＯＮ−ＰＡＲＡＬＬＥＬ  ＪＡＷ  ＥＮＧＡＧＥＭＥＮＴ  ＦＥＡＴＵＲＥＳ  ＦＯＲ  ＳＵＲＧＩＣＡＬ  ＥＮＤ  ＥＦＦＥＣＴＯＲＳ」、代理人整理番号第ＥＮＤ７９９４ＵＳＮＰ／１６０１６９号、
−米国特許出願第＿＿＿＿＿＿号、発明の名称「ＳＵＲＧＩＣＡＬ  ＥＮＤ  ＥＦＦＥＣＴＯＲＳ  ＷＩＴＨ  ＥＸＰＡＮＤＡＢＬＥ  ＴＩＳＳＵＥ  ＳＴＯＰ  ＡＲＲＡＮＧＥＭＥＮＴＳ」、代理人整理番号第ＥＮＤ７９９５ＵＳＮＰ／１６０１７０号、
−米国特許出願第＿＿＿＿＿＿号、発明の名称「ＳＵＲＧＩＣＡＬ  ＳＴＡＰＬＩＮＧ  ＩＮＳＴＲＵＭＥＮＴＳ  ＡＮＤ  ＳＴＡＰＬＥ−ＦＯＲＭＩＮＧ  ＡＮＶＩＬＳ」、代理人整理番号第ＥＮＤ７９９６ＵＳＮＰ／１６０１７１号、
−米国特許出願第＿＿＿＿＿＿号、発明の名称「ＳＵＲＧＩＣＡＬ  ＩＮＳＴＲＵＭＥＮＴＳ  ＷＩＴＨ  ＰＯＳＩＴＩＶＥ  ＪＡＷ  ＯＰＥＮＩＮＧ  ＦＥＡＴＵＲＥＳ」、代理人整理番号第ＥＮＤ７９９７ＵＳＮＰ／１６０１７２号、
−米国特許出願第＿＿＿＿＿＿号、発明の名称「ＳＵＲＧＩＣＡＬ  ＩＮＳＴＲＵＭＥＮＴＳ  ＷＩＴＨ  ＬＯＣＫＯＵＴ  ＡＲＲＡＮＧＥＭＥＮＴＳ  ＦＯＲ  ＰＲＥＶＥＮＴＩＮＧ  ＦＩＲＩＮＧ  ＳＹＳＴＥＭ  ＡＣＴＵＡＴＩＯＮ  ＵＮＬＥＳＳ  ＡＮ  ＵＮＳＰＥＮＴ  ＳＴＡＰＬＥ  ＣＡＲＴＲＩＤＧＥ  ＩＳ  ＰＲＥＳＥＮＴ」、代理人整理番号第ＥＮＤ７９９８ＵＳＮＰ／１６０１７３号、及び
−米国特許出願第＿＿＿＿＿＿号、発明の名称「ＳＴＡＰＬＥ  ＣＡＲＴＲＩＤＧＥＳ  ＡＮＤ  ＡＲＲＡＮＧＥＭＥＮＴＳ  ＯＦ  ＳＴＡＰＬＥＳ  ＡＮＤ  ＳＴＡＰＬＥ  ＣＡＶＩＴＩＥＳ  ＴＨＥＲＥＩＮ」、代理人整理番号第ＥＮＤ７９９９ＵＳＮＰ／１６０１７４号。
【０００６】
本願の出願人は、本願と同日に出願された以下の米国特許出願を所有しており、これらはそれぞれの全体内容が参照により各々本明細書に組み込まれる：
−米国特許出願第＿＿＿＿＿＿号、発明の名称「ＭＥＴＨＯＤ  ＦＯＲ  ＲＥＳＥＴＴＩＮＧ  Ａ  ＦＵＳＥ  ＯＦ  Ａ  ＳＵＲＧＩＣＡＬ  ＩＮＳＴＲＵＭＥＮＴ  ＳＨＡＦＴ」、代理人整理番号第ＥＮＤ８０１３ＵＳＮＰ／１６０１７５号、
−米国特許出願第＿＿＿＿＿＿号、発明の名称「ＳＴＡＰＬＥ  ＦＯＲＭＩＮＧ  ＰＯＣＫＥＴ  ＡＲＲＡＮＧＥＭＥＮＴ  ＴＯ  ＡＣＣＯＭＭＯＤＡＴＥ  ＤＩＦＦＥＲＥＮＴ  ＴＹＰＥＳ  ＯＦ  ＳＴＡＰＬＥＳ」、代理人整理番号第ＥＮＤ８０１４ＵＳＮＰ／１６０１７６号、
−米国特許出願第＿＿＿＿＿＿号、発明の名称「ＳＵＲＧＩＣＡＬ  ＩＮＳＴＲＵＭＥＮＴ  ＣＯＭＰＲＩＳＩＮＧ  ＩＭＰＲＯＶＥＤ  ＪＡＷ  ＣＯＮＴＲＯＬ」、代理人整理番号第ＥＮＤ８０１６ＵＳＮＰ／１６０１７８号、
−米国特許出願第＿＿＿＿＿＿号、発明の名称「ＳＴＡＰＬＥ  ＣＡＲＴＲＩＤＧＥ  ＡＮＤ  ＳＴＡＰＬＥ  ＣＡＲＴＲＩＤＧＥ  ＣＨＡＮＮＥＬ  ＣＯＭＰＲＩＳＩＮＧ  ＷＩＮＤＯＷＳ  ＤＥＦＩＮＥＤ  ＴＨＥＲＥＩＮ」、代理人整理番号第ＥＮＤ８０１７ＵＳＮＰ／１６０１７９号、
−米国特許出願第＿＿＿＿＿＿号、発明の名称「ＳＵＲＧＩＣＡＬ  ＩＮＳＴＲＵＭＥＮＴ  ＣＯＭＰＲＩＳＩＮＧ  Ａ  ＣＵＴＴＩＮＧ  ＭＥＭＢＥＲ」、代理人整理番号第ＥＮＤ８０１８ＵＳＮＰ／１６０１８０号、
−米国特許出願第＿＿＿＿＿＿号、発明の名称「ＳＴＡＰＬＥ  ＦＩＲＩＮＧ  ＭＥＭＢＥＲ  ＣＯＭＰＲＩＳＩＮＧ  Ａ  ＭＩＳＳＩＮＧ  ＣＡＲＴＲＩＤＧＥ  ＡＮＤ／ＯＲ  ＳＰＥＮＴ  ＣＡＲＴＲＩＤＧＥ  ＬＯＣＫＯＵＴ」、代理人整理番号第ＥＮＤ８０１９ＵＳＮＰ／１６０１８１号、
−米国特許出願第＿＿＿＿＿＿号、発明の名称「ＦＩＲＩＮＧ  ＡＳＳＥＭＢＬＹ  ＣＯＭＰＲＩＳＩＮＧ  Ａ  ＬＯＣＫＯＵＴ」、代理人整理番号第ＥＮＤ８０２０ＵＳＮＰ／１６０１８２号、
−米国特許出願第＿＿＿＿＿＿号、発明の名称「ＳＵＲＧＩＣＡＬ  ＩＮＳＴＲＵＭＥＮＴ  ＳＹＳＴＥＭ  ＣＯＭＰＲＩＳＩＮＧ  ＡＮ  ＥＮＤ  ＥＦＦＥＣＴＯＲ  ＬＯＣＫＯＵＴ  ＡＮＤ  Ａ  ＦＩＲＩＮＧ  ＡＳＳＥＭＢＬＹ  ＬＯＣＫＯＵＴ」、代理人整理番号第ＥＮＤ８０２１ＵＳＮＰ／１６０１８３号、
−米国特許出願第＿＿＿＿＿＿号、発明の名称「ＦＩＲＩＮＧ  ＡＳＳＥＭＢＬＹ  ＣＯＭＰＲＩＳＩＮＧ  Ａ  ＦＵＳＥ」、代理人整理番号第ＥＮＤ８０２２ＵＳＮＰ／１６０１８４号、及び
−米国特許出願第＿＿＿＿＿＿号、発明の名称「ＦＩＲＩＮＧ  ＡＳＳＥＭＢＬＹ  ＣＯＭＰＲＩＳＩＮＧ  Ａ  ＭＵＬＴＩＰＬＥ  ＦＡＩＬＥＤ−ＳＴＡＴＥ  ＦＵＳＥ」、代理人整理番号第ＥＮＤ８０２３ＵＳＮＰ／１６０１８５号。
【０００７】
本願の出願人は、本願と同日に出願された以下の米国特許出願を所有しており、これらはそれぞれの全体内容が参照により各々本明細書に組み込まれる：
−米国特許出願第＿＿＿＿＿＿号、発明の名称「ＳＴＡＰＬＥ  ＦＯＲＭＩＮＧ  ＰＯＣＫＥＴ  ＡＲＲＡＮＧＥＭＥＮＴＳ」、代理人整理番号第ＥＮＤ８０３８ＵＳＮＰ／１６０１８６号、
−米国特許出願第＿＿＿＿＿＿号、発明の名称「ＡＮＶＩＬ  ＡＲＲＡＮＧＥＭＥＮＴＳ  ＦＯＲ  ＳＵＲＧＩＣＡＬ  ＳＴＡＰＬＥＲＳ」、代理人整理番号第ＥＮＤ８０３９ＵＳＮＰ／１６０１８７号、
−米国特許出願第＿＿＿＿＿＿号、発明の名称「ＭＥＴＨＯＤ  ＯＦ  ＤＥＦＯＲＭＩＮＧ  ＳＴＡＰＬＥＳ  ＦＲＯＭ  ＴＷＯ  ＤＩＦＦＥＲＥＮＴ  ＴＹＰＥＳ  ＯＦ  ＳＴＡＰＬＥ  ＣＡＲＴＲＩＤＧＥＳ  ＷＩＴＨ  ＴＨＥ  ＳＡＭＥ  ＳＵＲＧＩＣＡＬ  ＳＴＡＰＬＩＮＧ  ＩＮＳＴＲＵＭＥＮＴ」、代理人整理番号第ＥＮＤ８０４１ＵＳＮＰ／１６０１８９号、
−米国特許出願第＿＿＿＿＿＿号、発明の名称「ＢＩＬＡＴＥＲＡＬＬＹ  ＡＳＹＭＭＥＴＲＩＣ  ＳＴＡＰＬＥ  ＦＯＲＭＩＮＧ  ＰＯＣＫＥＴ  ＰＡＩＲＳ」、代理人整理番号第ＥＮＤ８０４２ＵＳＮＰ／１６０１９０号、
−米国特許出願第＿＿＿＿＿＿号、発明の名称「ＣＬＯＳＵＲＥ  ＭＥＭＢＥＲＳ  ＷＩＴＨ  ＣＡＭ  ＳＵＲＦＡＣＥ  ＡＲＲＡＮＧＥＭＥＮＴＳ  ＦＯＲ  ＳＵＲＧＩＣＡＬ  ＩＮＳＴＲＵＭＥＮＴＳ  ＷＩＴＨ  ＳＥＰＡＲＡＴＥ  ＡＮＤ  ＤＩＳＴＩＮＣＴ  ＣＬＯＳＵＲＥ  ＡＮＤ  ＦＩＲＩＮＧ  ＳＹＳＴＥＭＳ」、代理人整理番号第ＥＮＤ８０４３ＵＳＮＰ／１６０１９１号、
−米国特許出願第＿＿＿＿＿＿号、発明の名称「ＳＵＲＧＩＣＡＬ  ＳＴＡＰＬＥＲＳ  ＷＩＴＨ  ＩＮＤＥＰＥＮＤＥＮＴＬＹ  ＡＣＴＵＡＴＡＢＬＥ  ＣＬＯＳＩＮＧ  ＡＮＤ  ＦＩＲＩＮＧ  ＳＹＳＴＥＭＳ」、代理人整理番号第ＥＮＤ８０４４ＵＳＮＰ／１６０１９２号、
−米国特許出願第＿＿＿＿＿＿号、発明の名称「ＳＵＲＧＩＣＡＬ  ＳＴＡＰＬＩＮＧ  ＩＮＳＴＲＵＭＥＮＴＳ  ＷＩＴＨ  ＳＭＡＲＴ  ＳＴＡＰＬＥ  ＣＡＲＴＲＩＤＧＥＳ」、代理人整理番号第ＥＮＤ８０４５ＵＳＮＰ／１６０１９３号、
−米国特許出願第＿＿＿＿＿＿号、発明の名称「ＳＴＡＰＬＥ  ＦＯＲＭＩＮＧ  ＰＯＣＫＥＴ  ＡＲＲＡＮＧＥＭＥＮＴＳ  ＣＯＭＰＲＩＳＩＮＧ  ＰＲＩＭＡＲＹ  ＳＩＤＥＷＡＬＬＳ  ＡＮＤ  ＰＯＣＫＥＴ  ＳＩＤＥＷＡＬＬＳ」、代理人整理番号第ＥＮＤ８０４８ＵＳＮＰ／１６０１９６号、
−米国特許出願第＿＿＿＿＿＿号、発明の名称「ＮＯ−ＣＡＲＴＲＩＤＧＥ  ＡＮＤ  ＳＰＥＮＴ  ＣＡＲＴＲＩＤＧＥ  ＬＯＣＫＯＵＴ  ＡＲＲＡＮＧＥＭＥＮＴＳ  ＦＯＲ  ＳＵＲＧＩＣＡＬ  ＳＴＡＰＬＥＲＳ」、代理人整理番号第ＥＮＤ８０５０ＵＳＮＰ／１６０１９８号、
−米国特許出願第＿＿＿＿＿＿号、発明の名称「ＦＩＲＩＮＧ  ＭＥＭＢＥＲ  ＰＩＮ  ＡＮＧＬＥ」、代理人整理番号第ＥＮＤ８０５１ＵＳＮＰ／１６０１９９号、
−米国特許出願第＿＿＿＿＿＿号、発明の名称「ＳＴＡＰＬＥ  ＦＯＲＭＩＮＧ  ＰＯＣＫＥＴ  ＡＲＲＡＮＧＥＭＥＮＴＳ  ＣＯＭＰＲＩＳＩＮＧ  ＺＯＮＥＤ  ＦＯＲＭＩＮＧ  ＳＵＲＦＡＣＥ  ＧＲＯＯＶＥＳ」、代理人整理番号第ＥＮＤ８０５２ＵＳＮＰ／１６０２００号、
−米国特許出願第＿＿＿＿＿＿号、発明の名称「ＳＵＲＧＩＣＡＬ  ＩＮＳＴＲＵＭＥＮＴ  ＷＩＴＨ  ＭＵＬＴＩＰＬＥ  ＦＡＩＬＵＲＥ  ＲＥＳＰＯＮＳＥ  ＭＯＤＥＳ」、代理人整理番号第ＥＮＤ８０５３ＵＳＮＰ／１６０２０１号、
−米国特許出願第＿＿＿＿＿＿号、発明の名称「ＳＵＲＧＩＣＡＬ  ＩＮＳＴＲＵＭＥＮＴ  ＷＩＴＨ  ＰＲＩＭＡＲＹ  ＡＮＤ  ＳＡＦＥＴＹ  ＰＲＯＣＥＳＳＯＲＳ」、代理人整理番号第ＥＮＤ８０５４ＵＳＮＰ／１６０２０２号、
−米国特許出願第＿＿＿＿＿＿号、発明の名称「ＳＵＲＧＩＣＡＬ  ＩＮＳＴＲＵＭＥＮＴＳ  ＷＩＴＨ  ＪＡＷＳ  ＴＨＡＴ  ＡＲＥ  ＰＩＶＯＴＡＢＬＥ  ＡＢＯＵＴ  Ａ  ＦＩＸＥＤ  ＡＸＩＳ  ＡＮＤ  ＩＮＣＬＵＤＥ  ＳＥＰＡＲＡＴＥ  ＡＮＤ  ＤＩＳＴＩＮＣＴ  ＣＬＯＳＵＲＥ  ＡＮＤ  ＦＩＲＩＮＧ  ＳＹＳＴＥＭＳ」、代理人整理番号第ＥＮＤ８０５６ＵＳＮＰ／１６０２０４号、
−米国特許出願第＿＿＿＿＿＿号、発明の名称「ＡＮＶＩＬ  ＨＡＶＩＮＧ  Ａ  ＫＮＩＦＥ  ＳＬＯＴ  ＷＩＤＴＨ」、代理人整理番号第ＥＮＤ８０５７ＵＳＮＰ／１６０２０５号、
−米国特許出願第＿＿＿＿＿＿号、発明の名称「ＣＬＯＳＵＲＥ  ＭＥＭＢＥＲ  ＡＲＲＡＮＧＥＭＥＮＴＳ  ＦＯＲ  ＳＵＲＧＩＣＡＬ  ＩＮＳＴＲＵＭＥＮＴＳ」、代理人整理番号第ＥＮＤ８０５８ＵＳＮＰ／１６０２０６号、及び
−米国特許出願第＿＿＿＿＿＿号、発明の名称「ＦＩＲＩＮＧ  ＭＥＭＢＥＲ  ＰＩＮ  ＣＯＮＦＩＧＵＲＡＴＩＯＮＳ」、代理人整理番号第ＥＮＤ８０５９ＵＳＮＰ／１６０２０７号。
【０００８】
本願の出願人は、本願と同日に出願された以下の米国特許出願を所有しており、これらはそれぞれの全体内容が参照により各々本明細書に組み込まれる：
−米国特許出願第＿＿＿＿＿＿号、発明の名称「ＳＴＥＰＰＥＤ  ＳＴＡＰＬＥ  ＣＡＲＴＲＩＤＧＥ  ＷＩＴＨ  ＡＳＹＭＭＥＴＲＩＣＡＬ  ＳＴＡＰＬＥＳ」、代理人整理番号第ＥＮＤ８０００ＵＳＮＰ／１６０２０８号、
−米国特許出願第＿＿＿＿＿＿号、発明の名称「ＳＴＥＰＰＥＤ  ＳＴＡＰＬＥ  ＣＡＲＴＲＩＤＧＥ  ＷＩＴＨ  ＴＩＳＳＵＥ  ＲＥＴＥＮＴＩＯＮ  ＡＮＤ  ＧＡＰ  ＳＥＴＴＩＮＧ  ＦＥＡＴＵＲＥＳ」、代理人整理番号第ＥＮＤ８００１ＵＳＮＰ／１６０２０９号、
−米国特許出願第＿＿＿＿＿＿号、発明の名称「ＳＴＡＰＬＥ  ＣＡＲＴＲＩＤＧＥ  ＷＩＴＨ  ＤＥＦＯＲＭＡＢＬＥ  ＤＲＩＶＥＲ  ＲＥＴＥＮＴＩＯＮ  ＦＥＡＴＵＲＥＳ」、代理人整理番号第ＥＮＤ８００２ＵＳＮＰ／１６０２１０号、
−米国特許出願第＿＿＿＿＿＿号、発明の名称「ＤＵＲＡＢＩＬＩＴＹ  ＦＥＡＴＵＲＥＳ  ＦＯＲ  ＥＮＤ  ＥＦＦＥＣＴＯＲＳ  ＡＮＤ  ＦＩＲＩＮＧ  ＡＳＳＥＭＢＬＩＥＳ  ＯＦ  ＳＵＲＧＩＣＡＬ  ＳＴＡＰＬＩＮＧ  ＩＮＳＴＲＵＭＥＮＴＳ」、代理人整理番号第ＥＮＤ８００３ＵＳＮＰ／１６０２１１号、
−米国特許出願第＿＿＿＿＿＿号、発明の名称「ＳＵＲＧＩＣＡＬ  ＳＴＡＰＬＩＮＧ  ＩＮＳＴＲＵＭＥＮＴＳ  ＨＡＶＩＮＧ  ＥＮＤ  ＥＦＦＥＣＴＯＲＳ  ＷＩＴＨ  ＰＯＳＩＴＩＶＥ  ＯＰＥＮＩＮＧ  ＦＥＡＴＵＲＥＳ」、代理人整理番号第ＥＮＤ８００４ＵＳＮＰ／１６０２１２号、及び
−米国特許出願第＿＿＿＿＿＿号、発明の名称「ＣＯＮＮＥＣＴＩＯＮ  ＰＯＲＴＩＯＮＳ  ＦＯＲ  ＤＥＰＯＳＡＢＬＥ  ＬＯＡＤＩＮＧ  ＵＮＩＴＳ  ＦＯＲ  ＳＵＲＧＩＣＡＬ  ＳＴＡＰＬＩＮＧ  ＩＮＳＴＲＵＭＥＮＴＳ」、代理人整理番号第ＥＮＤ８００５ＵＳＮＰ／１６０２１３号。
【０００９】
本願の出願人は、本願と同日に出願された以下の米国特許出願を所有しており、これらはそれぞれの全体内容が参照により各々本明細書に組み込まれる：
−米国特許出願第＿＿＿＿＿＿号、発明の名称「ＭＥＴＨＯＤ  ＦＯＲ  ＡＴＴＡＣＨＩＮＧ  Ａ  ＳＨＡＦＴ  ＡＳＳＥＭＢＬＹ  ＴＯ  Ａ  ＳＵＲＧＩＣＡＬ  ＩＮＳＴＲＵＭＥＮＴ  ＡＮＤ，ＡＬＴＥＲＮＡＴＩＶＥＬＹ，ＴＯ  Ａ  ＳＵＲＧＩＣＡＬ  ＲＯＢＯＴ」、代理人整理番号第ＥＮＤ８００６ＵＳＮＰ／１６０２１４号、
−米国特許出願第＿＿＿＿＿＿号、発明の名称「ＳＨＡＦＴ  ＡＳＳＥＭＢＬＹ  ＣＯＭＰＲＩＳＩＮＧ  Ａ  ＭＡＮＵＡＬＬＹ−ＯＰＥＲＡＢＬＥ  ＲＥＴＲＡＣＴＩＯＮ  ＳＹＳＴＥＭ  ＦＯＲ  ＵＳＥ  ＷＩＴＨ  Ａ  ＭＯＴＯＲＩＺＥＤ  ＳＵＲＧＩＣＡＬ  ＩＮＳＴＲＵＭＥＮＴ  ＳＹＳＴＥＭ」、代理人整理番号第ＥＮＤ８００７ＵＳＮＰ／１６０２１５号、
−米国特許出願第＿＿＿＿＿＿号、発明の名称「ＳＨＡＦＴ  ＡＳＳＥＭＢＬＹ  ＣＯＭＰＲＩＳＩＮＧ  ＳＥＰＡＲＡＴＥＬＹ  ＡＣＴＵＡＴＡＢＬＥ  ＡＮＤ  ＲＥＴＲＡＣＴＡＢＬＥ  ＳＹＳＴＥＭＳ」、代理人整理番号第ＥＮＤ８００８ＵＳＮＰ／１６０２１６号、
−米国特許出願第＿＿＿＿＿＿号、発明の名称「ＳＨＡＦＴ  ＡＳＳＥＭＢＬＹ  ＣＯＭＰＲＩＳＩＮＧ  Ａ  ＣＬＵＴＣＨ  ＣＯＮＦＩＧＵＲＥＤ  ＴＯ  ＡＤＡＰＴ  ＴＨＥ  ＯＵＴＰＵＴ  ＯＦ  Ａ  ＲＯＴＡＲＹ  ＦＩＲＩＮＧ  ＭＥＭＢＥＲ  ＴＯ  ＴＷＯ  ＤＩＦＦＥＲＥＮＴ  ＳＹＳＴＥＭＳ」、代理人整理番号第ＥＮＤ８００９ＵＳＮＰ／１６０２１７号、
−米国特許出願第＿＿＿＿＿＿号、発明の名称「ＳＵＲＧＩＣＡＬ  ＳＹＳＴＥＭ  ＣＯＭＰＲＩＳＩＮＧ  Ａ  ＦＩＲＩＮＧ  ＭＥＭＢＥＲ  ＲＯＴＡＴＡＢＬＥ  ＩＮＴＯ  ＡＮ  ＡＲＴＩＣＵＬＡＴＩＯＮ  ＳＴＡＴＥ  ＴＯ  ＡＲＴＩＣＵＬＡＴＥ  ＡＮ  ＥＮＤ  ＥＦＦＥＣＴＯＲ  ＯＦ  ＴＨＥ  ＳＵＲＧＩＣＡＬ  ＳＹＳＴＥＭ」、代理人整理番号第ＥＮＤ８０１０ＵＳＮＰ／１６０２１８号、
−米国特許出願第＿＿＿＿＿＿号、発明の名称「ＳＨＡＦＴ  ＡＳＳＥＭＢＬＹ  ＣＯＭＰＲＩＳＩＮＧ  Ａ  ＬＯＣＫＯＵＴ」、代理人整理番号第ＥＮＤ８０１１ＵＳＮＰ／１６０２１９号、及び
−米国特許出願第＿＿＿＿＿＿号、発明の名称「ＳＨＡＦＴ  ＡＳＳＥＭＢＬＹ  ＣＯＭＰＲＩＳＩＮＧ  ＦＩＲＳＴ  ＡＮＤ  ＳＥＣＯＮＤ  ＡＲＴＩＣＵＬＡＴＩＯＮ  ＬＯＣＫＯＵＴＳ」、代理人整理番号第ＥＮＤ８０１２ＵＳＮＰ／１６０２２０号。
【００１０】
本願の出願人は、本願と同日に出願された以下の米国特許出願を所有しており、これらはそれぞれの全体内容が参照により各々本明細書に組み込まれる：
−米国特許出願第＿＿＿＿＿＿号、発明の名称「ＳＵＲＧＩＣＡＬ  ＳＴＡＰＬＩＮＧ  ＳＹＳＴＥＭＳ」、代理人整理番号第ＥＮＤ８０２４ＵＳＮＰ／１６０２２１号、
−米国特許出願第＿＿＿＿＿＿号、発明の名称「ＳＵＲＧＩＣＡＬ  ＳＴＡＰＬＩＮＧ  ＳＹＳＴＥＭＳ」、代理人整理番号第ＥＮＤ８０２５ＵＳＮＰ／１６０２２２号、
−米国特許出願第＿＿＿＿＿＿号、発明の名称「ＳＵＲＧＩＣＡＬ  ＳＴＡＰＬＩＮＧ  ＳＹＳＴＥＭＳ」、代理人整理番号第ＥＮＤ８０２６ＵＳＮＰ／１６０２２３号、
−米国特許出願第＿＿＿＿＿＿号、発明の名称「ＳＵＲＧＩＣＡＬ  ＳＴＡＰＬＥ  ＣＡＲＴＲＩＤＧＥ  ＷＩＴＨ  ＭＯＶＡＢＬＥ  ＣＡＭＭＩＮＧ  ＭＥＭＢＥＲ  ＣＯＮＦＩＧＵＲＥＤ  ＴＯ  ＤＩＳＥＮＧＡＧＥ  ＦＩＲＩＮＧ  ＭＥＭＢＥＲ  ＬＯＣＫＯＵＴ  ＦＥＡＴＵＲＥＳ」、代理人整理番号第ＥＮＤ８０２７ＵＳＮＰ／１６０２２４号、
−米国特許出願第＿＿＿＿＿＿号、発明の名称「ＳＵＲＧＩＣＡＬ  ＳＴＡＰＬＩＮＧ  ＳＹＳＴＥＭＳ」、代理人整理番号第ＥＮＤ８０２８ＵＳＮＰ／１６０２２５号、
−米国特許出願第＿＿＿＿＿＿号、発明の名称「ＪＡＷ  ＡＣＴＵＡＴＥＤ  ＬＯＣＫ  ＡＲＲＡＮＧＥＭＥＮＴＳ  ＦＯＲ  ＰＲＥＶＥＮＴＩＮＧ  ＡＤＶＡＮＣＥＭＥＮＴ  ＯＦ  Ａ  ＦＩＲＩＮＧ  ＭＥＭＢＥＲ  ＩＮ  Ａ  ＳＵＲＧＩＣＡＬ  ＥＮＤ  ＥＦＦＥＣＴＯＲ  ＵＮＬＥＳＳ  ＡＮ  ＵＮＦＩＲＥＤ  ＣＡＲＴＲＩＤＧＥ  ＩＳ  ＩＮＳＴＡＬＬＥＤ  ＩＮ  ＴＨＥ  ＥＮＤ  ＥＦＦＥＣＴＯＲ」、代理人整理番号第ＥＮＤ８０２９ＵＳＮＰ／１６０２２６号、
−米国特許出願第＿＿＿＿＿＿号、発明の名称「ＡＸＩＡＬＬＹ  ＭＯＶＡＢＬＥ  ＣＬＯＳＵＲＥ  ＳＹＳＴＥＭ  ＡＲＲＡＮＧＥＭＥＮＴＳ  ＦＯＲ  ＡＰＰＬＹＩＮＧ  ＣＬＯＳＵＲＥ  ＭＯＴＩＯＮＳ  ＴＯ  ＪＡＷＳ  ＯＦ  ＳＵＲＧＩＣＡＬ  ＩＮＳＴＲＵＭＥＮＴＳ」、代理人整理番号第ＥＮＤ８０３０ＵＳＮＰ／１６０２２７号、
−米国特許出願第＿＿＿＿＿＿号、発明の名称「ＰＲＯＴＥＣＴＩＶＥ  ＣＯＶＥＲ  ＡＲＲＡＮＧＥＭＥＮＴＳ  ＦＯＲ  Ａ  ＪＯＩＮＴ  ＩＮＴＥＲＦＡＣＥ  ＢＥＴＷＥＥＮ  Ａ  ＭＯＶＡＢＬＥ  ＪＡＷ  ＡＮＤ  ＡＣＴＵＡＴＯＲ  ＳＨＡＦＴ  ＯＦ  Ａ  ＳＵＲＧＩＣＡＬ  ＩＮＳＴＲＵＭＥＮＴ」、代理人整理番号第ＥＮＤ８０３１ＵＳＮＰ／１６０２２８号、
−米国特許出願第＿＿＿＿＿＿号、発明の名称「ＳＵＲＧＩＣＡＬ  ＥＮＤ  ＥＦＦＥＣＴＯＲ  ＷＩＴＨ  ＴＷＯ  ＳＥＰＡＲＡＴＥ  ＣＯＯＰＥＲＡＴＩＮＧ  ＯＰＥＮＩＮＧ  ＦＥＡＴＵＲＥＳ  ＦＯＲ  ＯＰＥＮＩＮＧ  ＡＮＤ  ＣＬＯＳＩＮＧ  ＥＮＤ  ＥＦＦＥＣＴＯＲ  ＪＡＷＳ」、代理人整理番号第ＥＮＤ８０３２ＵＳＮＰ／１６０２２９号、
−米国特許出願第＿＿＿＿＿＿号、発明の名称「ＡＲＴＩＣＵＬＡＴＡＢＬＥ  ＳＵＲＧＩＣＡＬ  ＥＮＤ  ＥＦＦＥＣＴＯＲ  ＷＩＴＨ  ＡＳＹＭＭＥＴＲＩＣ  ＳＨＡＦＴ  ＡＲＲＡＮＧＥＭＥＮＴ」、代理人整理番号第ＥＮＤ８０３３ＵＳＮＰ／１６０２３０号、
−米国特許出願第＿＿＿＿＿＿号、発明の名称「ＡＲＴＩＣＵＬＡＴＡＢＬＥ  ＳＵＲＧＩＣＡＬ  ＩＮＳＴＲＵＭＥＮＴ  ＷＩＴＨ  ＩＮＤＥＰＥＮＤＥＮＴ  ＰＩＶＯＴＡＢＬＥ  ＬＩＮＫＡＧＥ  ＤＩＳＴＡＬ  ＯＦ  ＡＮ  ＡＲＴＩＣＵＬＡＴＩＯＮ  ＬＯＣＫ」、代理人整理番号第ＥＮＤ８０３４ＵＳＮＰ／１６０２３１号、
−米国特許出願第＿＿＿＿＿＿号、発明の名称「ＡＲＴＩＣＵＬＡＴＩＯＮ  ＬＯＣＫ  ＡＲＲＡＮＧＥＭＥＮＴＳ  ＦＯＲ  ＬＯＣＫＩＮＧ  ＡＮ  ＥＮＤ  ＥＦＦＥＣＴＯＲ  ＩＮ  ＡＮ  ＡＲＴＩＣＵＬＡＴＥＤ  ＰＯＳＩＴＩＯＮ  ＩＮ  ＲＥＳＰＯＮＳＥ  ＴＯ  ＡＣＴＵＡＴＩＯＮ  ＯＦ  Ａ  ＪＡＷ  ＣＬＯＳＵＲＥ  ＳＹＳＴＥＭ」、代理人整理番号第ＥＮＤ８０３５ＵＳＮＰ／１６０２３２号、
−米国特許出願第＿＿＿＿＿＿号、発明の名称「ＬＡＴＥＲＡＬＬＹ  ＡＣＴＵＡＴＡＢＬＥ  ＡＲＴＩＣＵＬＡＴＩＯＮ  ＬＯＣＫ  ＡＲＲＡＮＧＥＭＥＮＴＳ  ＦＯＲ  ＬＯＣＫＩＮＧ  ＡＮ  ＥＮＤ  ＥＦＦＥＣＴＯＲ  ＯＦ  Ａ  ＳＵＲＧＩＣＡＬ  ＩＮＳＴＲＵＭＥＮＴ  ＩＮ  ＡＮ  ＡＲＴＩＣＵＬＡＴＥＤ  ＣＯＮＦＩＧＵＲＡＴＩＯＮ」、代理人整理番号第ＥＮＤ８０３６ＵＳＮＰ／１６０２３３号、及び
−米国特許出願第＿＿＿＿＿＿号、発明の名称「ＡＲＴＩＣＵＬＡＴＡＢＬＥ  ＳＵＲＧＩＣＡＬ  ＩＮＳＴＲＵＭＥＮＴＳ  ＷＩＴＨ  ＡＲＴＩＣＵＬＡＴＩＯＮ  ＳＴＲＯＫＥ  ＡＭＰＬＩＦＩＣＡＴＩＯＮ  ＦＥＡＴＵＲＥＳ」、代理人整理番号第ＥＮＤ８０３７ＵＳＮＰ／１６０２３４号。
【００１１】
本願の出願人は、２０１６年６月２４日に出願された以下の米国特許出願を所有しており、これらはそれぞれの全体内容が参照により各々本明細書に組み込まれる：
−米国特許出願第１５／１９１，７７５号、発明の名称「ＳＴＡＰＬＥ  ＣＡＲＴＲＩＤＧＥ  ＣＯＭＰＲＩＳＩＮＧ  ＷＩＲＥ  ＳＴＡＰＬＥＳ  ＡＮＤ  ＳＴＡＭＰＥＤ  ＳＴＡＰＬＥＳ」、
−米国特許出願第１５／１９１，８０７号、発明の名称「ＳＴＡＰＬＩＮＧ  ＳＹＳＴＥＭ  ＦＯＲ  ＵＳＥ  ＷＩＴＨ  ＷＩＲＥ  ＳＴＡＰＬＥＳ  ＡＮＤ  ＳＴＡＭＰＥＤ  ＳＴＡＰＬＥＳ」、
−米国特許出願第１５／１９１，８３４号、発明の名称「ＳＴＡＭＰＥＤ  ＳＴＡＰＬＥＳ  ＡＮＤ  ＳＴＡＰＬＥ  ＣＡＲＴＲＩＤＧＥＳ  ＵＳＩＮＧ  ＴＨＥ  ＳＡＭＥ」、
−米国特許出願第１５／１９１，７８８号、発明の名称「ＳＴＡＰＬＥ  ＣＡＲＴＲＩＤＧＥ  ＣＯＭＰＲＩＳＩＮＧ  ＯＶＥＲＤＲＩＶＥＮ  ＳＴＡＰＬＥＳ」、及び
−米国特許出願第１５／１９１，８１８号、発明の名称「ＳＴＡＰＬＥ  ＣＡＲＴＲＩＤＧＥ  ＣＯＭＰＲＩＳＩＮＧ  ＯＦＦＳＥＴ  ＬＯＮＧＩＴＵＤＩＮＡＬ  ＳＴＡＰＬＥ  ＲＯＷＳ」。
【００１２】
本願の出願人は、２０１６年６月２４日に出願された以下の米国特許出願を所有しており、これらはそれぞれの全体内容が参照により各々本明細書に組み込まれる：
−米国意匠特許出願第２９／５６９，２１８号、発明の名称「ＳＵＲＧＩＣＡＬ  ＦＡＳＴＥＮＥＲ」、
−米国意匠特許出願第２９／５６９，２２７号、発明の名称「ＳＵＲＧＩＣＡＬ  ＦＡＳＴＥＮＥＲ」、
−米国意匠特許出願第２９／５６９，２５９号、発明の名称「ＳＵＲＧＩＣＡＬ  ＦＡＳＴＥＮＥＲ  ＣＡＲＴＲＩＤＧＥ」、及び
−米国意匠特許出願第２９／５６９，２６４号、発明の名称「ＳＵＲＧＩＣＡＬ  ＦＡＳＴＥＮＥＲ  ＣＡＲＴＲＩＤＧＥ」。
【００１３】
本願の出願人は、２０１６年４月１日に出願された以下の特許出願を所有しており、これらはそれぞれの全体内容が参照により本明細書に各々組み込まれる：
−米国特許出願第１５／０８９，３２５号、発明の名称「ＭＥＴＨＯＤ  ＦＯＲ  ＯＰＥＲＡＴＩＮＧ  Ａ  ＳＵＲＧＩＣＡＬ  ＳＴＡＰＬＩＮＧ  ＳＹＳＴＥＭ」、
−米国特許出願第１５／０８９，３２１号、発明の名称「ＭＯＤＵＬＡＲ  ＳＵＲＧＩＣＡＬ  ＳＴＡＰＬＩＮＧ  ＳＹＳＴＥＭ  ＣＯＭＰＲＩＳＩＮＧ  Ａ  ＤＩＳＰＬＡＹ」、
−米国特許出願第１５／０８９，３２６号、発明の名称「ＳＵＲＧＩＣＡＬ  ＳＴＡＰＬＩＮＧ  ＳＹＳＴＥＭ  ＣＯＭＰＲＩＳＩＮＧ  Ａ  ＤＩＳＰＬＡＹ  ＩＮＣＬＵＤＩＮＧ  Ａ  ＲＥ−ＯＲＩＥＮＴＡＢＬＥ  ＤＩＳＰＬＡＹ  ＦＩＥＬＤ」、
−米国特許出願第１５／０８９，２６３号、発明の名称「ＳＵＲＧＩＣＡＬ  ＩＮＳＴＲＵＭＥＮＴ  ＨＡＮＤＬＥ  ＡＳＳＥＭＢＬＹ  ＷＩＴＨ  ＲＥＣＯＮＦＩＧＵＲＡＢＬＥ  ＧＲＩＰ  ＰＯＲＴＩＯＮ」、
−米国特許出願第１５／０８９，２６２号、発明の名称「ＲＯＴＡＲＹ  ＰＯＷＥＲＥＤ  ＳＵＲＧＩＣＡＬ  ＩＮＳＴＲＵＭＥＮＴ  ＷＩＴＨ  ＭＡＮＵＡＬＬＹ  ＡＣＴＵＡＴＡＢＬＥ  ＢＡＩＬＯＵＴ  ＳＹＳＴＥＭ」、
−米国特許出願第１５／０８９，２７７号、発明の名称「ＳＵＲＧＩＣＡＬ  ＣＵＴＴＩＮＧ  ＡＮＤ  ＳＴＡＰＬＩＮＧ  ＥＮＤ  ＥＦＦＥＣＴＯＲ  ＷＩＴＨ  ＡＮＶＩＬ  ＣＯＮＣＥＮＴＲＩＣ  ＤＲＩＶＥ  ＭＥＭＢＥＲ」、
−米国特許出願第１５／０８９，２９６号、発明の名称「ＩＮＴＥＲＣＨＡＮＧＥＡＢＬＥ  ＳＵＲＧＩＣＡＬ  ＴＯＯＬ  ＡＳＳＥＭＢＬＹ  ＷＩＴＨ  Ａ  ＳＵＲＧＩＣＡＬ  ＥＮＤ  ＥＦＦＥＣＴＯＲ  ＴＨＡＴ  ＩＳ  ＳＥＬＥＣＴＩＶＥＬＹ  ＲＯＴＡＴＡＢＬＥ  ＡＢＯＵＴ  Ａ  ＳＨＡＦＴ  ＡＸＩＳ」、
−米国特許出願第１５／０８９，２５８号、発明の名称「ＳＵＲＧＩＣＡＬ  ＳＴＡＰＬＩＮＧ  ＳＹＳＴＥＭ  ＣＯＭＰＲＩＳＩＮＧ  Ａ  ＳＨＩＦＴＡＢＬＥ  ＴＲＡＮＳＭＩＳＳＩＯＮ」、
−米国特許出願第１５／０８９，２７８号、発明の名称「ＳＵＲＧＩＣＡＬ  ＳＴＡＰＬＩＮＧ  ＳＹＳＴＥＭ  ＣＯＮＦＩＧＵＲＥＤ  ＴＯ  ＰＲＯＶＩＤＥ  ＳＥＬＥＣＴＩＶＥ  ＣＵＴＴＩＮＧ  ＯＦ  ＴＩＳＳＵＥ」、
−米国特許出願第１５／０８９，２８４号、発明の名称「ＳＵＲＧＩＣＡＬ  ＳＴＡＰＬＩＮＧ  ＳＹＳＴＥＭ  ＣＯＭＰＲＩＳＩＮＧ  Ａ  ＣＯＮＴＯＵＲＡＢＬＥ  ＳＨＡＦＴ」、
−米国特許出願第１５／０８９，２９５号、発明の名称「ＳＵＲＧＩＣＡＬ  ＳＴＡＰＬＩＮＧ  ＳＹＳＴＥＭ  ＣＯＭＰＲＩＳＩＮＧ  Ａ  ＴＩＳＳＵＥ  ＣＯＭＰＲＥＳＳＩＯＮ  ＬＯＣＫＯＵＴ」、
−米国特許出願第１５／０８９，３００号、発明の名称「ＳＵＲＧＩＣＡＬ  ＳＴＡＰＬＩＮＧ  ＳＹＳＴＥＭ  ＣＯＭＰＲＩＳＩＮＧ  ＡＮ  ＵＮＣＬＡＭＰＩＮＧ  ＬＯＣＫＯＵＴ」、
−米国特許出願第１５／０８９，１９６号、発明の名称「ＳＵＲＧＩＣＡＬ  ＳＴＡＰＬＩＮＧ  ＳＹＳＴＥＭ  ＣＯＭＰＲＩＳＩＮＧ  Ａ  ＪＡＷ  ＣＬＯＳＵＲＥ  ＬＯＣＫＯＵＴ」、
−米国特許出願第１５／０８９，２０３号、発明の名称「ＳＵＲＧＩＣＡＬ  ＳＴＡＰＬＩＮＧ  ＳＹＳＴＥＭ  ＣＯＭＰＲＩＳＩＮＧ  Ａ  ＪＡＷ  ＡＴＴＡＣＨＭＥＮＴ  ＬＯＣＫＯＵＴ」、
−米国特許出願第１５／０８９，２１０号、発明の名称「ＳＵＲＧＩＣＡＬ  ＳＴＡＰＬＩＮＧ  ＳＹＳＴＥＭ  ＣＯＭＰＲＩＳＩＮＧ  Ａ  ＳＰＥＮＴ  ＣＡＲＴＲＩＤＧＥ  ＬＯＣＫＯＵＴ」、
−米国特許出願第１５／０８９，３２４号、発明の名称「ＳＵＲＧＩＣＡＬ  ＩＮＳＴＲＵＭＥＮＴ  ＣＯＭＰＲＩＳＩＮＧ  Ａ  ＳＨＩＦＴＩＮＧ  ＭＥＣＨＡＮＩＳＭ」、
−米国特許出願第１５／０８９，３３５号、発明の名称「ＳＵＲＧＩＣＡＬ  ＳＴＡＰＬＩＮＧ  ＩＮＳＴＲＵＭＥＮＴ  ＣＯＭＰＲＩＳＩＮＧ  ＭＵＬＴＩＰＬＥ  ＬＯＣＫＯＵＴＳ」、
−米国特許出願第１５／０８９，３３９号、発明の名称「ＳＵＲＧＩＣＡＬ  ＳＴＡＰＬＩＮＧ  ＩＮＳＴＲＵＭＥＮＴ」、
−米国特許出願第１５／０８９，２５３号、発明の名称「ＳＵＲＧＩＣＡＬ  ＳＴＡＰＬＩＮＧ  ＳＹＳＴＥＭ  ＣＯＮＦＩＧＵＲＥＤ  ＴＯ  ＡＰＰＬＹ  ＡＮＮＵＬＡＲ  ＲＯＷＳ  ＯＦ  ＳＴＡＰＬＥＳ  ＨＡＶＩＮＧ  ＤＩＦＦＥＲＥＮＴ  ＨＥＩＧＨＴＳ」、
−米国特許出願第１５／０８９，３０４号、発明の名称「ＳＵＲＧＩＣＡＬ  ＳＴＡＰＬＩＮＧ  ＳＹＳＴＥＭ  ＣＯＭＰＲＩＳＩＮＧ  Ａ  ＧＲＯＯＶＥＤ  ＦＯＲＭＩＮＧ  ＰＯＣＫＥＴ」、
−米国特許出願第１５／０８９，３３１号、発明の名称「ＡＮＶＩＬ  ＭＯＤＩＦＩＣＡＴＩＯＮ  ＭＥＭＢＥＲＳ  ＦＯＲ  ＳＵＲＧＩＣＡＬ  ＳＴＡＰＬＥＲＳ」、
−米国特許出願第１５／０８９，３３６号、発明の名称「ＳＴＡＰＬＥ  ＣＡＲＴＲＩＤＧＥＳ  ＷＩＴＨ  ＡＴＲＡＵＭＡＴＩＣ  ＦＥＡＴＵＲＥＳ」、
−米国特許出願第１５／０８９，３１２号、発明の名称「ＣＩＲＣＵＬＡＲ  ＳＴＡＰＬＩＮＧ  ＳＹＳＴＥＭ  ＣＯＭＰＲＩＳＩＮＧ  ＡＮ  ＩＮＣＩＳＡＢＬＥ  ＴＩＳＳＵＥ  ＳＵＰＰＯＲＴ」、
−米国特許出願第１５／０８９，３０９号、発明の名称「ＣＩＲＣＵＬＡＲ  ＳＴＡＰＬＩＮＧ  ＳＹＳＴＥＭ  ＣＯＭＰＲＩＳＩＮＧ  ＲＯＴＡＲＹ  ＦＩＲＩＮＧ  ＳＹＳＴＥＭ」、及び
−米国特許出願第１５／０８９，３４９号、発明の名称「ＣＩＲＣＵＬＡＲ  ＳＴＡＰＬＩＮＧ  ＳＹＳＴＥＭ  ＣＯＭＰＲＩＳＩＮＧ  ＬＯＡＤ  ＣＯＮＴＲＯＬ」。
【００１４】
本願の出願人はまた、２０１５年１２月３１日に出願された以下に特定される米国特許出願も所有しており、これらはそれぞれの全体内容が参照により各々本明細書に組み込まれる：
−米国特許出願第１４／９８４，４８８号、発明の名称「ＭＥＣＨＡＮＩＳＭＳ  ＦＯＲ  ＣＯＭＰＥＮＳＡＴＩＮＧ  ＦＯＲ  ＢＡＴＴＥＲＹ  ＰＡＣＫ  ＦＡＩＬＵＲＥ  ＩＮ  ＰＯＷＥＲＥＤ  ＳＵＲＧＩＣＡＬ  ＩＮＳＴＲＵＭＥＮＴＳ」、
−米国特許出願第１４／９８４，５２５号、発明の名称「ＭＥＣＨＡＮＩＳＭＳ  ＦＯＲ  ＣＯＭＰＥＮＳＡＴＩＮＧ  ＦＯＲ  ＤＲＩＶＥＴＲＡＩＮ  ＦＡＩＬＵＲＥ  ＩＮ  ＰＯＷＥＲＥＤ  ＳＵＲＧＩＣＡＬ  ＩＮＳＴＲＵＭＥＮＴＳ」、及び
−米国特許出願第１４／９８４，５５２号、発明の名称「ＳＵＲＧＩＣＡＬ  ＩＮＳＴＲＵＭＥＮＴＳ  ＷＩＴＨ  ＳＥＰＡＲＡＢＬＥ  ＭＯＴＯＲＳ  ＡＮＤ  ＭＯＴＯＲ  ＣＯＮＴＲＯＬ  ＣＩＲＣＵＩＴＳ」。
【００１５】
本願の出願人はまた、２０１６年２月９日に出願された以下に特定される米国特許出願も所有しており、これらはそれぞれの全体内容が参照により各々本明細書に組み込まれる：
−米国特許出願第１５／０１９，２２０号、発明の名称「ＳＵＲＧＩＣＡＬ  ＩＮＳＴＲＵＭＥＮＴ  ＷＩＴＨ  ＡＲＴＩＣＵＬＡＴＩＮＧ  ＡＮＤ  ＡＸＩＡＬＬＹ  ＴＲＡＮＳＬＡＴＡＢＬＥ  ＥＮＤ  ＥＦＦＥＣＴＯＲ」、
−米国特許出願第１５／０１９，２２８号、発明の名称「ＳＵＲＧＩＣＡＬ  ＩＮＳＴＲＵＭＥＮＴＳ  ＷＩＴＨ  ＭＵＬＴＩＰＬＥ  ＬＩＮＫ  ＡＲＴＩＣＵＬＡＴＩＯＮ  ＡＲＲＡＮＧＥＭＥＮＴＳ」、
−米国特許出願第１５／０１９，１９６号、発明の名称「ＳＵＲＧＩＣＡＬ  ＩＮＳＴＲＵＭＥＮＴ  ＡＲＴＩＣＵＬＡＴＩＯＮ  ＭＥＣＨＡＮＩＳＭ  ＷＩＴＨ  ＳＬＯＴＴＥＤ  ＳＥＣＯＮＤＡＲＹ  ＣＯＮＳＴＲＡＩＮＴ」、
−米国特許出願第１５／０１９，２０６号、発明の名称「ＳＵＲＧＩＣＡＬ  ＩＮＳＴＲＵＭＥＮＴＳ  ＷＩＴＨ  ＡＮ  ＥＮＤ  ＥＦＦＥＣＴＯＲ  ＴＨＡＴ  ＩＳ  ＨＩＧＨＬＹ  ＡＲＴＩＣＵＬＡＴＡＢＬＥ  ＲＥＬＡＴＩＶＥ  ＴＯ  ＡＮ  ＥＬＯＮＧＡＴＥ  ＳＨＡＦＴ  ＡＳＳＥＭＢＬＹ」、
−米国特許出願第１５／０１９，２１５号、発明の名称「ＳＵＲＧＩＣＡＬ  ＩＮＳＴＲＵＭＥＮＴＳ  ＷＩＴＨ  ＮＯＮ−ＳＹＭＭＥＴＲＩＣＡＬ  ＡＲＴＩＣＵＬＡＴＩＯＮ  ＡＲＲＡＮＧＥＭＥＮＴＳ」、
−米国特許出願第１５／０１９，２２７号、発明の名称「ＡＲＴＩＣＵＬＡＴＡＢＬＥ  ＳＵＲＧＩＣＡＬ  ＩＮＳＴＲＵＭＥＮＴＳ  ＷＩＴＨ  ＳＩＮＧＬＥ  ＡＲＴＩＣＵＬＡＴＩＯＮ  ＬＩＮＫ  ＡＲＲＡＮＧＥＭＥＮＴＳ」、
−米国特許出願第１５／０１９，２３５号、発明の名称「ＳＵＲＧＩＣＡＬ  ＩＮＳＴＲＵＭＥＮＴＳ  ＷＩＴＨ  ＴＥＮＳＩＯＮＩＮＧ  ＡＲＲＡＮＧＥＭＥＮＴＳ  ＦＯＲ  ＣＡＢＬＥ  ＤＲＩＶＥＮ  ＡＲＴＩＣＵＬＡＴＩＯＮ  ＳＹＳＴＥＭＳ」、
−米国特許出願第１５／０１９，２３０号、発明の名称「ＡＲＴＩＣＵＬＡＴＡＢＬＥ  ＳＵＲＧＩＣＡＬ  ＩＮＳＴＲＵＭＥＮＴＳ  ＷＩＴＨ  ＯＦＦ−ＡＸＩＳ  ＦＩＲＩＮＧ  ＢＥＡＭ  ＡＲＲＡＮＧＥＭＥＮＴＳ」、及び
−米国特許出願第１５／０１９，２４５号、発明の名称「ＳＵＲＧＩＣＡＬ  ＩＮＳＴＲＵＭＥＮＴＳ  ＷＩＴＨ  ＣＬＯＳＵＲＥ  ＳＴＲＯＫＥ  ＲＥＤＵＣＴＩＯＮ  ＡＲＲＡＮＧＥＭＥＮＴＳ」。
【００１６】
本願の出願人はまた、２０１６年２月１２日に出願された以下に特定される米国特許出願も所有しており、これらはそれぞれの全体内容が参照により各々本明細書に組み込まれる：
−米国特許出願第１５／０４３，２５４号、発明の名称「ＭＥＣＨＡＮＩＳＭＳ  ＦＯＲ  ＣＯＭＰＥＮＳＡＴＩＮＧ  ＦＯＲ  ＤＲＩＶＥＴＲＡＩＮ  ＦＡＩＬＵＲＥ  ＩＮ  ＰＯＷＥＲＥＤ  ＳＵＲＧＩＣＡＬ  ＩＮＳＴＲＵＭＥＮＴＳ」、
−米国特許出願第１５／０４３，２５９号、発明の名称「ＭＥＣＨＡＮＩＳＭＳ  ＦＯＲ  ＣＯＭＰＥＮＳＡＴＩＮＧ  ＦＯＲ  ＤＲＩＶＥＴＲＡＩＮ  ＦＡＩＬＵＲＥ  ＩＮ  ＰＯＷＥＲＥＤ  ＳＵＲＧＩＣＡＬ  ＩＮＳＴＲＵＭＥＮＴＳ」、
−米国特許出願第１５／０４３，２７５号、発明の名称「ＭＥＣＨＡＮＩＳＭＳ  ＦＯＲ  ＣＯＭＰＥＮＳＡＴＩＮＧ  ＦＯＲ  ＤＲＩＶＥＴＲＡＩＮ  ＦＡＩＬＵＲＥ  ＩＮ  ＰＯＷＥＲＥＤ  ＳＵＲＧＩＣＡＬ  ＩＮＳＴＲＵＭＥＮＴＳ」、及び
−米国特許出願第１５／０４３，２８９号、発明の名称「ＭＥＣＨＡＮＩＳＭＳ  ＦＯＲ  ＣＯＭＰＥＮＳＡＴＩＮＧ  ＦＯＲ  ＤＲＩＶＥＴＲＡＩＮ  ＦＡＩＬＵＲＥ  ＩＮ  ＰＯＷＥＲＥＤ  ＳＵＲＧＩＣＡＬ  ＩＮＳＴＲＵＭＥＮＴＳ」。
【００１７】
本願の出願人は、２０１５年６月１８日に出願された以下の特許出願を所有しており、これらはそれぞれの全体内容が参照により各々本明細書に組み込まれる：
−米国特許出願第１４／７４２，９２５号、発明の名称「ＳＵＲＧＩＣＡＬ  ＥＮＤ  ＥＦＦＥＣＴＯＲＳ  ＷＩＴＨ  ＰＯＳＩＴＩＶＥ  ＪＡＷ  ＯＰＥＮＩＮＧ  ＡＲＲＡＮＧＥＭＥＮＴＳ」、
−米国特許出願第１４／７４２，９４１号、発明の名称「ＳＵＲＧＩＣＡＬ  ＥＮＤ  ＥＦＦＥＣＴＯＲＳ  ＷＩＴＨ  ＤＵＡＬ  ＣＡＭ  ＡＣＴＵＡＴＥＤ  ＪＡＷ  ＣＬＯＳＩＮＧ  ＦＥＡＴＵＲＥＳ」、
−米国特許出願第１４／７４２，９１４号、発明の名称「ＭＯＶＡＢＬＥ  ＦＩＲＩＮＧ  ＢＥＡＭ  ＳＵＰＰＯＲＴ  ＡＲＲＡＮＧＥＭＥＮＴＳ  ＦＯＲ  ＡＲＴＩＣＵＬＡＴＡＢＬＥ  ＳＵＲＧＩＣＡＬ  ＩＮＳＴＲＵＭＥＮＴＳ」、
−米国特許出願第１４／７４２，９００号、発明の名称「ＡＲＴＩＣＵＬＡＴＡＢＬＥ  ＳＵＲＧＩＣＡＬ  ＩＮＳＴＲＵＭＥＮＴＳ  ＷＩＴＨ  ＣＯＭＰＯＳＩＴＥ  ＦＩＲＩＮＧ  ＢＥＡＭ  ＳＴＲＵＣＴＵＲＥＳ  ＷＩＴＨ  ＣＥＮＴＥＲ  ＦＩＲＩＮＧ  ＳＵＰＰＯＲＴ  ＭＥＭＢＥＲ  ＦＯＲ  ＡＲＴＩＣＵＬＡＴＩＯＮ  ＳＵＰＰＯＲＴ」、
−米国特許出願第１４／７４２，８８５号、発明の名称「ＤＵＡＬ  ＡＲＴＩＣＵＬＡＴＩＯＮ  ＤＲＩＶＥ  ＳＹＳＴＥＭ  ＡＲＲＡＮＧＥＭＥＮＴＳ  ＦＯＲ  ＡＲＴＩＣＵＬＡＴＡＢＬＥ  ＳＵＲＧＩＣＡＬ  ＩＮＳＴＲＵＭＥＮＴＳ」、及び
−米国特許出願第１４／７４２，８７６号、名称「ＰＵＳＨ／ＰＵＬＬ  ＡＲＴＩＣＵＬＡＴＩＯＮ  ＤＲＩＶＥ  ＳＹＳＴＥＭＳ  ＦＯＲ  ＡＲＴＩＣＵＬＡＴＡＢＬＥ  ＳＵＲＧＩＣＡＬ  ＩＮＳＴＲＵＭＥＮＴＳ」。
【００１８】
本願の出願人は、２０１５年３月６日に出願された以下の特許出願を所有しており、これらはそれぞれの全体内容が参照により各々本明細書に組み込まれる：
−米国特許出願第１４／６４０，７４６号、発明の名称「ＰＯＷＥＲＥＤ  ＳＵＲＧＩＣＡＬ  ＩＮＳＴＲＵＭＥＮＴ」、現在は米国特許出願公開第２０１６／０２５６１８４号、
−米国特許出願第１４／６４０，７９５号、発明の名称「ＭＵＬＴＩＰＬＥ  ＬＥＶＥＬ  ＴＨＲＥＳＨＯＬＤＳ  ＴＯ  ＭＯＤＩＦＹ  ＯＰＥＲＡＴＩＯＮ  ＯＦ  ＰＯＷＥＲＥＤ  ＳＵＲＧＩＣＡＬ  ＩＮＳＴＲＵＭＥＮＴＳ」、現在は米国特許出願公開第２０１６／０２５６１１８５号、
−米国特許出願第１４／６４０，８３２号、発明の名称「ＡＤＡＰＴＩＶＥ  ＴＩＳＳＵＥ  ＣＯＭＰＲＥＳＳＩＯＮ  ＴＥＣＨＮＩＱＵＥＳ  ＴＯ  ＡＤＪＵＳＴ  ＣＬＯＳＵＲＥ  ＲＡＴＥＳ  ＦＯＲ  ＭＵＬＴＩＰＬＥ  ＴＩＳＳＵＥ  ＴＹＰＥＳ」、現在は米国特許出願公開第２０１６／０２５６１５４号、
−米国特許出願第１４／６４０，９３５号、発明の名称「ＯＶＥＲＬＡＩＤ  ＭＵＬＴＩ  ＳＥＮＳＯＲ  ＲＡＤＩＯ  ＦＲＥＱＵＥＮＣＹ（ＲＦ）ＥＬＥＣＴＲＯＤＥ  ＳＹＳＴＥＭ  ＴＯ  ＭＥＡＳＵＲＥ  ＴＩＳＳＵＥ  ＣＯＭＰＲＥＳＳＩＯＮ」、現在は米国特許出願公開第２０１６／０２５６０７１号、
−米国特許出願第１４／６４０，８３１号、発明の名称「ＭＯＮＩＴＯＲＩＮＧ  ＳＰＥＥＤ  ＣＯＮＴＲＯＬ  ＡＮＤ  ＰＲＥＣＩＳＩＯＮ  ＩＮＣＲＥＭＥＮＴＩＮＧ  ＯＦ  ＭＯＴＯＲ  ＦＯＲ  ＰＯＷＥＲＥＤ  ＳＵＲＧＩＣＡＬ  ＩＮＳＴＲＵＭＥＮＴＳ」、現在は米国特許出願公開第２０１６／０２５６１５３号、
−米国特許出願第１４／６４０，８５９号、発明の名称「ＩＭＥ  ＤＥＰＥＮＤＥＮＴ  ＥＶＡＬＵＡＴＩＯＮ  ＯＦ  ＳＥＮＳＯＲ  ＤＡＴＡ  ＴＯ  ＤＥＴＥＲＭＩＮＥ  ＳＴＡＢＩＬＩＴＹ，ＣＲＥＥＰ，ＡＮＤ  ＶＩＳＣＯＥＬＡＳＴＩＣ  ＥＬＥＭＥＮＴＳ  ＯＦ  ＭＥＡＳＵＲＥＳ」、現在は米国特許出願公開第２０１６／０２５６１８７号、
−米国特許出願第１４／６４０，８１７号、発明の名称「ＩＮＴＥＲＡＣＴＩＶＥ  ＦＥＥＤＢＡＣＫ  ＳＹＳＴＥＭ  ＦＯＲ  ＰＯＷＥＲＥＤ  ＳＵＲＧＩＣＡＬ  ＩＮＳＴＲＵＭＥＮＴＳ」、現在は米国特許出願公開第２０１６／０２５６１８６号、
−米国特許出願第１４／６４０，８４４号、発明の名称「ＣＯＮＴＲＯＬ  ＴＥＣＨＮＩＱＵＥＳ  ＡＮＤ  ＳＵＢ−ＰＲＯＣＥＳＳＯＲ  ＣＯＮＴＡＩＮＥＤ  ＷＩＴＨＩＮ  ＭＯＤＵＬＡＲ  ＳＨＡＦＴ  ＷＩＴＨ  ＳＥＬＥＣＴ  ＣＯＮＴＲＯＬ  ＰＲＯＣＥＳＳＩＮＧ  ＦＲＯＭ  ＨＡＮＤＬＥ」、現在は米国特許出願公開第２０１６／０２５６１５５号、
−米国特許出願第１４／６４０，８３７号、発明の名称「ＳＭＡＲＴ  ＳＥＮＳＯＲＳ  ＷＩＴＨ  ＬＯＣＡＬ  ＳＩＧＮＡＬ  ＰＲＯＣＥＳＳＩＮＧ」、現在は米国特許出願公開第２０１６／０２５６１６３号、
−米国特許出願第１４／６４０，７６５号、発明の名称「ＳＹＳＴＥＭ  ＦＯＲ  ＤＥＴＥＣＴＩＮＧ  ＴＨＥ  ＭＩＳ−ＩＮＳＥＲＴＩＯＮ  ＯＦ  Ａ  ＳＴＡＰＬＥ  ＣＡＲＴＲＩＤＧＥ  ＩＮＴＯ  Ａ  ＳＵＲＧＩＣＡＬ  ＳＴＡＰＬＥＲ」、現在は米国特許出願公開第２０１６／０２５６１６０号、
−米国特許出願第１４／６４０，７９９号、発明の名称「ＳＩＧＮＡＬ  ＡＮＤ  ＰＯＷＥＲ  ＣＯＭＭＵＮＩＣＡＴＩＯＮ  ＳＹＳＴＥＭ  ＰＯＳＩＴＩＯＮＥＤ  ＯＮ  Ａ  ＲＯＴＡＴＡＢＬＥ  ＳＨＡＦＴ」、現在は米国特許出願公開第２０１６／０２５６１６２号、及び
−米国特許出願第１４／６４０，７８０号、発明の名称「ＳＵＲＧＩＣＡＬ  ＩＮＳＴＲＵＭＥＮＴ  ＣＯＭＰＲＩＳＩＮＧ  Ａ  ＬＯＣＫＡＢＬＥ  ＢＡＴＴＥＲＹ  ＨＯＵＳＩＮＧ」、現在は米国特許出願公開第２０１６／０２５６１６１号。
【００１９】
本願の出願人は、２０１５年２月２７日に出願された以下の特許出願を所有しており、これらはそれぞれの全体内容が参照により各々本明細書に組み込まれる：
−米国特許出願第１４／６３３，５７６号、発明の名称「ＳＵＲＧＩＣＡＬ  ＩＮＳＴＲＵＭＥＮＴ  ＳＹＳＴＥＭ  ＣＯＭＰＲＩＳＩＮＧ  ＡＮ  ＩＮＳＰＥＣＴＩＯＮ  ＳＴＡＴＩＯＮ」、現在は米国特許出願公開第２０１６／０２４９９１９号、
−米国特許出願第１４／６３３，５４６号、発明の名称「ＳＵＲＧＩＣＡＬ  ＡＰＰＡＲＡＴＵＳ  ＣＯＮＦＩＧＵＲＥＤ  ＴＯ  ＡＳＳＥＳＳ  ＷＨＥＴＨＥＲ  Ａ  ＰＥＲＦＯＲＭＡＮＣＥ  ＰＡＲＡＭＥＴＥＲ  ＯＦ  ＴＨＥ  ＳＵＲＧＩＣＡＬ  ＡＰＰＡＲＡＴＵＳ  ＩＳ  ＷＩＴＨＩＮ  ＡＮ  ＡＣＣＥＰＴＡＢＬＥ  ＰＥＲＦＯＲＭＡＮＣＥ  ＢＡＮＤ」、現在は米国特許出願公開第２０１６／０２４９９１５号、
−米国特許出願第１４／６３３，５６０号、発明の名称「ＳＵＲＧＩＣＡＬ  ＣＨＡＲＧＩＮＧ  ＳＹＳＴＥＭ  ＴＨＡＴ  ＣＨＡＲＧＥＳ  ＡＮＤ／ＯＲ  ＣＯＮＤＩＴＩＯＮＳ  ＯＮＥ  ＯＲ  ＭＯＲＥ  ＢＡＴＴＥＲＩＥＳ」、現在は米国特許出願公開第２０１６／０２４９９１０号、
−米国特許出願第１４／６３３，５６６号、発明の名称「ＣＨＡＲＧＩＮＧ  ＳＹＳＴＥＭ  ＴＨＡＴ  ＥＮＡＢＬＥＳ  ＥＭＥＲＧＥＮＣＹ  ＲＥＳＯＬＵＴＩＯＮＳ  ＦＯＲ  ＣＨＡＲＧＩＮＧ  Ａ  ＢＡＴＴＥＲＹ」、現在は米国特許出願公開第２０１６／０２４９９１８号、
−米国特許出願第１４／６３３，５５５号、発明の名称「ＳＹＳＴＥＭ  ＦＯＲ  ＭＯＮＩＴＯＲＩＮＧ  ＷＨＥＴＨＥＲ  Ａ  ＳＵＲＧＩＣＡＬ  ＩＮＳＴＲＵＭＥＮＴ  ＮＥＥＤＳ  ＴＯ  ＢＥ  ＳＥＲＶＩＣＥＤ」、現在は米国特許出願公開第２０１６／０２４９９１６号、
−米国特許出願第１４／６３３，５４２号、発明の名称「ＲＥＩＮＦＯＲＣＥＤ  ＢＡＴＴＥＲＹ  ＦＯＲ  Ａ  ＳＵＲＧＩＣＡＬ  ＩＮＳＴＲＵＭＥＮＴ」、現在は米国特許出願公開第２０１６／０２４９９０８号、
−米国特許出願第１４／６３３，５４８号、発明の名称「ＰＯＷＥＲ  ＡＤＡＰＴＥＲ  ＦＯＲ  Ａ  ＳＵＲＧＩＣＡＬ  ＩＮＳＴＲＵＭＥＮＴ」、現在は米国特許出願公開第２０１６／０２４９９０９号、
−米国特許出願第１４／６３３，５２６号、発明の名称「ＡＤＡＰＴＡＢＬＥ  ＳＵＲＧＩＣＡＬ  ＩＮＳＴＲＵＭＥＮＴ  ＨＡＮＤＬＥ」、現在は米国特許出願公開第２０１６／０２４９９４５号、
−米国特許出願第１４／６３３，５４１号、発明の名称「ＭＯＤＵＬＡＲ  ＳＴＡＰＬＩＮＧ  ＡＳＳＥＭＢＬＹ」、現在は米国特許出願公開第２０１６／０２４９９２７号、及び
−米国特許出願第１４／６３３，５６２号、発明の名称「ＳＵＲＧＩＣＡＬ  ＡＰＰＡＲＡＴＵＳ  ＣＯＮＦＩＧＵＲＥＤ  ＴＯ  ＴＲＡＣＫ  ＡＮ  ＥＮＤ−ＯＦ−ＬＩＦＥ  ＰＡＲＡＭＥＴＥＲ」、現在は米国特許出願公開第２０１６／０２４９９１７号。
【００２０】
本願の出願人は、２０１４年１２月１８日に出願された以下の特許出願を所有しており、これらはそれぞれの全体内容が参照により各々本明細書に組み込まれる：
−米国特許出願第１４／５７４，４７８号、発明の名称「ＳＵＲＧＩＣＡＬ  ＩＮＳＴＲＵＭＥＮＴ  ＳＹＳＴＥＭＳ  ＣＯＭＰＲＩＳＩＮＧ  ＡＮ  ＡＲＴＩＣＵＬＡＴＡＢＬＥ  ＥＮＤ  ＥＦＦＥＣＴＯＲ  ＡＮＤ  ＭＥＡＮＳ  ＦＯＲ  ＡＤＪＵＳＴＩＮＧ  ＴＨＥ  ＦＩＲＩＮＧ  ＳＴＲＯＫＥ  ＯＦ  Ａ  ＦＩＲＩＮＧ  ＭＥＭＢＥＲ」、現在は米国特許出願公開第２０１６／０１７４９７７号、
−米国特許出願第１４／５７４，４８３号、発明の名称「ＳＵＲＧＩＣＡＬ  ＩＮＳＴＲＵＭＥＮＴ  ＡＳＳＥＭＢＬＹ  ＣＯＭＰＲＩＳＩＮＧ  ＬＯＣＫＡＢＬＥ  ＳＹＳＴＥＭＳ」、現在は米国特許出願公開第２０１６／０１７４９６９号、
−米国特許出願第１４／５７５，１３９号、発明の名称「ＤＲＩＶＥ  ＡＲＲＡＮＧＥＭＥＮＴＳ  ＦＯＲ  ＡＲＴＩＣＵＬＡＴＡＢＬＥ  ＳＵＲＧＩＣＡＬ  ＩＮＳＴＲＵＭＥＮＴＳ」、現在は、米国特許出願公開第２０１６／０１７４９７８号、
−米国特許出願第１４／５７５，１４８号、発明の名称「ＬＯＣＫＩＮＧ  ＡＲＲＡＮＧＥＭＥＮＴＳ  ＦＯＲ  ＤＥＴＡＣＨＡＢＬＥ  ＳＨＡＦＴ  ＡＳＳＥＭＢＬＩＥＳ  ＷＩＴＨ  ＡＲＴＩＣＵＬＡＴＡＢＬＥ  ＳＵＲＧＩＣＡＬ  ＥＮＤ  ＥＦＦＥＣＴＯＲＳ」、現在は米国特許出願公開第２０１６／０１７４９７６号、
−米国特許出願第１４／５７５，１３０号、発明の名称「ＳＵＲＧＩＣＡＬ  ＩＮＳＴＲＵＭＥＮＴ  ＷＩＴＨ  ＡＮ  ＡＮＶＩＬ  ＴＨＡＴ  ＩＳ  ＳＥＬＥＣＴＩＶＥＬＹ  ＭＯＶＡＢＬＥ  ＡＢＯＵＴ  Ａ  ＤＩＳＣＲＥＴＥ  ＮＯＮ−ＭＯＶＡＢＬＥ  ＡＸＩＳ  ＲＥＬＡＴＩＶＥ  ＴＯ  Ａ  ＳＴＡＰＬＥ  ＣＡＲＴＲＩＤＧＥ」、現在は米国特許出願公開第２０１６／０１７４９７２号、
−米国特許出願第１４／５７５，１４３号、発明の名称「ＳＵＲＧＩＣＡＬ  ＩＮＳＴＲＵＭＥＮＴＳ  ＷＩＴＨ  ＩＭＰＲＯＶＥＤ  ＣＬＯＳＵＲＥ  ＡＲＲＡＮＧＥＭＥＮＴＳ」、現在は米国特許出願公開第２０１６／０１７４９８３号、
−米国特許出願第１４／５７５，１１７号、発明の名称「ＳＵＲＧＩＣＡＬ  ＩＮＳＴＲＵＭＥＮＴＳ  ＷＩＴＨ  ＡＲＴＩＣＵＬＡＴＡＢＬＥ  ＥＮＤ  ＥＦＦＥＣＴＯＲＳ  ＡＮＤ  ＭＯＶＡＢＬＥ  ＦＩＲＩＮＧ  ＢＥＡＭ  ＳＵＰＰＯＲＴ  ＡＲＲＡＮＧＥＭＥＮＴＳ」、現在は米国特許出願公開第２０１６／０１７４９７５号、
−米国特許出願第１４／５７５，１５４号、発明の名称「ＳＵＲＧＩＣＡＬ  ＩＮＳＴＲＵＭＥＮＴＳ  ＷＩＴＨ  ＡＲＴＩＣＵＬＡＴＡＢＬＥ  ＥＮＤ  ＥＦＦＥＣＴＯＲＳ  ＡＮＤ  ＩＭＰＲＯＶＥＤ  ＦＩＲＩＮＧ  ＢＥＡＭ  ＳＵＰＰＯＲＴ  ＡＲＲＡＮＧＥＭＥＮＴＳ」、現在は米国特許出願公開第２０１６／０１７４９７３号、
−米国特許出願第１４／５７４，４９３号、発明の名称「ＳＵＲＧＩＣＡＬ  ＩＮＳＴＲＵＭＥＮＴ  ＡＳＳＥＭＢＬＹ  ＣＯＭＰＲＩＳＩＮＧ  Ａ  ＦＬＥＸＩＢＬＥ  ＡＲＴＩＣＵＬＡＴＩＯＮ  ＳＹＳＴＥＭ」、現在は米国特許出願公開第２０１６／０１７４９７０号、
−米国特許出願第１４／５７４，５００号、発明の名称「ＳＵＲＧＩＣＡＬ  ＩＮＳＴＲＵＭＥＮＴ  ＡＳＳＥＭＢＬＹ  ＣＯＭＰＲＩＳＩＮＧ  Ａ  ＬＯＣＫＡＢＬＥ  ＡＲＴＩＣＵＬＡＴＩＯＮ  ＳＹＳＴＥＭ」、現在は米国特許出願公開第２０１６／０１７４９７１号。
【００２１】
本願の出願人は、２０１３年３月１日に出願された以下の特許出願を所有しており、これらはそれぞれの全体内容が参照により各々本明細書に組み込まれる：
−米国特許出願第１３／７８２，２９５号、発明の名称「ＡＲＴＩＣＵＬＡＴＡＢＬＥ  ＳＵＲＧＩＣＡＬ  ＩＮＳＴＲＵＭＥＮＴＳ  ＷＩＴＨ  ＣＯＮＤＵＣＴＩＶＥ  ＰＡＴＨＷＡＹＳ  ＦＯＲ  ＳＩＧＮＡＬ  ＣＯＭＭＵＮＩＣＡＴＩＯＮ」、現在は米国特許出願公開第２０１４／０２４６４７１号、
−米国特許出願第１３／７８２，３２３号、発明の名称「ＲＯＴＡＲＹ  ＰＯＷＥＲＥＤ  ＡＲＴＩＣＵＬＡＴＩＯＮ  ＪＯＩＮＴＳ  ＦＯＲ  ＳＵＲＧＩＣＡＬ  ＩＮＳＴＲＵＭＥＮＴＳ」、現在は米国特許出願公開第２０１４／０２４６４７２号、
−米国特許出願第１３／７８２，３３８号、発明の名称「ＴＨＵＭＢＷＨＥＥＬ  ＳＷＩＴＣＨ  ＡＲＲＡＮＧＥＭＥＮＴＳ  ＦＯＲ  ＳＵＲＧＩＣＡＬ  ＩＮＳＴＲＵＭＥＮＴＳ」、現在は米国特許出願公開第２０１４／０２４９５５７号、
−米国特許出願第１３／７８２，４９９号、発明の名称「ＥＬＥＣＴＲＯＭＥＣＨＡＮＩＣＡＬ  ＳＵＲＧＩＣＡＬ  ＤＥＶＩＣＥ  ＷＩＴＨ  ＳＩＧＮＡＬ  ＲＥＬＡＹ  ＡＲＲＡＮＧＥＭＥＮＴ」、現在は米国特許第９，３５８，００３号、
−米国特許出願第１３／７８２，４６０号、発明の名称「ＭＵＬＴＩＰＬＥ  ＰＲＯＣＥＳＳＯＲ  ＭＯＴＯＲ  ＣＯＮＴＲＯＬ  ＦＯＲ  ＭＯＤＵＬＡＲ  ＳＵＲＧＩＣＡＬ  ＩＮＳＴＲＵＭＥＮＴＳ」、現在は米国特許出願公開第２０１４／０２４６４７８号、
−米国特許出願第１３／７８２，３５８号、発明の名称「ＪＯＹＳＴＩＣＫ  ＳＷＩＴＣＨ  ＡＳＳＥＭＢＬＩＥＳ  ＦＯＲ  ＳＵＲＧＩＣＡＬ  ＩＮＳＴＲＵＭＥＮＴＳ」、現在は米国特許第９，３２６，７６７号、
−米国特許出願第１３／７８２，４８１号、発明の名称「ＳＥＮＳＯＲ  ＳＴＲＡＩＧＨＴＥＮＥＤ  ＥＮＤ  ＥＦＦＥＣＴＯＲ  ＤＵＲＩＮＧ  ＲＥＭＯＶＡＬ  ＴＨＲＯＵＧＨ  ＴＲＯＣＡＲ」、現在は米国特許第９，４６８，４３８号、
−米国特許出願第１３／７８２，５１８号、発明の名称「ＣＯＮＴＲＯＬ  ＭＥＴＨＯＤＳ  ＦＯＲ  ＳＵＲＧＩＣＡＬ  ＩＮＳＴＲＵＭＥＮＴＳ  ＷＩＴＨ  ＲＥＭＯＶＡＢＬＥ  ＩＭＰＬＥＭＥＮＴ  ＰＯＲＴＩＯＮＳ」、現在は米国特許出願公開第２０１４／０２４６４７５号、
−米国特許出願第１３／７８２，３７５号、発明の名称「ＲＯＴＡＲＹ  ＰＯＷＥＲＥＤ  ＳＵＲＧＩＣＡＬ  ＩＮＳＴＲＵＭＥＮＴＳ  ＷＩＴＨ  ＭＵＬＴＩＰＬＥ  ＤＥＧＲＥＥＳ  ＯＦ  ＦＲＥＥＤＯＭ」、現在は米国特許第９，３９８，９１１号、及び
−米国特許出願第１３／７８２，５３６号、発明の名称「ＳＵＲＧＩＣＡＬ  ＩＮＳＴＲＵＭＥＮＴ  ＳＯＦＴ  ＳＴＯＰ」、現在は米国特許第９，３０７，９８６号。
【００２２】
本願の出願人はまた、２０１３年３月１４日に出願された以下の特許出願も所有しており、これらはそれぞれの全体内容が参照により各々本明細書に組み込まれる：
−米国特許出願第１３／８０３，０９７号、発明の名称「ＡＲＴＩＣＵＬＡＴＡＢＬＥ  ＳＵＲＧＩＣＡＬ  ＩＮＳＴＲＵＭＥＮＴ  ＣＯＭＰＲＩＳＩＮＧ  Ａ  ＦＩＲＩＮＧ  ＤＲＩＶＥ」、現在は米国特許出願公開第２０１４／０２６３５４２号、
−米国特許出願第１３／８０３，１９３号、発明の名称「ＣＯＮＴＲＯＬ  ＡＲＲＡＮＧＥＭＥＮＴＳ  ＦＯＲ  Ａ  ＤＲＩＶＥ  ＭＥＭＢＥＲ  ＯＦ  Ａ  ＳＵＲＧＩＣＡＬ  ＩＮＳＴＲＵＭＥＮＴ」、現在は米国特許第９，３３２，９８７号、
−米国特許出願第１３／８０３，０５３号、発明の名称「ＩＮＴＥＲＣＨＡＮＧＥＡＢＬＥ  ＳＨＡＦＴ  ＡＳＳＥＭＢＬＩＥＳ  ＦＯＲ  ＵＳＥ  ＷＩＴＨ  Ａ  ＳＵＲＧＩＣＡＬ  ＩＮＳＴＲＵＭＥＮＴ」、現在は米国特許出願公開第２０１４／０２６３５６４号、
−米国特許出願第１３／８０３，０８６号、発明の名称「ＡＲＴＩＣＵＬＡＴＡＢＬＥ  ＳＵＲＧＩＣＡＬ  ＩＮＳＴＲＵＭＥＮＴ  ＣＯＭＰＲＩＳＩＮＧ  ＡＮ  ＡＲＴＩＣＵＬＡＴＩＯＮ  ＬＯＣＫ」、現在は米国特許出願公開第２０１４／０２６３５４１号、
−米国特許出願第１３／８０３，２１０号、発明の名称「ＳＥＮＳＯＲ  ＡＲＲＡＮＧＥＭＥＮＴＳ  ＦＯＲ  ＡＢＳＯＬＵＴＥ  ＰＯＳＩＴＩＯＮＩＮＧ  ＳＹＳＴＥＭ  ＦＯＲ  ＳＵＲＧＩＣＡＬ  ＩＮＳＴＲＵＭＥＮＴＳ」、現在は米国特許出願公開第２０１４／０２６３５３８号、
−米国特許出願第１３／８０３，１４８号、発明の名称「ＭＵＬＴＩ−ＦＵＮＣＴＩＯＮ  ＭＯＴＯＲ  ＦＯＲ  Ａ  ＳＵＲＧＩＣＡＬ  ＩＮＳＴＲＵＭＥＮＴ」、現在は米国特許出願公開第２０１４／０２６３５５４号、
−米国特許出願第１３／８０３，０６６号、発明の名称「ＤＲＩＶＥ  ＳＹＳＴＥＭ  ＬＯＣＫＯＵＴ  ＡＲＲＡＮＧＥＭＥＮＴＳ  ＦＯＲ  ＭＯＤＵＬＡＲ  ＳＵＲＧＩＣＡＬ  ＩＮＳＴＲＵＭＥＮＴＳ」、現在は米国特許出願公開第２０１４／０２６３５６５号、
米国特許出願第１３／８０３，１１７号、発明の名称「ＡＲＴＩＣＵＬＡＴＩＯＮ  ＣＯＮＴＲＯＬ  ＳＹＳＴＥＭ  ＦＯＲ  ＡＲＴＩＣＵＬＡＴＡＢＬＥ  ＳＵＲＧＩＣＡＬ  ＩＮＳＴＲＵＭＥＮＴＳ」、現在は米国特許第９，３５１，７２６号、
−米国特許出願第１３／８０３，１３０号、発明の名称「ＤＲＩＶＥ  ＴＲＡＩＮ  ＣＯＮＴＲＯＬ  ＡＲＲＡＮＧＥＭＥＮＴＳ  ＦＯＲ  ＭＯＤＵＬＡＲ  ＳＵＲＧＩＣＡＬ  ＩＮＳＴＲＵＭＥＮＴＳ」、現在は米国特許第９，３５１，７２７号、及び
−米国特許出願第１３／８０３，１５９号、発明の名称「ＭＥＴＨＯＤ  ＡＮＤ  ＳＹＳＴＥＭ  ＦＯＲ  ＯＰＥＲＡＴＩＮＧ  Ａ  ＳＵＲＧＩＣＡＬ  ＩＮＳＴＲＵＭＥＮＴ」、現在は米国特許出願公開第２０１４／０２７７０１７号。
【００２３】
本願の出願人はまた、２０１４年３月７日に出願された以下の特許出願を所有しており、その全体内容が参照により本明細書に組み込まれる：
−米国特許出願第１４／２００，１１１号、発明の名称「ＣＯＮＴＲＯＬ  ＳＹＳＴＥＭＳ  ＦＯＲ  ＳＵＲＧＩＣＡＬ  ＩＮＳＴＲＵＭＥＮＴＳ」、現在は米国特許出願公開第２０１４／０２６３５３９号。
【００２４】
本願の出願人はまた、２０１４年３月２６日に出願された以下の特許出願も所有しており、これらはそれぞれの全体内容が参照により各々本明細書に組み込まれる：
−米国特許出願第１４／２２６，１０６号、発明の名称「ＰＯＷＥＲ  ＭＡＮＡＧＥＭＥＮＴ  ＣＯＮＴＲＯＬ  ＳＹＳＴＥＭＳ  ＦＯＲ  ＳＵＲＧＩＣＡＬ  ＩＮＳＴＲＵＭＥＮＴＳ」、現在は米国特許出願公開第２０１５／０２７２５８２号、
−米国特許出願第１４／２２６，０９９号、発明の名称「ＳＴＥＲＩＬＩＺＡＴＩＯＮ  ＶＥＲＩＦＩＣＡＴＩＯＮ  ＣＩＲＣＵＩＴ」、現在は米国特許出願公開第２０１５／０２７２５８１号、
−米国特許出願第１４／２２６，０９４号、発明の名称「ＶＥＲＩＦＩＣＡＴＩＯＮ  ＯＦ  ＮＵＭＢＥＲ  ＯＦ  ＢＡＴＴＥＲＹ  ＥＸＣＨＡＮＧＥＳ／ＰＲＯＣＥＤＵＲＥ  ＣＯＵＮＴ」、現在は米国特許出願公開第２０１５／０２７２５８０号、
−米国特許出願第１４／２２６，１１７号、発明の名称「ＰＯＷＥＲ  ＭＡＮＡＧＥＭＥＮＴ  ＴＨＲＯＵＧＨ  ＳＬＥＥＰ  ＯＰＴＩＯＮＳ  ＯＦ  ＳＥＧＭＥＮＴＥＤ  ＣＩＲＣＵＩＴ  ＡＮＤ  ＷＡＫＥ  ＵＰ  ＣＯＮＴＲＯＬ」、現在は米国特許出願公開第２０１５／０２７２５７４号、
−米国特許出願第１４／２２６，０７５号、発明の名称「ＭＯＤＵＬＡＲ  ＰＯＷＥＲＥＤ  ＳＵＲＧＩＣＡＬ  ＩＮＳＴＲＵＭＥＮＴ  ＷＩＴＨ  ＤＥＴＡＣＨＡＢＬＥ  ＳＨＡＦＴ  ＡＳＳＥＭＢＬＩＥＳ」、現在は米国特許出願公開第２０１５／０２７２５７９号、
−米国特許出願第１４／２２６，０９３号、発明の名称「ＦＥＥＤＢＡＣＫ  ＡＬＧＯＲＩＴＨＭＳ  ＦＯＲ  ＭＡＮＵＡＬ  ＢＡＩＬＯＵＴ  ＳＹＳＴＥＭＳ  ＦＯＲ  ＳＵＲＧＩＣＡＬ  ＩＮＳＴＲＵＭＥＮＴＳ」、現在は米国特許出願公開第２０１５／０２７２５６９号、
−米国特許出願第１４／２２６，１１６号、発明の名称「ＳＵＲＧＩＣＡＬ  ＩＮＳＴＲＵＭＥＮＴ  ＵＴＩＬＩＺＩＮＧ  ＳＥＮＳＯＲ  ＡＤＡＰＴＡＴＩＯＮ」、現在は米国特許出願公開第２０１５／０２７２５７１号、
−米国特許出願第１４／２２６，０７１号、発明の名称「ＳＵＲＧＩＣＡＬ  ＩＮＳＴＲＵＭＥＮＴ  ＣＯＮＴＲＯＬ  ＣＩＲＣＵＩＴ  ＨＡＶＩＮＧ  Ａ  ＳＡＦＥＴＹ  ＰＲＯＣＥＳＳＯＲ」、現在は米国特許出願公開第２０１５／０２７２５７８号、
−米国特許出願第１４／２２６，０９７号、発明の名称「ＳＵＲＧＩＣＡＬ  ＩＮＳＴＲＵＭＥＮＴ  ＣＯＭＰＲＩＳＩＮＧ  ＩＮＴＥＲＡＣＴＩＶＥ  ＳＹＳＴＥＭＳ」、現在は米国特許出願公開第２０１５／０２７２５７０号、
−米国特許出願第１４／２２６，１２６号、発明の名称「ＩＮＴＥＲＦＡＣＥ  ＳＹＳＴＥＭＳ  ＦＯＲ  ＵＳＥ  ＷＩＴＨ  ＳＵＲＧＩＣＡＬ  ＩＮＳＴＲＵＭＥＮＴＳ」、現在は米国特許出願公開第２０１５／０２７２５７２号、
−米国特許出願第１４／２２６，１３３号、発明の名称「ＭＯＤＵＬＡＲ  ＳＵＲＧＩＣＡＬ  ＩＮＳＴＲＵＭＥＮＴ  ＳＹＳＴＥＭ」、現在は米国特許出願公開第２０１５／０２７２５５７号、
−米国特許出願第１４／２２６，０８１号、発明の名称「ＳＹＳＴＥＭＳ  ＡＮＤ  ＭＥＴＨＯＤＳ  ＦＯＲ  ＣＯＮＴＲＯＬＬＩＮＧ  Ａ  ＳＥＧＭＥＮＴＥＤ  ＣＩＲＣＵＩＴ」、現在は米国特許出願公開第２０１５／０２７７４７１号、
−米国特許出願第１４／２２６，０７６号、発明の名称「ＰＯＷＥＲ  ＭＡＮＡＧＥＭＥＮＴ  ＴＨＲＯＵＧＨ  ＳＥＧＭＥＮＴＥＤ  ＣＩＲＣＵＩＴ  ＡＮＤ  ＶＡＲＩＡＢＬＥ  ＶＯＬＴＡＧＥ  ＰＲＯＴＥＣＴＩＯＮ」、現在は米国特許出願公開第２０１５／０２８０４２４号、
−米国特許出願第１４／２２６，１１１号、発明の名称「ＳＵＲＧＩＣＡＬ  ＳＴＡＰＬＩＮＧ  ＩＮＳＴＲＵＭＥＮＴ  ＳＹＳＴＥＭ」、現在は米国特許出願公開第２０１５／０２７２５８３号、及び
−米国特許出願第１４／２２６，１２５号、発明の名称「ＳＵＲＧＩＣＡＬ  ＩＮＳＴＲＵＭＥＮＴ  ＣＯＭＰＲＩＳＩＮＧ  Ａ  ＲＯＴＡＴＡＢＬＥ  ＳＨＡＦＴ」、現在は米国特許出願公開第２０１５／０２８０３８４号。
【００２５】
本願の出願人はまた、２０１４年９月５日に出願された以下の特許出願も所有しており、これらはそれぞれの全体内容が参照により各々本明細書に組み込まれる：
−米国特許出願第１４／４７９，１０３号、発明の名称「ＣＩＲＣＵＩＴＲＹ  ＡＮＤ  ＳＥＮＳＯＲＳ  ＦＯＲ  ＰＯＷＥＲＥＤ  ＭＥＤＩＣＡＬ  ＤＥＶＩＣＥ」、現在は米国特許出願公開第２０１６／００６６９１２号、
−米国特許出願第１４／４７９，１１９号、発明の名称「ＡＤＪＵＮＣＴ  ＷＩＴＨ  ＩＮＴＥＧＲＡＴＥＤ  ＳＥＮＳＯＲＳ  ＴＯ  ＱＵＡＮＴＩＦＹ  ＴＩＳＳＵＥ  ＣＯＭＰＲＥＳＳＩＯＮ」、現在は米国特許出願公開第２０１６／００６６９１４号、
−米国特許出願第１４／４７８，９０８号、発明の名称「ＭＯＮＩＴＯＲＩＮＧ  ＤＥＶＩＣＥ  ＤＥＧＲＡＤＡＴＩＯＮ  ＢＡＳＥＤ  ＯＮ  ＣＯＭＰＯＮＥＮＴ  ＥＶＡＬＵＡＴＩＯＮ」、現在は米国特許出願公開第２０１６／００６６９１０号、
−米国特許出願第１４／４７８，８９５号、発明の名称「ＭＵＬＴＩＰＬＥ  ＳＥＮＳＯＲＳ  ＷＩＴＨ  ＯＮＥ  ＳＥＮＳＯＲ  ＡＦＦＥＣＴＩＮＧ  Ａ  ＳＥＣＯＮＤ  ＳＥＮＳＯＲ’Ｓ  ＯＵＴＰＵＴ  ＯＲ  ＩＮＴＥＲＰＲＥＴＡＴＩＯＮ」、現在は米国特許出願公開第２０１６／００６６９０９号、
−米国特許出願第１４／４７９，１１０号、発明の名称「ＰＯＬＡＲＩＴＹ  ＯＦ  ＨＡＬＬ  ＭＡＧＮＥＴ  ＴＯ  ＤＥＴＥＣＴ  ＭＩＳＬＯＡＤＥＤ  ＣＡＲＴＲＩＤＧＥ」、現在は米国特許出願公開第２０１６／００６６９１５号、
−米国特許出願第１４／４７９，０９８号、発明の名称「ＳＭＡＲＴ  ＣＡＲＴＲＩＤＧＥ  ＷＡＫＥ  ＵＰ  ＯＰＥＲＡＴＩＯＮ  ＡＮＤ  ＤＡＴＡ  ＲＥＴＥＮＴＩＯＮ」、現在は米国特許出願公開第２０１６／００６６９１１号、
−米国特許出願第１４／４７９，１１５号、発明の名称「ＭＵＬＴＩＰＬＥ  ＭＯＴＯＲ  ＣＯＮＴＲＯＬ  ＦＯＲ  ＰＯＷＥＲＥＤ  ＭＥＤＩＣＡＬ  ＤＥＶＩＣＥ」、現在は米国特許出願公開第２０１６／００６６９１６号、及び
−米国特許出願第１４／４７９，１０８号、発明の名称「ＬＯＣＡＬ  ＤＩＳＰＬＡＹ  ＯＦ  ＴＩＳＳＵＥ  ＰＡＲＡＭＥＴＥＲ  ＳＴＡＢＩＬＩＺＡＴＩＯＮ」、現在は米国特許出願公開第２０１６／００６６９１３号。
【００２６】
本願の出願人はまた、２０１４年４月９日に出願された以下の特許出願も所有しており、これらはそれぞれの全体内容が参照により各々本明細書に組み込まれる：
−米国特許出願第１４／２４８，５９０号、発明の名称「ＭＯＴＯＲ  ＤＲＩＶＥＮ  ＳＵＲＧＩＣＡＬ  ＩＮＳＴＲＵＭＥＮＴＳ  ＷＩＴＨ  ＬＯＣＫＡＢＬＥ  ＤＵＡＬ  ＤＲＩＶＥ  ＳＨＡＦＴＳ」、現在は米国特許出願公開第２０１４／０３０５９８７号、
−米国特許出願第１４／２４８，５８１号、発明の名称「ＳＵＲＧＩＣＡＬ  ＩＮＳＴＲＵＭＥＮＴ  ＣＯＭＰＲＩＳＩＮＧ  Ａ  ＣＬＯＳＩＮＧ  ＤＲＩＶＥ  ＡＮＤ  Ａ  ＦＩＲＩＮＧ  ＤＲＩＶＥ  ＯＰＥＲＡＴＥＤ  ＦＲＯＭ  ＴＨＥ  ＳＡＭＥ  ＲＯＴＡＴＡＢＬＥ  ＯＵＴＰＵＴ」、現在は米国特許出願公開第２０１４／０３０５９８９号、
−米国特許出願第１４／２４８，５９５号、発明の名称「ＳＵＲＧＩＣＡＬ  ＩＮＳＴＲＵＭＥＮＴ  ＳＨＡＦＴ  ＩＮＣＬＵＤＩＮＧ  ＳＷＩＴＣＨＥＳ  ＦＯＲ  ＣＯＮＴＲＯＬＬＩＮＧ  ＴＨＥ  ＯＰＥＲＡＴＩＯＮ  ＯＦ  ＴＨＥ  ＳＵＲＧＩＣＡＬ  ＩＮＳＴＲＵＭＥＮＴ」、現在は米国特許出願公開第２０１４／０３０５９８８号、
−米国特許出願第１４／２４８，５８８号、発明の名称「ＰＯＷＥＲＥＤ  ＬＩＮＥＡＲ  ＳＵＲＧＩＣＡＬ  ＳＴＡＰＬＥＲ」、現在は米国特許出願公開第２０１４／０３０９６６６号、
−米国特許出願第１４／２４８，５９１号、発明の名称「ＴＲＡＮＳＭＩＳＳＩＯＮ  ＡＲＲＡＮＧＥＭＥＮＴ  ＦＯＲ  Ａ  ＳＵＲＧＩＣＡＬ  ＩＮＳＴＲＵＭＥＮＴ」、現在は米国特許出願公開第２０１４／０３０５９９１号、
−米国特許出願第１４／２４８，５８４号、発明の名称「ＭＯＤＵＬＡＲ  ＭＯＴＯＲ  ＤＲＩＶＥＮ  ＳＵＲＧＩＣＡＬ  ＩＮＳＴＲＵＭＥＮＴＳ  ＷＩＴＨ  ＡＬＩＧＮＭＥＮＴ  ＦＥＡＴＵＲＥＳ  ＦＯＲ  ＡＬＩＧＮＩＮＧ  ＲＯＴＡＲＹ  ＤＲＩＶＥ  ＳＨＡＦＴＳ  ＷＩＴＨ  ＳＵＲＧＩＣＡＬ  ＥＮＤ  ＥＦＦＥＣＴＯＲ  ＳＨＡＦＴＳ」、現在は米国特許出願公開第２０１４／０３０５９９４号、
−米国特許出願第１４／２４８，５８７号、発明の名称「ＰＯＷＥＲＥＤ  ＳＵＲＧＩＣＡＬ  ＳＴＡＰＬＥＲ」、現在は米国特許出願公開第２０１４／０３０９６６５号、
−米国特許出願第１４／２４８，５８６号、発明の名称「ＤＲＩＶＥ  ＳＹＳＴＥＭ  ＤＥＣＯＵＰＬＩＮＧ  ＡＲＲＡＮＧＥＭＥＮＴ  ＦＯＲ  Ａ  ＳＵＲＧＩＣＡＬ  ＩＮＳＴＲＵＭＥＮＴ」、現在は米国特許出願公開第２０１４／０３０５９９０号、及び
−米国特許出願第１４／２４８，６０７号、発明の名称「ＭＯＤＵＬＡＲ  ＭＯＴＯＲ  ＤＲＩＶＥＮ  ＳＵＲＧＩＣＡＬ  ＩＮＳＴＲＵＭＥＮＴＳ  ＷＩＴＨ  ＳＴＡＴＵＳ  ＩＮＤＩＣＡＴＩＯＮ  ＡＲＲＡＮＧＥＭＥＮＴＳ」、現在は米国特許出願公開第２０１４／０３０５９９２号。
【００２７】
本願の出願人はまた、２０１３年４月１６日に出願された以下の特許出願も所有しており、これらはそれぞれの全体内容が参照により各々本明細書に組み込まれる：
−米国仮特許出願第６１／８１２，３６５号、発明の名称「ＳＵＲＧＩＣＡＬ  ＩＮＳＴＲＵＭＥＮＴ  ＷＩＴＨ  ＭＵＬＴＩＰＬＥ  ＦＵＮＣＴＩＯＮＳ  ＰＥＲＦＯＲＭＥＤ  ＢＹ  Ａ  ＳＩＮＧＬＥ  ＭＯＴＯＲ」、
−米国仮特許出願第６１／８１２，３７６号、発明の名称「ＬＩＮＥＡＲ  ＣＵＴＴＥＲ  ＷＩＴＨ  ＰＯＷＥＲ」、
−米国仮特許出願第６１／８１２，３８２号、発明の名称「ＬＩＮＥＡＲ  ＣＵＴＴＥＲ  ＷＩＴＨ  ＭＯＴＯＲ  ＡＮＤ  ＰＩＳＴＯＬ  ＧＲＩＰ」、
−米国仮特許出願第６１／８１２，３８５号、発明の名称「ＳＵＲＧＩＣＡＬ  ＩＮＳＴＲＵＭＥＮＴ  ＨＡＮＤＬＥ  ＷＩＴＨ  ＭＵＬＴＩＰＬＥ  ＡＣＴＵＡＴＩＯＮ  ＭＯＴＯＲＳ  ＡＮＤ  ＭＯＴＯＲ  ＣＯＮＴＲＯＬ」、及び
−米国仮特許出願第６１／８１２，３７２号、発明の名称「ＳＵＲＧＩＣＡＬ  ＩＮＳＴＲＵＭＥＮＴ  ＷＩＴＨ  ＭＵＬＴＩＰＬＥ  ＦＵＮＣＴＩＯＮＳ  ＰＥＲＦＯＲＭＥＤ  ＢＹ  Ａ  ＳＩＮＧＬＥ  ＭＯＴＯＲ」。
【００２８】
本願の出願人は、２０１５年８月２６日に出願された以下の米国特許出願を所有しており、これらはそれぞれの全体内容が参照により各々本明細書に組み込まれる：
−米国特許出願第１４／８３６，３２４号、発明の名称「ＳＵＲＧＩＣＡＬ  ＳＴＡＰＬＥＳ  ＦＯＲ  ＭＩＮＩＭＩＺＩＮＧ  ＳＴＡＰＬＥ  ＲＯＬＬ」、
−米国特許出願第１４／８３６，４１１号、発明の名称「ＳＵＲＧＩＣＡＬ  ＳＴＡＰＬＥＳ  ＣＯＭＰＲＩＳＩＮＧ  ＨＡＲＤＮＥＳＳ  ＶＡＲＩＡＴＩＯＮＳ  ＦＯＲ  ＩＭＰＲＯＶＥＤ  ＦＡＳＴＥＮＩＮＧ  ＯＦ  ＴＩＳＳＵＥ」、
−米国特許出願第１４／８３６，０５８号、発明の名称「ＳＵＲＧＩＣＡＬ  ＳＴＡＰＬＥ  ＳＴＲＩＰＳ  ＦＯＲ  ＰＥＲＭＩＴＴＩＮＧ  ＶＡＲＹＩＮＧ  ＳＴＡＰＬＥ  ＰＲＯＰＥＲＴＩＥＳ  ＡＮＤ  ＥＮＡＢＬＩＮＧ  ＥＡＳＹ  ＣＡＲＴＲＩＤＧＥ  ＬＯＡＤＩＮＧ」、
−米国特許出願第１４／８３６，１１０号、発明の名称「ＳＵＲＧＩＣＡＬ  ＳＴＡＰＬＩＮＧ  ＣＯＮＦＩＧＵＲＡＴＩＯＮＳ  ＦＯＲ  ＣＵＲＶＥＤ  ＡＮＤ  ＣＩＲＣＵＬＡＲ  ＳＴＡＰＬＩＮＧ  ＩＮＳＴＲＵＭＥＮＴＳ」、
−米国特許出願第１４／８３６，０３６号、発明の名称「ＳＴＡＰＬＥ  ＣＡＲＴＲＩＤＧＥ  ＡＳＳＥＭＢＬＹ  ＷＩＴＨＯＵＴ  Ａ  ＢＯＴＴＯＭ  ＣＯＶＥＲ」、
−米国特許出願第１４／８３６，０７７号、発明の名称「ＳＴＡＰＬＥ  ＣＡＲＴＲＩＤＧＥ  ＡＳＳＥＭＢＬＹ  ＣＯＭＰＲＩＳＩＮＧ  ＳＴＡＰＬＥ  ＣＡＶＩＴＩＥＳ  ＦＯＲ  ＰＲＯＶＩＤＩＮＧ  ＢＥＴＴＥＲ  ＳＴＡＰＬＥ  ＧＵＩＤＡＮＣＥ」、
米国特許出願第１４／８３６，２２５号、発明の名称「ＳＴＡＰＬＥ  ＣＡＲＴＲＩＤＧＥ  ＡＳＳＥＭＢＬＹ  ＩＮＣＬＵＤＩＮＧ  ＳＴＡＰＬＥ  ＧＵＩＤＥＳ」、
−米国特許出願第１４／８３６，３５１号、発明の名称「ＳＴＡＰＬＥ  ＣＡＲＴＲＩＤＧＥ  ＡＳＳＥＭＢＬＹ  ＣＯＭＰＲＩＳＩＮＧ  ＳＴＡＰＬＥ  ＡＬＩＧＮＭＥＮＴ  ＦＥＡＴＵＲＥＳ  ＯＮ  Ａ  ＦＩＲＩＮＧ  ＭＥＭＢＥＲ」、
−米国特許出願第１４／８３６，１６３号、発明の名称「ＳＴＡＰＬＥ  ＣＡＲＴＲＩＤＧＥ  ＡＳＳＥＭＢＬＹ  ＣＯＭＰＲＩＳＩＮＧ  ＶＡＲＩＯＵＳ  ＴＩＳＳＵＥ  ＣＯＭＰＲＥＳＳＩＯＮ  ＧＡＰＳ  ＡＮＤ  ＳＴＡＰＬＥ  ＦＯＲＭＩＮＧ  ＧＡＰＳ」、
−米国特許出願第１４／８３６，２９４号、発明の名称「ＳＴＡＰＬＥＳ  ＣＯＮＦＩＧＵＲＥＤ  ＴＯ  ＳＵＰＰＯＲＴ  ＡＮ  ＩＭＰＬＡＮＴＡＢＬＥ  ＡＤＪＵＮＣＴ」、
−米国特許出願第１４／８３６，３７５号、発明の名称「ＳＴＡＰＬＥＳ  ＣＯＭＰＲＩＳＩＮＧ  Ａ  ＣＯＶＥＲ」、
−米国特許出願第１４／８３６，１３７号、発明の名称「ＳＴＡＰＬＥ  ＣＡＲＴＲＩＤＧＥ  ＡＳＳＥＭＢＬＹ  ＩＮＣＬＵＤＩＮＧ  ＦＥＡＴＵＲＥＳ  ＦＯＲ  ＣＯＮＴＲＯＬＬＩＮＧ  ＴＨＥ  ＲＯＴＡＴＩＯＮ  ＯＦ  ＳＴＡＰＬＥＳ  ＷＨＥＮ  ＢＥＩＮＧ  ＥＪＥＣＴＥＤ  ＴＨＥＲＥＦＲＯＭ」、及び
−米国特許出願第１４／８３６，０２０号、発明の名称「ＳＵＲＧＩＣＡＬ  ＳＴＡＰＬＥＳ  ＣＯＭＰＲＩＳＩＮＧ  ＦＥＡＴＵＲＥＳ  ＦＯＲ  ＩＭＰＲＯＶＥＤ  ＦＡＳＴＥＮＩＮＧ  ＯＦ  ＴＩＳＳＵＥ」。
【００２９】
本願の出願人はまた、２０１３年１２月２３日に出願された以下の特許出願も所有しており、これらはそれぞれの全体内容が参照により各々本明細書に組み込まれる：
−米国特許出願第１４／１３８，５５４号、発明の名称「Ｓｕｒｇｉｃａｌ  Ｉｎｓｔｒｕｍｅｎｔｓ  Ｗｉｔｈ  Ａｒｔｉｃｕｌａｔａｂｌｅ  Ｓｈａｆｔ  Ａｒｒａｎｇｅｍｅｎｔｓ」、現在は、米国特許出願公開第２０１５／０１７３７８９号、
−米国特許出願第１４／１３８，４６５号、発明の名称「ＳＵＲＧＩＣＡＬ  ＳＴＡＰＬＥＳ  ＡＮＤ  ＳＴＡＰＬＥ  ＣＡＲＴＲＩＤＧＥＳ」、現在は、米国特許出願公開第２０１５／０１７３７４４号、
−米国特許出願第１４／１３８，４７４号、発明の名称「Ａｒｔｉｃｕｌａｔａｂｌｅ  Ｓｕｒｇｉｃａｌ  Ｉｎｓｔｒｕｍｅｎｔｓ  Ｗｉｔｈ  Ｓｅｐａｒａｔｅ  ａｎｄ  Ｄｉｓｔｉｎｃｔ  Ｃｌｏｓｉｎｇ  ａｎｄ  Ｆｉｒｉｎｇ  Ｓｙｓｔｅｍｓ」、現在は、米国特許出願公開第２０１５／０１７３７４５号、
−米国特許出願第１４／１３８，４８５号、発明の名称「Ｓｕｒｇｉｃａｌ  Ｃｕｔｔｉｎｇ  ａｎｄ  Ｓｔａｐｌｉｎｇ  Ｉｎｓｔｒｕｍｅｎｔｓ  Ｗｉｔｈ  Ｉｎｄｅｐｅｎｄｅｎｔ  Ｊａｗ  Ｃｏｎｔｒｏｌ  Ｆｅａｔｕｒｅｓ」、現在は、米国特許出願公開第２０１５／０１７３７４６号、
−米国特許出願第１４／１３８，４７５号、発明の名称「ＳＵＲＧＩＣＡＬ  ＳＴＡＰＬＥＳ  ＡＮＤ  ＳＴＡＰＬＥ  ＣＡＲＴＲＩＤＧＥＳ」、現在は、米国特許出願公開第２０１５／０１７３７４９号、
−米国特許出願第１４／１３８，４８１号、発明の名称「ＳＵＲＧＩＣＡＬ  ＳＴＡＰＬＥＳ  ＡＮＤ  ＭＥＴＨＯＤＳ  ＦＯＲ  ＭＡＫＩＮＧ  ＴＨＥ  ＳＡＭＥ」、現在は、米国特許出願公開第２０１５／０１７３７５０号、
−米国特許出願第１４／１３８，４８９号、発明の名称「ＳＵＲＧＩＣＡＬ  ＳＴＡＰＬＥＳ，ＳＴＡＰＬＥ  ＣＡＲＴＲＩＤＧＥＳ  ＡＮＤ  ＳＵＲＧＩＣＡＬ  ＥＮＤ  ＥＦＦＥＣＴＯＲＳ」、現在は、米国特許出願公開第２０１５／０１７３７５１号、
−米国意匠出願第２９／４７７，４８８号、発明の名称「ＳＵＲＧＩＣＡＬ  ＦＡＳＴＥＮＥＲ」、
−米国特許出願第１４／１３８，５０５号、発明の名称「ＦＡＳＴＥＮＥＲ  ＣＡＲＴＲＩＤＧＥ  ＣＯＭＰＲＩＳＩＮＧ  ＡＮ  ＥＸＴＥＮＤＡＢＬＥ  ＦＩＲＩＮＧ  ＭＥＭＢＥＲ」、現在は、米国特許出願公開第２０１５／０１７３７６０号、
−米国特許出願第１４／１３８，５１８号、発明の名称「ＦＡＳＴＥＮＥＲ  ＣＡＲＴＲＩＤＧＥ  ＣＯＭＰＲＩＳＩＮＧ  Ａ  ＦＩＲＩＮＧ  ＭＥＭＢＥＲ  ＣＯＮＦＩＧＵＲＥＤ  ＴＯ  ＤＩＲＥＣＴＬＹ  ＥＮＧＡＧＥ  ＡＮＤ  ＥＪＥＣＴ  ＦＡＳＴＥＮＥＲＳ  ＦＲＯＭ  ＴＨＥ  ＦＡＳＴＥＮＥＲ  ＣＡＲＴＲＩＤＧＥ」、現在は、米国特許出願公開第２０１５／０１７３７６１号、
−米国特許出願第１４／１３８，５３０号、発明の名称「ＦＡＳＴＥＮＥＲ  ＣＡＲＴＲＩＤＧＥ  ＣＯＭＰＲＩＳＩＮＧ  Ａ  ＦＩＲＩＮＧ  ＭＥＭＢＥＲ  ＩＮＣＬＵＤＩＮＧ  ＦＡＳＴＥＮＥＲ  ＴＲＡＮＳＦＥＲ  ＳＵＲＦＡＣＥＳ」、現在は、米国特許出願公開第２０１５／０１７３７６２号、
−米国特許出願第１４／１３８，５０７号、発明の名称「ＭＯＤＵＬＡＲ  ＳＵＲＧＩＣＡＬ  ＩＮＳＴＲＵＭＥＮＴＳ」、現在は、米国特許出願公開第２０１５／０１７３７４７号、
−米国特許出願第１４／１３８，４９７号、発明の名称「Ｓｕｒｇｉｃａｌ  Ｃｕｔｔｉｎｇ  ａｎｄ  Ｓｔａｐｌｉｎｇ  Ｉｎｓｔｒｕｍｅｎｔｓ  Ｗｉｔｈ  Ａｒｔｉｃｕｌａｔａｂｌｅ  Ｅｎｄ  Ｅｆｆｅｃｔｏｒｓ」、現在は、米国特許出願公開第２０１５／０１７３７５５号、及び
−米国特許出願第１４／１３８，５１６号、発明の名称「ＳＵＲＧＩＣＡＬ  ＣＵＴＴＩＮＧ  ＡＮＤ  ＳＴＡＰＬＩＮＧ  ＭＥＴＨＯＤＳ」、現在は、米国特許出願公開第２０１５／０１７３７５６号。
【００３０】
明細書に記載され、添付の図面に示されるように、実施形態の全体的な構造、機能、製造、及び使用の完全な理解を提供するために、多数の具体的な詳細が説明される。周知の動作、構成要素、及び素子は、本明細書に記載される実施形態を不明瞭にしないようにするため詳細に記載されていない。読者は、本明細書に記載され図示された実施形態は非限定的な例であり、したがって本明細書に開示された特定の構造的及び機能的詳細は代表的及び例示的であり得ることを、理解するであろう。特許請求の範囲から逸脱することなく、それに対する変形及び変更を行うことができる。
【００３１】
用語「備える（comprise）」（「ｃｏｍｐｒｉｓｅｓ」及び「ｃｏｍｐｒｉｓｉｎｇ」など、ｃｏｍｐｒｉｓｅの任意の語形）、「有する（have）」（「ｈａｓ」及び「ｈａｖｉｎｇ」など、ｈａｖｅの任意の語形）、「含む（include）」（「ｉｎｃｌｕｄｅｓ」及び「ｉｎｃｌｕｄｉｎｇ」など、ｉｎｃｌｕｄｅの任意の語形）、及び「含有する（contain）」（「ｃｏｎｔａｉｎｓ」及び「ｃｏｎｔａｉｎｉｎｇ」など、ｃｏｎｔａｉｎの任意の語形）は、オープンエンドの連結動詞である。結果として、１つ若しくは２つ以上の素子を「備える」、「有する」、「含む」、若しくは「含有する」外科用システム、デバイス、又は装置は、それらの１つ又は２つ以上の素子を有するが、それらの１つ又は２つ以上のみを有することに限定されない。同様に、１つ若しくは２つ以上の特徴を「備える」、「有する」、「含む」、若しくは「含有する」、システム、デバイス、又は装置の素子は、それら１つ又は２つ以上の特徴を有するが、それら１つ又は２つ以上の特徴のみを有することに限定されない。
【００３２】
「近位」及び「遠位」という用語は、本明細書では、外科用器具のハンドル部分を操作する臨床医を基準にして用いられている。「近位」という用語は、臨床医に最も近い部分を指し、「遠位」という用語は、臨床医から離れた位置にある部分を指す。便宜上及び明確性のために、「垂直」、「水平」、「上」、及び「下」などの空間的用語が、本明細書において図面に対して使用され得ることが更に理解されよう。しかしながら、外科用器具は多くの向き及び位置で使用されるものであり、これらの用語は限定的及び／又は絶対的であることを意図したものではない。
【００３３】
腹腔鏡下及び低侵襲性の外科手術を行うための、様々な例示的なデバイス及び方法が提供される。しかしながら、本明細書に開示される様々な方法及びデバイスが、例えば開腹外科手術と関連するものを含む、多くの外科手術及び用途で使用され得ることが、読者には容易に理解されよう。本明細書の「発明を実施するための形態」を読み進めることで、読者は、本明細書に開示される様々な器具が、例えば、天然の開口部を通じて、組織に形成された切開又は穿刺穴を通じてなど、任意の方法で体内に挿入され得ることを更に理解するであろう。これらの器具の作用部分すなわちエンドエフェクタ部分は、患者の体内に直接挿入することもでき、又は、外科用器具のエンドエフェクタ及び細長シャフトを進めることが可能な作用通路を有するアクセス装置を通じて挿入することもできる。
【００３４】
外科用ステープリングシステムは、シャフトと、シャフトから延在するエンドエフェクタとを備えることができる。エンドエフェクタは、第１の顎部と第２の顎部とを備える。第１の顎部は、ステープルカートリッジを備える。ステープルカートリッジは、第１の顎部に挿入可能であり、かつ第１の顎部から着脱可能であるが、ステープルカートリッジが第１の顎部から着脱可能でないか、又は少なくとも容易に交換可能でない、他の実施形態も想到される。第２の顎部は、ステープルカートリッジから排出されたステープルを変形させるように構成されたアンビルを備える。第２の顎部は、閉鎖軸を中心にして第１の顎部に対して枢動可能であるが、第１の顎部が第２の顎部に対して枢動可能である、他の実施形態も想到される。外科用ステープリングシステムは、エンドエフェクタをシャフトに対して回転させる、すなわち関節運動させることができるように構成された関節継手を更に備える。エンドエフェクタは、関節継手を通って延在する関節運動軸線を中心にして回転可能である。関節継手を含まない他の実施形態も想到される。
【００３５】
ステープルカートリッジは、カートリッジ本体を備える。カートリッジ本体は、近位端と、遠位端と、近位端と遠位端との間に延在するデッキとを含む。使用中、ステープルカートリッジは、ステープリングされる組織の第１の側に位置付けられ、アンビルは、組織の第２の側に位置付けられる。アンビルは、ステープルカートリッジに向かって移動させられて、デッキに対して組織を圧縮及びクランプする。続いて、カートリッジ本体内に着脱可能に格納されたステープルを、組織内に配備することができる。カートリッジ本体は、その内部に画定されたステープルキャビティを含み、ステープルは、ステープルキャビティ内に着脱可能に格納される。ステープルキャビティは、６つの長手方向列に配置される。３つのステープルキャビティ列が、長手方向スロットの第１の側に位置付けられ、３つのステープルキャビティ列が、長手方向スロットの第２の側に位置付けられる。ステープルキャビティ及びステープルの他の配置も可能であり得る。
【００３６】
ステープルは、カートリッジ本体内のステープルドライバによって支持される。ドライバは、第１の、すなわち未発射位置と、ステープルキャビティからステープルを排出する、第２の、すなわち発射位置との間で移動可能である。ドライバは、カートリッジ本体の底部周辺に延在するリテーナによってカートリッジ本体内に保持され、また、カートリッジ本体を把持し、リテーナをカートリッジ本体に対して保持するように構成された、弾性部材を含む。ドライバは、スレッドによってそれらの未発射位置とそれらの発射位置との間で移動可能である。スレッドは、近位端に隣接した近位位置と、遠位端に隣接した遠位側位置との間で移動可能である。スレッドは、ドライバの下を摺動し、ドライバを持ち上げるように構成された複数のランプ面を備え、ステープルがその上に支持され、アンビルに向かう。
【００３７】
上記に加えて、スレッドは発射部材によって遠位側に移動される。発射部材は、スレッドに接触し、スレッドを遠位端に向かって押し出すように構成されている。１つ又は２つ以上の代替的な実施形態では、スレッドは発射部材に連結されている。カートリッジ本体内に画定された長手方向スロットは、発射部材を受容するように構成されている。アンビルは、発射部材を受容するように構成されたスロットも含む。発射部材は、第１の顎部に係合する第１のカムと、第２の顎部に係合する第２のカムとを更に備える。発射部材が遠位側に前進される際、第１のカム及び第２のカムは、ステープルカートリッジのデッキとアンビルとの間の距離、すなわち組織隙間を制御することができる。発射部材がカム部材を１つしか有さない、あるいはカム部材を有さない、他の実施形態をも考えられる。そのような実施形態は、第１の顎部及び第２の顎部を定位置に保持するための他の好適な手段を含み得る。いずれにせよ、発射部材はまた、ステープルカートリッジとアンビルとの間に捕捉された組織を切開するように構成されたナイフをも備えている。ステープルがナイフよりも前方に排出されるように、ナイフがランプ面に対して少なくとも部分的に近位側に位置付けられることが望ましい。
【００３８】
外科用ステープリングシステムのエンドエフェクタ１００を図１に示す。エンドエフェクタ１００は、フレーム１９０と、カートリッジ顎部１１０と、アンビル１２０とを備えている。カートリッジ顎部１１０は、フレーム１９０から固定されて延びている。アンビル１２０は、カートリッジ顎部１１０に対して、開放位置すなわちクランプされていない位置と、閉鎖位置すなわちクランプされている位置（図１）との間で移動可能である。代替的な実施形態では、カートリッジ顎部１１０が、アンビル１２０に対して、開放位置すなわちクランプされていない位置と、閉鎖位置すなわちクランプされている位置との間で移動可能である。少なくとも１つのそのような実施形態では、アンビル１２０はフレーム１９０から固定されて延びる。
【００３９】
カートリッジ顎部１１０は、例えば、ステープルカートリッジ１３０などのステープルカートリッジを受容するように構成されている。図２を参照すると、ステープルカートリッジ１３０はカートリッジ本体１３２を備えている。カートリッジ本体１３２は、患者の組織を支持するように構成されたデッキ１３３と、長手方向スロット１３５と、デッキ内に画定された、ステープルキャビティ１３４の６つの長手方向列とを備えている。長手方向スロット１３５は、例えば発射部材２７０（図１２）などの発射部材を受容するように構成されている。各ステープルキャビティ１３４は、中にステープル１４０（図３）を受容し着脱可能に格納するように構成されている。ステープルカートリッジ１３０は、ステープル１４０をステープルキャビティ１３４から押し出すように構成された、例えばステープルドライバ１８０（図３Ａ）などのステープルドライバを更に備えている。図３及び図３Ａを参照すると、各ステープルドライバ１８０は、ステープル１４０のベース若しくはクラウン部１４２を支持及び／又は係合するように構成された受け台１８２を備えている。ドライバが、例えば、２つ以上のステープルを支持しそれらに係合するための２つの受け台、３つの受け台、又は４つの受け台を備える他のステープルドライバも考えられる。
【００４０】
上記に加えて、ステープルカートリッジ１３０は、ステープルドライバ１８０と係合するように構成されたスレッドを更に備えている。より具体的には、スレッドは１つ又は２つ以上のランプを備え、それらのランプは、例えばカム１８５など、ステープルドライバ１８０上に画定された１つ又は２つ以上のカムと係合し、またスレッドがステープルカートリッジ１３０を通じて遠位側に移動されるときにステープルキャビティ１３４内のステープルドライバ１８０及びステープル１４０を持ち上げるように構成されている。発射部材２７０は、ステープル発射行程の間に、近位の未発射位置から遠位の発射位置へとスレッドを遠位側に移動させるように構成されている。少なくとも１つの場合では、各ステープル１４０は、ステープル１４０が未発射位置にあるとき、カートリッジ本体１３２のデッキ１３３の下方に完全に配置される。そのような例では、ステープル１４０のステープル脚部１４４は、ステープル１４０が未発射位置にあるとき、デッキ１３３を越えて延びることはない。使用の際、ステープル脚部１４４の先端１４６は、ステープル１４０が発射されているときにデッキ１３３の上方に出現する。そのような構成により、ステープルカートリッジ１３０を組織に対して移動させるときに、ステープル１４０が患者の組織に引っかかる可能性を低減することができる。
【００４１】
様々な他の場合において、上記に加えて、ステープル脚部１４４の先端１４６は、ステープル１４０が未発射位置にあるとき、デッキ１３３を越えて延びる。主として図２を参照するが、カートリッジ本体１３２は、デッキ１３３の上方に延びる突出部１３６を更に備え、それらの突出部は、ステープル１４０が未発射位置にあるとき、先端１４６を少なくとも部分的に囲むように構成されている。ステープル脚部１４４の長さは、ステープル１４０が未発射位置にあるとき、先端１４６が突出部１３６の頂部表面の下方に配置されるように選択されている。突出部１３６はまた、ステープル１４０がステープルキャビティ１３４から排出されるときにステープル脚部１４４を案内するように構成されている。いくつかの点では、突出部１３６は、デッキ１３３の上方にステープルキャビティ１３４を延長させるものである。そのような構成により、より長いステープル又はより高いステープルの使用を可能とすると同時に、ステープルがデッキ１３３の上方に延びているにもかかわらず、ステープルを保護することが可能となり得る。
【００４２】
上記に加えて、ステープル１４０はワイヤから構成されている。ワイヤは、丸形の、又は少なくとも実質的に丸形の断面を有している。しかしながら、任意の好適な断面が用いられ得る。例えば、正方形の断面及び／又は少なくとも１つの平坦な辺を有する断面が用いられ得る。ワイヤは、例えば、チタン及び／又はステンレス鋼などの金属から構成されている。とは言え、ワイヤは、例えばプラスチックなどの任意の好適な材料から構成され得る。
【００４３】
各ステープル１４０は、ステープル１４０のクラウン部１４２及びステープル脚部１４４を構成するように形成されている曲がったワイヤから構成されている。以下で更に詳細に説明するように、アンビル１２０は、未発射構成（図３）と発射構成との間でステープル１４０を変形させるように構成されている。図３に示すように、ステープル１４０の脚部１４４は、ステープル１４０が未発射構成にあるとき、互いに対して平行ではない。そのような例では、ステープル１４０は、ステープル１４０が未発射構成にあるとき、実質的にＶ字形状の構成を備えている。特定の実施形態では、未発射構成にあるときに平行又は少なくとも実質的に平行な脚部を有するステープルが利用され得る。そのような例では、ステープルは、ステープルが未発射構成にあるとき、実質的にＵ字形状の構成を備えている。
【００４４】
図２を再び参照すると、ステープルカートリッジ１３０は、カートリッジ本体１３２に取り付けられたリテーナ１６０を更に備えている。リテーナ１６０は、カートリッジ１３２の底部を少なくとも部分的に囲んで延びており、ステープル１４０、ステープルドライバ１８０、及び／又はスレッドがカートリッジ本体１３２の底部から落下するのを防止するように構成されている。リテーナ１６０は、スナップ嵌めの方式でカートリッジ本体１３２と係合するように構成されているが、しかしながら、リテーナ１６０は、任意の好適な方式でカートリッジ本体１３２に取り付けられてよい。更に、リテーナ１６０は、スナップ嵌めの方式でカートリッジ顎部１１０と係合してステープルカートリッジ１３０をカートリッジ顎部１１０内に解放可能に保持するように構成されている。すなわち、ステープルカートリッジ１３０は、任意の好適な方式でカートリッジ顎部１１０に解放可能に保持され得る。
【００４５】
上記に加えて、エンドエフェクタ１００はまた、例えば、ステープルカートリッジ２３０（図４）など、ステープルカートリッジ１３０以外のステープルカートリッジと共に使用されるように構成されている。別の言い方をすれば、ステープルカートリッジ２３０は、例えば、ステープルカートリッジ１３０に代わって、エンドエフェクタ１００と共に使用され得る。ある例では、エンドエフェクタ１００は、ステープルカートリッジ１３０と共に使用され得るものであり、また、ステープルカートリッジ１３０が少なくとも部分的に発射された後、ステープルカートリッジ１３０は、第１の顎部１１０から取り外され、次いで未発射のステープルカートリッジ２３０と交換され得る。様々な例において、外科医は、１つ又は２つ以上のステープルカートリッジ１３０と１つ又は２つ以上のステープルカートリッジ２３０を任意の好適な順序で選択的にかつ互換的に使用し得る。
【００４６】
図４を参照すると、ステープルカートリッジ２３０は、カートリッジ本体２３２と、カートリッジ本体２３２に取り付けられたリテーナ２６０とを備えている。リテーナ２６０は、多くの点でリテーナ１６０と類似している。リテーナ２６０は、スナップ嵌めの方式でカートリッジ本体２３２と係合するように構成されているが、リテーナ２６０は、任意の好適な方式でカートリッジ本体２３２に取り付けられてよい。更に、リテーナ２６０は、スナップ嵌めの方式でカートリッジ顎部１１０と係合してステープルカートリッジ２３０をカートリッジ顎部１１０内に解放可能に保持するように構成されている。すなわち、ステープルカートリッジ２３０は、任意の好適な方式でカートリッジ顎部１１０に解放可能に保持され得る。
【００４７】
カートリッジ本体２３２は、患者の組織を支持するように構成されたデッキ２３３と、長手方向スロット１３５と、デッキ内に画定されたステープルキャビティの長手方向列とを備えている。デッキ２３３は、長手方向スロット１３５の第１の側部にある第１の部分と、長手方向スロット１３５の第２の側部にある第２の部分とを備えている。デッキ２３３の第１の部分及び第２の部分はそれぞれ、第１の又は内側のステープルキャビティの長手方向列と、第２の又は中間のステープルキャビティの長手方向列と、第３又は外側のステープルキャビティの長手方向列と、を備えている。デッキ２３３の第１の部分は、ステープルキャビティ２３４ａを含む第１の長手方向列と、ステープルキャビティ２３４ａを含む第２の長手方向列と、ステープルキャビティ２３４ａ’を含む第３の長手方向列と、を備えている。デッキ２３３の第２の部分は、ステープルキャビティ２３４ａ’を含む第１の長手方向列と、ステープルキャビティ２３４ａ’を含む第２の長手方向列と、ステープルキャビティ２３４を含む第３の長手方向列と、を備えている。
【００４８】
上記に加えて、ステープルキャビティ２３４ａとステープルキャビティ２３４ａ’は、それらが互いに鏡像であることを除いて、多くの点で類似している。ステープルキャビティ２３４ａは「左側」ステープルキャビティと呼ばれてもよく、ステープルキャビティ２３４ａ’は「右側」ステープルキャビティと呼ばれてもよい。言うまでもなく、左及び右は見方の問題であり、異なる命名法、更には逆の命名法も利用され得る。更に、左側ステープルキャビティ２３４ａ及び右側ステープルキャビティ２３４ａ’の任意の好適な構成が利用され得る。
【００４９】
図４、図５、及び図１４を参照すると、ステープル２４０が各ステープルキャビティ２３４ａ内に着脱可能に格納されている。図１３を参照すると、ステープル２４０’が各ステープルキャビティ２３４ａ’内に着脱可能に格納されている。ステープル２４０とステープル２４０’は、それらが互いに鏡像であることを除いて、多くの点で類似している。上記で用いられた命名法と一致するが、ステープル２４０は「左側」ステープルであり、ステープル２４０’は「右側」ステープルである。
【００５０】
再び図４を参照すると、デッキ２３３の第２の部分はデッキ２３３の第１の部分の鏡像である。そのような構成により、発射部材２７０が発射行程の間に長手方向スロット１３５を通じて遠位側に移動するとき、組織切断ライン、すなわち、発射部材２７０上に画定された切断縁部２７２によって形成された長手方向の切り込みに対して、対称的なステープルラインが生成される。他の実施形態では、デッキ２３３の第２の部分は、デッキ２３３の第１の部分の鏡像ではない。そのような構成により、切断ラインに対して非対称的なステープルラインがステープリングされる組織に生成される。
【００５１】
主として図７〜図１０を参照すると、ステープル２４０は、クラウン部２４２と、クラウン部２４２に連結された近位ステープル脚部２４４ｐと、クラウン部２４２に連結された遠位脚部２４４ｄとを備えている。より具体的に言えば、ステープル２４０は、近位ステープル脚部２４４ｐをクラウン部２４２に連結する近位コネクタ２４８ｐと、遠位ステープル脚部２４４ｄをクラウン部２４２に連結する遠位コネクタ２４８ｄと、を備えている。近位コネクタ２４８ｐは、近位ステープル脚部２４４ｐ及びクラウン部２４２と一体的に形成されており、同様に、遠位コネクタ２４８ｄは、遠位ステープル脚部２４４ｄ及びクラウン部２４２と一体的に形成されている。ステープル２４０は、クラウン部２４２と一体的に形成されかつそのクラウン部から延びるドライバ２４６を更に備えている。ドライバ２４６は、その上に画定されたカム表面２４５を備えており、このカム表面は、図１０に示すように、ステープル発射行程の間にステープルカートリッジ２３０のスレッド２５０によって直接的に係合されるように構成されている。
【００５２】
図７〜図１０で分かるように、クラウン部２４２とドライバ２４６とは集合的に、近位コネクタ２４８ｐ及び／又は遠位コネクタ２４８ｄよりも高い高さを画定している。更に、クラウン部２４２とドライバ２４６の集合的な高さは、ステープル脚部２４４ｐ及び２４４ｄのいかなる断面幅よりも大きい寸法を画定している。
【００５３】
同様に図７〜図１０で分かるように、近位脚部２４４ｐ、近位コネクタ２４８ｐ、遠位脚部２４４ｄ、及び遠位コネクタ２４４ｄは、ドライバ２４６の下方には延びていない。換言すれば、ドライバ２４６はステープル２４０の底部を構成している。更に、カム表面２４５の全体が、近位脚部２４４ｐ、近位コネクタ２４８ｐ、遠位脚部２４４ｄ、及び遠位コネクタ２４４ｄの下方にある。そのような構成は、スレッド２５０がステープル２４０のドライバ２４６と接触し、ステープル２４０の別の部分とは接触しないことを確実にするのに役立つ。
【００５４】
上記に加えて、再び図１３を参照すると、ステープル２４０’は、クラウン部２４２’と、クラウン部２４２’に連結された近位脚部２４４ｐ’と、クラウン部２４２’に連結された遠位脚部２４４ｄ’と、クラウン部２４２’と一体的に形成されかつそのクラウン部から延びるドライバ２４６’と、を備えている。ドライバ２４６’は、その上に画定されたカム表面２４５’を備えており、このカム表面は、ステープル発射行程の間にスレッド２５０によって直接的に係合されるように構成されている。特に明記しない限り、ステープル２４０に関して本明細書に示す教示内容は、ステープル２４０’にも適用可能である。簡潔にするため、これらの適応を扱う議論は、本明細書では具体的に述べられないこともある。
【００５５】
各ステープル２４０は、例えば、チタン及び／又はステンレス鋼などの一体的な金属片から構成されている。例えばプラスチックなどの他の材料も利用され得る。様々な例において、ステープル２４０は、１つ又は２つ以上の材料シートから打ち抜かれる。少なくとも１つの例では、金属ストックの連続した平坦なストリップが順送型ダイ（progression die）に供給され、順送型ダイは、材料のストリップを打ち付けるか又は打ち抜き、クラウン部２４２をステープル脚部２４４ｐ及び２４４ｄと共に平面から引き離すか又は押しのける。それに代わって、ステープル脚部２４４ｐ及び２４４ｄは、クラウン部２４２と共に平面から引き離されるか又は押しのけられる。様々な例において、順送型ダイはまた、例えば、ステープル脚部２４４ｐ及び２４４ｄ上など、ステープル２４０上に１つ又は２つ以上の丸み付き縁部を形成するように構成される。順送型ダイはまた、特定の例においてステープル脚部２４４ｐ及び２４４ｄの先端２４６を鋳造し、任意の過剰材料を材料のストリップから除去するように構成される。これらの成形工程の各々は、順送型ダイ内の１つ又は２つ以上のステーションにおいて、かつ／又は順送型ダイ内の同じ成形ステーション内で生じ得るが、その構成は最終的に、例えば連続したバンドリア（bandolier）に取り付けられたステープル２４０の一片を生産することになる。ステープル２４０はバンドリアから取り外され、次いでステープルキャビティ２３４に挿入される。特定の例では、ステープル２４０の一片はローディングブロックに装填され、ここでバンドリアは次いでステープル２４０から取り外される。その後、ローディングブロックを使用して、ステープル２４０をカートリッジ本体２３２のステープルキャビティ２３４ａに挿入する。少なくとも１つの例では、ローディングブロックはまた、ステープル２４０及び２４０’がカートリッジ本体２３２に同時に装填されるよう、ステープル２４０’を受容するように構成されている。
【００５６】
上記に加えて、主として図７を参照するが、各ステープル２４０のドライバ２４６は、ドライバ２４６の遠位側に画定された連結点２４９においてバンドリアに取り付けられる。そのような構成により、例えば、バリ又は破片（tag）がドライバ２４６から下向きに延び、スレッド２５０の長手方向の進行を妨害する可能性が低下する。すなわち、ステープル２４０をバンドリアに保持するために、任意の好適な取り付け点が利用され得る。それに加えて、あるいはそれに代わって、ステープル２４０を形成するために、ワイヤバーニング（wire burning）、又は放電加工機（ＥＤＭ）の操作、及び／又は任意の他の好適な製造プロセスが利用されてよい。更に、ステープル２４０’は、とりわけ本明細書で説明する方法のうちのいずれかを利用して製造され得る。
【００５７】
図８及び図９を参照すると、ステープル２４０の近位ステープル脚部２４４ｐ及び遠位ステープル脚部２４４ｄがステープル脚部平面２４１ｓを画定している。ステープル２４０がステープルキャビティ２３４ａ内に配置されているとき、上記に加えて、ステープル２４０の近位ステープル脚部２４４ｐは遠位ステープル脚部２４４ｄに対して近位側に位置している。更に、ステープル２４０の近位ステープル脚部２４４ｐ及び遠位ステープル脚部２４４ｄは発射軸線と整列する。この発射軸線はまた、ステープル２４０がステープルキャビティ２３４ａの長手方向列内に配置されているとき、他のステープル２４０のステープル脚部２４４ｐ及び２４４ｄと整列する。その結果、ステープルキャビティ２３４ａの長手方向列内のステープル２４０のステープル脚部平面２４１ｓは互いに整列するか、又は少なくとも実質的に整列している。ステープル脚部２４４ｐ及び２４４ｄはある幅又は厚さを備え、ステープル脚部平面２４１ｓはステープル脚部２４４ｐ及び／又は２４４ｄのその幅を含み得ることを理解されたい。
【００５８】
上記に加えて、図４及び図６を参照すると、第１の内側のステープルキャビティの長手方向列内に格納された左側ステープル２４０は、ステープル２４０のステープル脚部平面２４１ｓが駆動平面２４１ｃよりも長手方向スロット１３５により接近するように、その中に着脱可能に格納されている。それに対応して、引き続き図４及び図６を参照すると、第２の内側のステープルキャビティの長手方向列内に格納された右側ステープル２４０’もまた、ステープル２４０’のステープル脚部平面２４１ｓが駆動平面２４１ｃよりも長手方向スロット１３５により接近するように、その中に着脱可能に格納されている。同様に、第１の中間のステープルキャビティの長手方向列内に格納された左側ステープル２４０は、ステープル２４０のステープル脚部平面２４１ｓが駆動平面２４１ｃよりも長手方向スロット１３５により接近するように、その中に着脱可能に格納されている。同じように、第２の中間のステープルキャビティの長手方向列内に格納された右側ステープル２４０’は、ステープル２４０’のステープル脚部平面２４１ｓが駆動平面２４１ｃよりも長手方向スロット１３５により接近するように、その中に着脱可能に格納されている。他方で、図４及び図６を再び参照すると、第１の外側のステープルキャビティの長手方向列内に格納された右側ステープル２４０’は、ステープル２４０’の駆動平面２４１ｃがステープル脚部平面２４１ｓよりも長手方向スロット１３５により接近するように、その中に着脱可能に格納されている。同じように、第２の外側のステープルキャビティの長手方向列内に格納された左側ステープル２４０もまた、ステープル２４０の駆動平面２４１ｃがステープル脚部平面２４１ｓよりも長手方向スロット１３５により接近するように、その中に着脱可能に格納されている。
【００５９】
以下で更に詳細に説明するように、ステープル２４０のステープル脚部２４４ｐ、２４４ｄは、ステープル２４０の組織締め付け又はクランプされている部分を備えており、その部分は、ステープル２４０のステープル脚部２４４ｐ、２４４ｄがアンビル１２０に対して変形されるときに、患者の組織をステープル２４０内に閉じ込めるように構成されている。様々な例において、近位ステープル脚部２４４ｐ及び遠位ステープル脚部２４４ｄがステープル脚部平面２４１ｓ内に形成される。他の例では、しかしながら、ステープル脚部２４４ｐ及び２４４ｄの一方又は両方がステープル脚部平面２４１ｓの外へ変形され得る。
【００６０】
上記に加えて、図７に示すように、ステープル２４０の近位ステープル脚部２４４ｐは、ステープル２４０が未発射構成にあるとき、ステープル脚部２４４ｄに対して平行であるか、又は少なくとも実質的に平行である。その結果、ステープル２４０のステープル脚部２４４ｐ、２４４ｄ及びクラウン部２４２は、ステープル２４０が未発射位置にあるとき、実質的にＵ字形状の構成を形成している。そのような構成では、ステープル２４０がステープルキャビティ２３４ａから排出されているときのステープル脚部２４４ｐ及び２４４ｄの上向きの移動は、他の構成と比べて制御がより容易となり得る。様々な代替的な実施形態では、図１４を参照すると、ステープル２４０の近位ステープル脚部２４４ｐ及び遠位ステープル脚部２４４ｄは、互いから離れて外向きに、かつ／又は互いに平行ではない方向に延びる。少なくとも１つのそのような例では、ステープル２４０のステープル脚部２４４ｐ、２４４ｄ及びクラウン部２４２は、ステープル２４０が未発射位置にあるとき、実質的にＶ字形状の構成を形成する。そのような構成では、ステープル２４０のステープル脚部２４４ｐ及び２４４ｄは、ステープル２４０をステープルキャビティ２３４ａ内に弾性的に保持し得るステープルキャビティ２３４ａの側壁と接触し、かつその側壁によって内向きに弾性的に付勢され得る。
【００６１】
上記に加えて、リテーナ２６０は、カートリッジ２３２の底部を少なくとも部分的に囲んで延びており、ステープル２４０、ステープル２４０’、及び／又はスレッド２５０がカートリッジ本体２３２の底部から落下するのを防止するように構成されている。
【００６２】
主として図１０を参照すると、ステープル２４０のドライバ２４６はステープル２４０の駆動部分を備えている。スレッド２５０の長手方向ランプ２５５は、順次的にステープル２４０のドライバ２４６と係合し、そのドライバの下方に滑り込んで、ステープル２４０をステープルキャビティ２３４ａ内でアンビル１２０に向かって上向きに持ち上げるように構成されている。各ステープル２４０のカム表面２４５は、ドライバ２４６の近位側に画定されており、スレッド２５０がステープル２４０との接触を開始する点を含んでいる。各ステープル２４０のドライバ２４６は駆動平面２４１ｃ内に画定されており、駆動平面は、長手方向ランプ２５５と整列するか又は少なくとも実質的に整列している。カム表面２４５もまた、駆動平面２４１ｃ内に画定される。カム表面２４５及び／又はドライバ２４６がある幅又は厚さを備え、駆動平面２４１ｃはカム表面２４５及び／又はドライバ２４６のその幅を含み得ることを理解されたい。
【００６３】
再び図８及び図９を参照すると、コネクタ２４８ｐ及び２４８ｄがそれぞれステープル脚部２４４ｐ及び２４４ｄをステープル２４０のクラウン部２４２から分離させている。図８及び図９に示すように、ステープル２４０の駆動平面２４１ｃは、ステープル２４０のステープル脚部平面２４１ｓから横方向に偏位している。同様に図８及び図９に示すように、ステープル２４０の駆動平面２４１ｃは、ステープル２４０のステープル脚部平面２４１ｓに対して平行であるか又は少なくとも実質的に平行である。そのような例では、ステープル２４０の長手方向列の駆動平面２４１ｃは、長手方向の駆動軸線に沿って互いに整列している。長手方向の駆動軸線は、上記で説明したステープル脚部平面２４１ｓと整列する長手方向の発射軸線に対して平行であり、かつ隣接している。
【００６４】
再び図８〜図１０を参照すると、長手方向ランプ２５５は、ステープル２４０の近位コネクタ２４８ｐ又は遠位コネクタとは係合しない。同様に、長手方向ランプ２５５はステープル２４０のステープル脚部２４４ｐ及び２４４ｄとは係合しない。更に、スレッド２５０のいかなる部分も、ステープル２４０の近位コネクタ２４８ｐ、近位ステープル脚部２４４ｐ、遠位コネクタ２４８ｐ、及び遠位ステープル脚部２４４ｄとは係合しない。その代わりに、長手方向ランプ２５５は、スレッド２５０が発射行程の間に遠位側に移動されるときに、ステープル２４０のカム表面２４５と直接的に係合する。スレッド２５０が遠位側に移動されるとき、長手方向ランプ２５５はカム表面２４５の下方に滑り込み、引き続き未発射位置（図１１）と発射位置（図１２）との間でステープル２４０をアンビル１２０に向かって上向きに持ち上げる。換言すれば、ステープル２４０は、図１２に示すように、ステープルキャビティ２３４ａ内で発射位置に向かって長手方向ランプ２５５を上方向にスライドする。
【００６５】
上記に加えて、主として図１０を参照するが、ステープル２４０の駆動表面２４５は、近位コネクタ２４８ｐへは延びていない。ドライバ２４６は、駆動表面２４５を近位コネクタ２４８ｐから分離するノッチ又はレリーフ２４７を備えている。様々な例において、ノッチ２４７は駆動平面２４１ｃ内に画定される。少なくとも１つの例では、ノッチ２４７は近位コネクタ２４８ｐへと延びている。ノッチ２４７は、スレッド２５０が、ステープル２４０のドライバ２４６と、すなわちステープル２４０の駆動平面２４１ｃ内で接触し、近位コネクタ２４８ｐ及び／又は近位脚部２４４ｐとは接触しないことを確実にするように構成されている。ノッチ２４７はまた、ドライバ２４６と近位コネクタ２４８ｐとの間の明確な描出を生み出すことで、カム表面２４５は駆動平面２４１ｃ外へねじられることはない。更に、ノッチ２４７は、近位ステープル脚部２４４ｐを含む垂直平面から駆動平面２４１ｃを分離している。
【００６６】
上記と同様に、駆動平面２４５は遠位コネクタ２４８ｄには延びていない。
【００６７】
上記に加えて、ステープル２４０の駆動平面２４５は、スレッド２５０の長手方向ランプ２５５の角度に一致するか又は少なくとも実質的に一致する角度をなして延びている。すなわち、任意の好適な角度が用いられ得る。
【００６８】
少なくとも１つの例では、上記に加えて、各ステープル２４０は、ステープル２４０が未発射位置にあるとき、カートリッジ本体２３２のデッキ２３３の下方に完全に配置されている。そのような例では、ステープル２４０のステープル脚部２４４は、ステープル２４０が未発射位置にあるとき、デッキ２３３を越えて延びることはない。使用の際、ステープル脚部２４４の先端２４６は、ステープル２４０が発射されているときにデッキ２３３の上方に出現する。そのような構成により、ステープルカートリッジ２３０を組織に対して移動させるときに、ステープル２４０が患者の組織に引っかかる可能性を低減することができる。
【００６９】
様々な例において、上記に加えて、ステープル脚部２４４ｐ及び／又は２４４ｄの先端２４６は、ステープル２４０が未発射位置にあるとき、デッキ２３３を越えて延びている。主として図４及び図６を参照すると、カートリッジ本体２３２は、デッキ２３３の上方に延びる突出部２３６を更に備え、それらの突出部は、ステープル２４０が未発射位置にあるとき、先端２４６を少なくとも部分的に囲むように構成されている。ステープル脚部２４４ｐ及び２４４ｄの長さは、ステープル２４０が未発射位置にあるとき、先端２４６が突出部２３６の頂部表面の下方に配置されるように選択されている。いくつかの点では、突出部２３６は、デッキ２３３の上方にステープルキャビティ２３４を延長させるものである。そのような構成により、より長いステープル又はより高いステープルの使用を可能とすると同時に、ステープルがデッキ２３３の上方に延びているにもかかわらず、ステープルを保護することが可能となり得る。突出部２３６はまた、ステープル２４０がステープルキャビティ２３４から排出されるときにステープル脚部２４４を案内するように構成されている。
【００７０】
上記に加えて、ステープル２４０は、長手方向ランプ２５５の頂部表面２５３がステープル２４０の底面の下方を通過するときに、完全発射構成に達する。ここで図１２を参照すると、ステープル２４０は長手方向ランプ２５５の頂部表面２５３にほぼ到達しており、したがって、完全発射構成にほぼ達している。頂部表面２５３が変形したステープル２４０に対して遠位側に移動し、変形したステープル２４０から係合されなくなると、弾性的な反力及び／又は変形したステープル２４０に蓄積された潜在的なエネルギーにより、変形したステープル２４０の一部分が再び、排出されたステープルキャビティ２３４ａへと押し込まれ得る。
【００７１】
再び図１１及び図１２を参照すると、アンビル１２０は、ステープル２４０及び２４０’を変形させるように構成された成形ポケットを備えている。各成形ポケットは、例えばステープル２４０の近位ステープル脚部２４４ｐを受容するように構成された近位成形カップ１２４ｐと、ステープル２４０の遠位ステープル脚部２４４ｄを受容するように構成された遠位成形カップ１２４ｄとを備えている。近位成形カップ１２４ｐは、近位ステープル脚部２４４ｐを遠位ステープル脚部２４４ｄに向かって内向きに変形させるように構成されている。同様に、遠位成形カップ１２４ｄは、遠位ステープル脚部２４４ｄを近位ステープル脚部２４４ｐに向かって内向きに変形させるように構成されている。ステープル脚部２４４ｐ及び２４４ｄの一方又は両方が互いから離れて外向きにかつ／又は任意の他の好適な方向に折り曲げられる他の実施形態も考えられる。再び図１２を参照すると、ステープル２４０及び２４０’は、アンビル１２０によってＢ字形状の構成へと変形されているが、しかしながら、アンビル１２０は、ステープル２４０及び２４０’を任意の好適な構成へと変形させるように構成されてもよい。
【００７２】
上記で議論したように、エンドエフェクタ１００は、ステープルカートリッジ１００と共に、あるいは代替的にステープルカートリッジ２００と共に使用可能である。その結果、アンビル１２０は、ステープルカートリッジ１００のステープル１４０を、またそれに加えてステープルカートリッジ２００のステープル２４０、２４０’を変形させるように構成される。換言すれば、例えば、アンビル１２０に画定された成形ポケットはそれぞれ、曲がったワイヤから製作されているステープル１４０、及び平坦な材料シートから打ち抜かれたステープル２４０又はステープル２４０’を変形させるように構成されている。例えば、主として図６を参照すると、成形ポケットの近位成形カップ１２４ｐは、ステープル１４０の近位ステープル脚部１４４及びステープル２４０の近位ステープル脚部２４４ｐを変形させるように構成されている。成形ポケットの近位成形カップ１２４ｐはまた、ステープル２４０’がステープル２４０に代わって成形ポケットと整列される場合に、近位ステープル脚部２４４ｐ’を変形させるように構成されている。上記と同様に、成形ポケットの遠位成形カップ１２４ｄは、ステープル１４０の遠位ステープル脚部１４４及びステープル２４０の遠位ステープル脚部２４４ｄを変形させるように構成されている。同様に、成形ポケットの遠位成形カップ１２４ｄはまた、ステープル２４０’がステープル２４０に代わって成形ポケットと整列される場合に、遠位ステープル脚部２４４ｄ’を変形させるように構成されている。
【００７３】
上記に加えて、ステープルカートリッジ１３０のステープルキャビティ１３４及びステープルカートリッジ２３０のステープルキャビティ２３４ａは、ステープル１４０の先端１４６及びステープル２４０の先端２４６が、エンドエフェクタ１００にどのステープルカートリッジが取り付けられるかに応じて、成形カップ１２４ｐ及び１２４ｄ内の同じ点又は標的を打ち付けるように、アンビル１２０の成形ポケットと整列可能である。例えば組織組成の変動が原因で、先端１４６及び先端２４６が実際には成形カップ１２４ｐ及び１２４ｄ内の同じ標的を打ち付けない場合もあることを理解されたい。すなわち、アンビル１２０の成形キャビティは、ステープル１４０の脚部１４４及びステープル２４０の脚部２４４ｐ、２４４ｄを所望の整列状態へと案内するように構成されている。この目的で、近位成形カップ１２４ｐはガイド壁１２６ｐを備え、遠位成形カップ１２４ｄはガイド壁１２６ｄを備えており、ガイド壁はステープル１４０、２４０、及び２４０’の脚部を所望の構成へと案内及び成形するように構成されている。
【００７４】
再び図７を参照すると、ステープル２４０は、クラウン部２４２の頂部表面上に画定された組織係合表面２４３を備えている。ステープル２４０の表面２４３は、ステープル２４０が発射構成へと成形されるときに、ステープル２４０内に捕捉された組織を支持しかつ／又はその組織に圧力を加えるように構成されている。ここで図１１を参照すると、ステープル２４０の表面２４３は、ステープル２４０が未発射位置にあるとき、カートリッジ本体２３２のデッキ２３３の十分下方に配置されている。ここで図１２を参照して、ステープル２４０が発射位置へと移動されると、表面２４３はデッキ２３３の上方に少なくとも部分的に出現する。換言すれば、スレッド２５０はステープル２４０の上を少なくとも部分的に過駆動する。そのような場合、ステープル２４０の表面２４３は、ステープル２４０が変形されているときに、組織に当接しかつ圧力を加え得る。ある場合には、ステープル２４０が完全発射位置にあるとき、表面２４３の一部分のみがデッキ２３３の上方に過駆動される。他の場合には、ステープル２４０が完全発射位置にあるとき、表面２４３の全体がデッキ２３３の上方に過駆動される。そのような構成は、相当な大きさのクランプ圧力を組織に加えることを可能とし、それによって組織からの出血が低減され得る。
【００７５】
様々な例において、上記に加えて、ステープル２４０のドライバ２４６は、ステープル２４０の表面２４３がデッキ２３３の上方に過駆動されているときも、依然としてデッキ２３３の下方に少なくとも部分的にある。ある場合には、ステープル２４０は、表面２４３がデッキ２３３の上方に過駆動される程度にかかわらず、ドライバ２４６がデッキ２３３の上方に出現しないように構成される。そのような場合、ドライバ２４６の全体が、ステープル発射行程の間も依然としてデッキ２３３の下方に残る。少なくとも１つの例では、ステープル２４０のカム表面２４５は、ステープル２４０が過駆動されているときに、デッキ２３３の上方に出現しない。様々な例において、長手方向ランプ２５５の頂部表面２５３はデッキ２３３の上方に延びることはない。このことは、ステープル発射行程の間にスレッド２５０がステープル２４０の全体をデッキ２３３の上方に駆動しないことを意味する。
【００７６】
上記に加えて、突出部２３６がデッキ２３３の上方に延びることを理解されたい。図１２に示すように、スレッド２５０は、ステープル２４０の表面２４３を突出部２３６の上方に少なくとも部分的に過駆動するように構成されている。そのような例では、ステープル２４０が完全発射位置へと移動されるとき、表面２４３は突出部２３６の上方に少なくとも部分的に上昇する。ある場合には、ステープル２４０が完全発射位置にあるとき、表面２４３の一部分のみが突出部２４６の上方に過駆動される。他の場合には、ステープル２４０が完全発射位置にあるとき、表面２４３の全体が突出部２４６の上方に過駆動される。そのような構成は、相当な大きさのクランプ圧力を組織に加えることを可能とし、それによって組織からの出血が低減され得る。
【００７７】
上記に加えて、組織係合表面２４３は組織に直接的に係合又は接触してもよい。他の場合には、例えば、一片のバットレス材料及び／又は組織厚さ補正板などの補助材料がステープルカートリッジ２３０のデッキ２３３上に配置されてもよく、また組織係合表面２４３はその補助材料に直接的に係合又は接触してもよい。補助材料を開示する参照文献が本願の他の個所で参照によって援用される。
【００７８】
再び図７を参照すると、組織係合表面２４３は、平坦部分と、平坦部分の第１の側にある第１の傾斜部分と、平坦部分の第２の側にある第２の傾斜部分と、を備えている。そのような構成により、ステープル２４０内に捕捉された組織に３方向から圧力を加えることができる。すなわち、組織係合表面２４３は、例えば、完全に平坦な構成又は丸み付きの構成など、任意の好適な構成を備え得る。
【００７９】
上記で議論したように、再び図６を参照すると、ステープルカートリッジ１３０及び２３０は、選択可能にかつ交換可能にエンドエフェクタ１００と共に使用され得る。同様に上記で議論したように、ステープルカートリッジ１３０及び２３０は、顎部１１０に着脱可能に取り付け可能である。様々な代替的な実施形態において、ステープルカートリッジ１３０及び２３０はそれぞれ、エンドエフェクタ１１０のフレーム１９０に取り付け可能であり、かつそのフレームから取り外し可能である、完全型の顎部を備えている。そのような場合、臨床医は、例えば、ステープルカートリッジ顎部全体をエンドエフェクタ１１０から取り外し、別の完全なステープルカートリッジ顎部、すなわち、まだ発射されておらず、臨床医が望むタイプのステープル及び／又はパターンのステープルを備えるものと交換し得る。
【００８０】
上記に加えて、図６は、エンドエフェクタ１００がステープルカートリッジ１３０及びステープルカートリッジ２３０と共に使用可能であることを示すことを意図したものであることを理解されたい。ステープルカートリッジ１３０とステープルカートリッジ２３０は共に図６に示されているが、ステープルカートリッジ１３０及びステープルカートリッジ２３０は、同じエンドエフェクタ１００内で同時には使用されないことを理解されたい。すなわち、例えば、ステープルカートリッジがワイヤステープルを利用し、それに加えて、１つ又は２つ以上の材料シートから形成されたステープルを利用する様々な実施形態が考えられる。少なくとも１つの実施形態では、ステープルカートリッジは、例えば、その中に着脱可能に格納されたステープル１４０及びステープル２４０を備えている。例えば、ステープルカートリッジがステープル１４０、ステープル２４０、及びステープル２４０’を備える他の実施形態をも考えられる。
【００８１】
図２０を参照すると、上記に加えて、ステープルカートリッジ４３０は、デッキ４３３と、その中に画定された長手方向スロット１３５とを含むカートリッジ本体４３２を備えている。長手方向スロット１３５は、その中心を通じて延びる長手方向スロット軸線１３９を画定している。ステープルカートリッジ４３０は、長手方向スロット１３５の一方の側に、第１の又は内側のキャビティ４３４ａの長手方向列と、第２の又は中間のステープルキャビティ４３４ｂの長手方向列と、第３の又は外側のステープルキャビティ４３４ｃの長手方向列とを更に備えている。ステープルカートリッジ４３０はまた、長手方向スロット１３５のもう一方の側に、第１の又は内側のキャビティ４３４ａ’の長手方向列と、第２の又は中間のステープルキャビティ４３４ｂ’の長手方向列と、第３の又は外側のステープルキャビティ４３４ｃ’の長手方向列と、を備えている。ステープルキャビティ４３４ａ、４３４ａ’、４３４ｂ、及び４３４ｂ’は、多くの点で左側ステープルキャビティ２３４ａ（図４及び図６）と類似している。ステープルキャビティ４３４ｃ及び４３４ｃ’は、多くの点で左側ステープルキャビティ１３４（図２及び図６）と類似している。ステープル２４０は、ステープルキャビティ４３４ａ、４３４ａ’、４３４ｂ、及び４３４ｂ’に着脱可能に格納されている。ステープル１４０は、ステープルキャビティ４３４ｃ及び４３４ｃ’に着脱可能に格納されている。
【００８２】
図２１を参照すると、ステープルカートリッジ４３０は、カートリッジ本体４３２からステープル１４０及び２４０を排出するように構成されたスレッド４５０を更に備えている。スレッド４５０は、ステープルキャビティ４３４ａ内に格納されたステープル２４０と直接的に係合するように構成された長手方向ランプ４５５ａと、ステープルキャビティ４３４ａ’内に格納されたステープル２４０と直接的に係合するように構成された長手方向ランプ４５５ａ’と、ステープルキャビティ４３４ｂ内に格納されたステープル２４０と直接的に係合するように構成された長手方向ランプ４５５ｂと、ステープルキャビティ４３４ｂ’内に格納されたステープル２４０と直接的に係合するように構成された長手方向ランプ４５５ｂ’と、を備えている。スレッド４５０は、ステープル１４０をステープルキャビティ４３４ｃから排出するように構成された長手方向ランプ４５５ｃと、ステープル１４０をステープルキャビティ４３４ｃ’から排出するように構成された長手方向ランプ４５５ｃ’とを更に備えている。より具体的には、ステープルカートリッジ４３０は、ステープルキャビティ４３４ｃ内に格納されたステープル１４０を支持しかつ／又はそれと係合するように構成された１列のステープルドライバと、ステープルキャビティ４３４ｃ’内に格納されたステープル１４０を支持しかつ／又はそれと係合するように構成された１列のステープルドライバと、を備えており、また、スレッド４５０が遠位側に前進されるとき、スレッド４５０の長手方向ランプ４５５ｃ及び４５５ｃ’はステープルドライバと係合して、ステープル１４０をステープルキャビティ４３４ｃ及び４３４ｃ’内で上向きに持ち上げ、ステープルカートリッジ４３０の反対側に配置されたアンビルに対してステープル１４０を変形させる。これらのステープルドライバは、例えば、図３Ａに示すステープルドライバと多くの点で類似し得る。
【００８３】
上記に加えて、ステープルキャビティ４３４ａは長手方向軸線４３７ａに沿って配置され、ステープルキャビティ４３４ｂは長手方向軸線４３７ｂに沿って配置され、ステープルキャビティ４３４ｃは長手方向軸線４３７ｃに沿って配置されている。同様に、ステープルキャビティ４３４ａ’は長手方向軸線４３７ａ’に沿って配置され、ステープルキャビティ４３４ｂ’は長手方向軸線４３７ｂ’に沿って配置され、ステープルキャビティ４３４ｃ’は長手方向軸線４３７ｃ’に沿って配置されている。長手方向軸線４３７ａと長手方向スロット軸線１３９との間の距離は、長手方向軸線４３７ａ’と長手方向スロット軸線１３９との間の距離よりも短い。その結果、長手方向軸線４３７ａ’は、長手方向軸線４３７ａと比較して、横方向に食違い状にされるか又は偏位している。同様に、ステープルキャビティ４３４ａの長手方向列と長手方向スロット１３５との間の距離は、ステープルキャビティ４３４ａ’の長手方向列と長手方向スロット１３５との間の距離よりも短い。それに加えて、長手方向軸線４３７ｂと長手方向スロット軸線１３９との間の距離は、長手方向軸線４３７ｂ’と長手方向スロット軸線１３９との間の距離よりも短い。その結果、長手方向軸線４３７ｂ’は、長手方向軸線４３７ｂと比較して、横方向に食違い状にされるか又は偏位している。同様に、ステープルキャビティ４３４ｂの長手方向列と長手方向スロット１３５との間の距離は、ステープルキャビティ４３４ｂ’の長手方向列と長手方向スロット１３５との間の距離よりも短い。比較上、長手方向軸線４３７ｃと長手方向軸線４３７ｃ’は長手方向スロット軸線１３９から等距離にある。それに対応して、ステープルキャビティ３４３ｃの長手方向列とステープルキャビティ３４３ｃ’の長手方向列は長手方向スロット１３５から等距離にある。
【００８４】
ステープルカートリッジ４３０内に画定されたステープルキャビティの長手方向列は、均一な間隔ではない。多くの点で、長手方向列間隔は異なっている。図２０で分かるように、長手方向スロット１３５の一方の側におけるステープルキャビティ４３４ａ、４３４ｂ、及び４３４ｃの長手方向列の間隔は、長手方向スロット１３５のもう一方の側におけるステープルキャビティ４３４ａ’、４３４ｂ’、及び４３４ｃ’の長手方向列の間隔とは異なっている。
【００８５】
上記に加えて、長手方向軸線４３７ａ、４３７ａ’、４３７ｂ、４３７ｂ’、４３７ｃ、及び４３７ｃ’は駆動軸線を含んでいる。これらの駆動軸線は、場合により、ステープル２４０の駆動部分及びステープル１４０を支持するステープルドライバのカム表面と整列している。スレッド４５０の長手方向ランプはこれらの駆動軸線と整列している。例えば、図２０及び図２１を参照すると、スレッド４５０の長手方向ランプ４５５ａは長手方向軸線４３７ａと整列している。同様に、長手方向ランプ４５５ｂは長手方向軸線４３７ｂと整列し、長手方向ランプ４５５ｃは長手方向軸線４３７ｃと整列している。また、長手方向ランプ４５５ａ’は長手方向軸線４３７ａ’と整列し、長手方向ランプ４５５ｂ’は長手方向軸線４３７ｂ’と整列し、長手方向ランプ４５５ｃ’は長手方向軸線４３７ｃ’と整列している。この目的で、長手方向ランプ４５５ａ及び長手方向軸線４３７ａは距離４５７ａだけ長手方向スロット軸線１３９から離れており、長手方向ランプ４５５ｂ及び長手方向軸線４３７ｂは距離４５７ｂだけ長手方向スロット軸線１３９から離れており、長手方向ランプ４５５ｃ及び長手方向軸線４３７ｃは距離４５７ｃだけ長手方向スロット軸線１３９から離れている。同様に、長手方向ランプ４５５ａ’及び長手方向軸線４３７ａ’は距離４５７ａ’だけ長手方向スロット軸線１３９から離れており、長手方向ランプ４５５ｂ’及び長手方向軸線４３７ｂ’は距離４５７ｂ’だけ長手方向スロット軸線１３９から離れており、長手方向ランプ４５５ｃ’及び長手方向軸線４３７ｃ’は距離４５７ｃ’だけ長手方向スロット軸線１３９から離れている。
【００８６】
図２１で分かるように、距離４５７ａ、４５７ａ’、４５７ｂ、及び４５７ｂ’はいずれも等しくない。これらは全て異なっている。その結果、スレッド４５０のレールは非対称的に間隔があけられている。
【００８７】
図２１を参照すると、スレッド４５０は、カートリッジ本体４３２の長手方向スロット１３５内で移動するように構成された中央部分４５１を備えている。中央部分４５１は、スロット１３５内で緊密に受容されるように寸法決めされ構成されているため、スレッド４５０とカートリッジ本体４３２との間における横方向の移動は、あったとしてもほとんど許容されず、スレッド４５０の長手方向ランプは、ステープル２４０及びステープル１４０を駆動するように構成されたステープルドライバと適切に整列されたままとなる。
【００８８】
再び図２０を参照すると、ステープルカートリッジ４３０によって配備される外側の列のステープルはワイヤステープルであり、ステープルカートリッジ４３０によって配備される内側及び中間の列のステープルは平坦なストックから形成されかつ／又は打ち抜かれたものである。とは言え、他の構成も考えられる。少なくとも１つの例では、例えば、ステープルカートリッジによって配備される中間及び外側の列のステープルはワイヤステープルであり、ステープルカートリッジによって配備される内側の列のステープルは打ち抜かれたステープルである。他の例では、例えば、ステープルカートリッジによって配備される内側及び中間の列のステープルはワイヤステープルであり、ステープルカートリッジによって配備される外側の列のステープルは打ち抜かれたステープルである。ステープルカートリッジが２列以上のワイヤステープルを長手方向スロットの一方の側に配備する場合、２列以上のステープルドライバがステープルカートリッジからステープルを配備するために利用され得る。様々な例において、ステープルカートリッジは、例えば二重ドライバを利用し得るが、その二重ドライバは、ワイヤステープルを含んだ長手方向列が互いに隣接するときにワイヤステープルを２つの長手方向列から同時に配備するように構成されたものである。例えば、３つのステープル及び／又は４つのステープルなど、２つより多いステープルを配備するように構成された他のドライバ構成が利用され得る。
【００８９】
上記の結果、ステープルカートリッジ４３０は、ステープルの非対称的パターンを組織に生成する。とりわけ、ステープルカートリッジ４３０は、切断ラインの第１の側で組織にステープルの第１のパターンを、及び切断ラインの第２の側で組織にステープルの第２の又は異なるパターンを生成する。
【００９０】
ここで図１５〜図１９を参照すると、ステープルカートリッジ３３０は、デッキ３３３と、その中に画定された長手方向スロット１３５とを含むカートリッジ本体３３２を備えている。長手方向スロット１３５は、その中心を通じて延びる長手方向スロット軸線１３９を画定している。ステープルカートリッジ３３０は、長手方向スロット１３５の一方の側に、第１の又は内側のキャビティ３３４ａの長手方向列と、第２の又は中間のステープルキャビティ３３４ｂの長手方向列と、第３の又は外側のステープルキャビティ３３４ｃの長手方向列と、を更に備えている。ステープルカートリッジ３３０はまた、長手方向スロット１３５のもう一方の側に、第１の又は内側のキャビティ３３４ａ’の長手方向列と、第２の又は中間のステープルキャビティ３３４ｂ’の長手方向列と、第３の又は外側のステープルキャビティ３３４ｃ’の長手方向列と、を備えている。ステープルキャビティ３３４ａ、３３４ａ’、３３４ｂ、３３４ｂ’、３３４ｃ、及び３３４ｃ’は、多くの点で左側ステープルキャビティ２３４ａ（図４及び図６）と類似している。ステープル２４０は、ステープルキャビティ３３４ａ、３３４ａ’、３３４ｂ、３３４ｂ’、３３４ｃ、及び３３４ｃ’に着脱可能に格納されている。
【００９１】
図１６及び図１７を参照すると、ステープルカートリッジ３３０は、カートリッジ本体３３２からステープル２４０を排出するように構成されたスレッド３５０を更に備えている。スレッド３５０は、ステープルキャビティ３３４ａ内に格納されたステープル２４０と直接的に係合するように構成された長手方向ランプ３５５ａと、ステープルキャビティ３３４ａ’内に格納されたステープル２４０と直接的に係合するように構成された長手方向ランプ３５５ａ’と、ステープルキャビティ３３４ｂ内に格納されたステープル２４０と直接的に係合するように構成された長手方向ランプ３５５ｂと、ステープルキャビティ３３４ｂ’内に格納されたステープル２４０と直接的に係合するように構成された長手方向ランプ３５５ｂ’と、を備えている。スレッド３５０は、ステープルキャビティ３３４ｃ内に格納されたステープル２４０と直接的に係合するように構成された長手方向ランプ３５５ｃと、ステープルキャビティ３３４ｃ’内に格納されたステープル２４０と直接的に係合するように構成された長手方向ランプ３５５ｃ’と、を更に備えている。
【００９２】
上記に加えて、ステープルキャビティ３３４ａは長手方向軸線３３７ａに沿って配置され、ステープルキャビティ３３４ｂは長手方向軸線３３７ｂに沿って配置され、ステープルキャビティ３３４ｃは長手方向軸線３３７ｃに沿って配置されている。同様に、ステープルキャビティ３３４ａ’は長手方向軸線３３７ａ’に沿って配置され、第２のステープルキャビティ３３４ｂ’は長手方向軸線３３７ｂ’に沿って配置され、ステープルキャビティ３３４ｃ’は長手方向軸線３３７ｃ’に沿って配置されている。長手方向軸線３３７ａと長手方向スロット軸線１３９との間の距離は、長手方向軸線３３７ａ’と長手方向スロット軸線１３９との間の距離よりも短い。その結果、長手方向軸線３３７ａ’は、長手方向軸線３３７ａと比較して、横方向に食違い状にされるか又は偏位している。同様に、ステープルキャビティ３３４ａの長手方向列と長手方向スロット１３５との間の距離は、ステープルキャビティ３３４ａ’の長手方向列と長手方向スロット１３５との間の距離よりも短い。
【００９３】
それに加えて、長手方向軸線３３７ｂと長手方向スロット軸線１３９との間の距離は、長手方向軸線３３７ｂ’と長手方向スロット軸線１３９との間の距離よりも短い。その結果、長手方向軸線３３７ｂ’は、長手方向軸線３３７ｂと比較して、横方向に食違い状にされるか又は偏位している。同様に、ステープルキャビティ３３４ｂの長手方向列と長手方向スロット１３５との間の距離は、ステープルキャビティ３３４ｂ’の長手方向列と長手方向スロット１３５との間の距離よりも短い。更に、長手方向軸線３３７ｃと長手方向スロット軸線１３９との間の距離は、長手方向軸線３３７ｃ’と長手方向スロット軸線１３９との間の距離よりも短い。その結果、長手方向軸線３３７ｃ’は、長手方向軸線３３７ｃと比較して、横方向に食違い状にされるか又は偏位している。同様に、ステープルキャビティ３３４ｃの長手方向列と長手方向スロット１３５との間の距離は、ステープルキャビティ３３４ｃ’の長手方向列と長手方向スロット１３５との間の距離よりも短い。
【００９４】
上記に加えて、長手方向軸線３３７ａ、３３７ａ’、３３７ｂ、３３７ｂ’、３３７ｃ、及び３３７ｃ’は駆動軸線を含んでいる。これらの駆動軸線は、ステープル２４０の駆動部分と整列している。スレッド３５０の長手方向ランプは、これらの駆動軸線と整列している。例えば、スレッド３５０の長手方向ランプ３５５ａは長手方向軸線３３７ａと整列している。同様に、長手方向ランプ３５５ｂは長手方向軸線３３７ｂと整列し、長手方向ランプ３５５ｃは長手方向軸線３３７ｃと整列している。同様に、長手方向ランプ３５５ａ’は長手方向軸線３３７ａ’と整列し、長手方向ランプ３５５ｂ’は長手方向軸線３３７ｂ’と整列し、長手方向ランプ３５５ｃ’は長手方向軸線３３７ｃ’と整列している。この目的で、長手方向ランプ３５５ａ及び長手方向軸線３３７ａは距離３５７ａだけ長手方向スロット軸線１３９から離れており、長手方向ランプ３５５ｂ及び長手方向軸線３３７ｂは距離３５７ｂだけ長手方向スロット軸線１３９から離れており、長手方向ランプ３５５ｃ及び長手方向軸線３３７ｃは距離３５７ｃだけ長手方向スロット軸線１３９から離れている。同様に、長手方向ランプ３５５ａ’及び長手方向軸線３３７ａ’は距離３５７ａ’だけ長手方向スロット軸線１３９から離れており、長手方向ランプ３５５ｂ’及び長手方向軸線３３７ｂ’は距離３５７ｂ’だけ長手方向スロット軸線１３９から離れており、長手方向ランプ３５５ｃ’及び長手方向軸線３３７ｃ’は距離３５７ｃ’だけ長手方向スロット軸線１３９から離れている。
【００９５】
主として図１７を参照すると、スレッド３５０は、カートリッジ本体３３２の長手方向スロット１３５内で移動するように構成された中央部分３５１を備えている。中央部分３５１は、スロット１３５内で緊密に受容されるように寸法決めされ構成されているため、スレッド３５０とカートリッジ本体３３２との間における横方向の移動は、あったとしてもほとんど許容されず、スレッド３５０の長手方向ランプは、ステープル２４０と適切に整列されたままとなる。
【００９６】
再び図１７を参照すると、間隙３５９ａがスレッド３５０の中央部分３５１と長手方向ランプ３５５ａとの間に画定されている。同様に、間隙３５９ｂが長手方向ランプ３５５ａと長手方向ランプ３５５ｂとの間に画定され、間隙３５９ｃが長手方向ランプ３５５ｂと長手方向ランプ３５５ｃとの間に画定されている。間隙３５９ａは間隙３５９ｂよりも小さく、同様に、間隙３５９ｂは間隙３５９ｃよりも小さい。同様に、間隙３５９ａ’はスレッド３５０の中央部分３５１と長手方向ランプ３５５ａ’との間に画定されている。同様に、間隙３５９ｂ’が長手方向ランプ３５５ａ’と長手方向ランプ３５５ｂ’との間に画定され、間隙３５９ｃ’が長手方向ランプ３５５ｂ’と長手方向ランプ３５５ｃ’との間に画定されている。間隙３５９ａ’は間隙３５９ｂ’よりも小さく、同様に、間隙３５９ｂ’は間隙３５９ｃ’よりも小さい。他の配置も可能である。
【００９７】
図１８は、その中に画定された長手方向チャネルを示すカートリッジ本体３３２の断面図であり、これらのチャネルは、ステープルキャビティの列内のステープルキャビティ同士を連結し、スレッド３５０の長手方向ランプがカートリッジ本体３３２を通過することを可能にしている。例えば、チャネル３３８ａはステープルキャビティ３３４ａ同士を長手方向に連結しており、スレッド３５０の長手方向ランプ３５５ａを受容するように構成されている。同様に、チャネル３３８ｂはステープルキャビティ３３４ｂ同士を長手方向に連結しており、スレッド３５０の長手方向ランプ３５５ｂを受容するように構成されており、それに加えて、チャネル３３８ｃはステープルキャビティ３３４ｃ同士を長手方向に連結しており、スレッド３５０の長手方向ランプ３５５ｃを受容するように構成されている。また、チャネル３３８ａ’はステープルキャビティ３３４ａ’同士を長手方向に連結しており、スレッド３５０の長手方向ランプ３５５ａ’を受容するように構成されており、チャネル３３８ｂ’はステープルキャビティ３３４ｂ’同士を長手方向に連結しており、スレッド３５０の長手方向ランプ３５５ｂ’を受容するように構成されており、チャネル３３８ｃ’はステープルキャビティ３３４ｃ’同士を長手方向に連結しており、スレッド３５０の長手方向ランプ３５５ｃ’を受容するように構成されている。
【００９８】
ここで図１９を参照すると、アンビル３２０がステープルカートリッジ３３０と共に使用されるように構成されている。アンビル３２０は、ステープル２４０がステープルカートリッジ３３０から排出されるときにステープルカートリッジ３３０内に着脱可能に格納されたステープル２４０を変形させるように構成された、成形ポケット３２４を備えている。成形ポケット３２４は、６つの長手方向列に配列されており、これらの長手方向列は、ステープルカートリッジ３３０内に画定された６つの長手方向列のステープルキャビティと位置合わせされ得る。例えば、成形ポケット３２４の長手方向列は長手方向に延びるアンビル軸線３２７ａに沿って画定されており、この長手方向列は、ステープルキャビティ３３４ａの長手方向列に格納されたステープル２４０のステープル脚部平面と整列可能である。同様に、成形ポケット３２４の長手方向列は、アンビル軸線３２７ｂに沿って画定されており、この長手方向列は、ステープルキャビティ３３４ｂの長手方向列に格納されたステープル２４０のステープル脚部平面と位置合わせ可能であり、加えて、成形ポケット３２４の長手方向列は長手方向のアンビル軸線３２７ｃに沿って画定されており、この長手方向列は、ステープルキャビティ３３４ｃの長手方向列に格納されたステープル２４０のステープル脚部平面と位置合わせ可能である。更に、成形ポケット３２４の長手方向列は、長手方向に延びるアンビル軸線３２７ａ’に沿って画定されており、この長手方向列は、ステープルキャビティ３３４ａ’の長手方向列に格納されたステープル２４０のステープル脚部平面と位置合わせ可能であり、成形ポケット３２４の長手方向列が長手方向に延びるアンビル軸線３２７ｂ’に沿って画定されており、この長手方向列は、ステープルキャビティ３３４ｂ’の長手方向列に格納されたステープル２４０のステープル脚部平面と位置合わせ可能であり、成形ポケット３２４の長手方向列が長手方向に延びるアンビル軸線３２７ｃ’に沿って画定されており、この長手方向列は、ステープルキャビティ３３４ｃ’の長手方向列に格納されたステープル２４０のステープル脚部平面と位置合わせ可能である。
【００９９】
図２２は、少なくとも１つの実施形態による、異なる寸法を有するステープルを示す。主として図２２及び図２３を参照すると、ステープル５４０’は、クラウン部５４２と、近位ステープル脚部５４４ｐ’と、遠位ステープル脚部５４４ｄ’とを備える。ステープル５４０’は、近位ステープル脚部５４４ｐ’をクラウン部５４２に取り付ける近位コネクタ５４８ｐ’を更に備える。ステープル５４０’はまた、遠位ステープル脚部５４４ｄ’をクラウン部５４２に取り付ける遠位コネクタ５４８ｄ’を備える。近位ステープル脚部５４４ｐ’及び遠位ステープル脚部５４４ｄ’は、第１の脚部平面５５０’を画定する。ステープル５４０’は、クラウン部５４２と一体的に形成された第１のカム表面を更に備える。第１のカム表面はカム表面５４９を画定する。近位コネクタ５４８ｐ’及び遠位コネクタ５４８ｄ’は、カム平面５４９と第１の脚部平面５５０’との間の距離５４３’を画定する。
【０１００】
また、図２２及び図２３を参照すると、ステープル５４０’’は、クラウン部５４２と、近位ステープル脚部５４４ｐ’’と、遠位ステープル脚部５４４ｄ’’とを備える。ステープル５４０’’は、近位ステープル脚部５４４ｐ’’をクラウン部５４２に取り付ける近位コネクタ５４８ｐ’’を備える。ステープル５４０’’は、遠位ステープル脚部５４４ｄ’’をクラウン部５４２に取り付ける遠位コネクタ５４８ｄ’’を更に備える。近位ステープル脚部５４４ｐ’’及び遠位ステープル脚部５４４ｄ’’は、第２の脚部平面５５０’’を画定する。ステープル５４０’’は、クラウン部５４２と一体的に形成された第２のカム表面を更に備える。第２のカム表面はカム表面５４９を画定する。近位コネクタ５４８ｐ’’及び遠位コネクタ５４８ｄ’’は、カム平面５４９と第２の脚部平面５５０’’との間の距離５４３’’を画定する。
【０１０１】
再び図２２及び図２３を参照すると、ステープル５４０’’は、クラウン部５４２と、近位ステープル脚部５４４ｐ’’’と、遠位ステープル脚部５４４ｄ’’’とを備える。ステープル５４０’’’は、近位ステープル脚部５４４ｐ’’’をクラウン部５４２に取り付ける近位コネクタ５４８ｐ’’’を備える。ステープル５４０’’’は、遠位ステープル脚部５４４ｄ’’’をクラウン部５４２に取り付ける遠位コネクタ５４８ｄ’’’を更に備える。近位ステープル脚部５４４ｐ’’’及び遠位ステープル脚部は、第３の脚部平面５５０’’’を画定する。ステープル５４０’’’は、クラウン部５４２と一体的に形成された第３のカム表面を更に備える。第３のカム表面はカム表面５４９を画定する。近位コネクタ５４８ｐ’’’及び遠位コネクタ５４８ｄ’’’は、カム平面５４９と第３の脚部平面５５０’’’との間の距離５４３’’’を画定する。
【０１０２】
上記で議論したように、ステープル５４０’の脚部５４８ｐ’及び５４８ｄ’は、ステープル５４０’のカム平面５４９から等距離に位置付けられる。脚部５４８ｐ’及び５４８ｄ’がカム平面５４９から等距離に位置付けられていない他の実施形態が想定される。少なくとも１つの実施形態では、脚部５４８ｐ’は、脚部５４８ｄ’よりもカム平面５４９から更に離れて位置付けられる。あるいは、脚部５４８ｄ’は、脚部５４８ｐ’よりもカム平面５４９から更に離れて位置付けられる。そのような構成は、ステープル内に捕捉された組織への血液の流れを増加させる、ステープルへの流動入口を提供することができる。同様に、脚部５４８ｐ’’及び５４８ｄ’’は、ステープル５４０’’のカム平面５４９から等距離に位置付けられなくてもよい。また、同様に、脚部５４８ｐ’’’及び５４８ｄ’’’は、ステープル５４０’’’のカム平面５４９から等距離に位置付けられなくてもよい。
【０１０３】
更に図２２及び図２３を参照すると、ステープル５４０’、５４０’’、及び５４０’’’は、例えば、ステープル２４０と関連して開示されるものなどの任意の好適な材料から構成される。ステープル５４０’、５４０’’、及び５４０’’’は、単一／一体の金属片から構成される。例えばプラスチックなどの他の材料も使用され得る。ステープルは、例えば、上記のステープル２４０に関して記載したものと同じ及び／又は同等のプロセスを使用して打ち抜かれている。他の実施形態では、ステープル５４０’、５４０’’、及び５４０’’’は、ステープル２４０に関して上記に記載したものとは異なる材料で構成される。
【０１０４】
主として図２２及び図２３に見られるように、ステープル５４０’、５４０’’、及び５４０’’’のそれぞれは、同じ寸法のクラウン部５４２を備える。他の実施形態では、ステープル５４０’、５４０’’、及び／又は５４０’’’のクラウン部５４２は異なる。ステープル５４０’、５４０’’、及び５４０’’’は、それらのカム表面とステープル脚部平面との間に異なる幅を備える。上記に概説したように、ステープル５４０’は、カム平面５４９と、第１の距離５４３’だけ分離された第１の脚部平面５５０’とを備え、ステープル５４０’’は、カム平面５４９と、第２の距離５４３’’によって分離された第２の脚部平面５５０’’とを備え、ステープル５４０’’’は、カム平面５４９と、第３の距離５４３’’’だけ分離された第３の脚部平面５５０’’’とを備える。ステープル５４０’の第１の距離５４３’は、ステープル５４０’’の第２の距離５４３’’よりも短い。第１の距離５４３’はまた、ステープル５４０’’’の第３の距離５４３’’’よりも短い。同様に、ステープル５４０’’の第２の距離５４３’’は、ステープル５４０’’’の第３の距離５４３’’’よりも短い。
【０１０５】
更に図２２及び図２３を参照すると、各ステープル５４０’、５４０’’、及び５４０’’’の幅をそれぞれ画定する距離５４３’、５４３’’、及び５４３’’’は、各ステープル脚部の組織接触面の表面積を画定する。クランプ圧力は、上記で議論したような外科用ステープリング器具を使用して外科用ステープルによってファスニングされる組織に適用される。組織に適用されるクランプ圧力の量は、組織に適用されるクランプ力に比例し、組織接触表面の表面積に反比例する。各ステープル脚部の組織接触表面の表面積は、各距離５４３’、５４３’’、及び５４３’’’に対して変化する。より具体的には、ステープル脚部の組織接触面によって組織に適用されるクランプ圧力は、ステープル５４０’、５４０’’、及び５４０’’’のカム平面と脚部平面との間の距離が増加するにつれて減少する。換言すれば、組織に適用されるクランプ圧力は、ステープル５４０’、５４０’’、及び５４０’’’のカム平面と脚部平面との間の距離が減少するにつれて増加する。
【０１０６】
更に図２２及び図２３を参照すると、ステープルの組織接触表面の表面積は、ステープル５４０’、５４０’’、及び５４０’’’の幅が増加するにつれて増加する。したがって、変形したステープル内に捕捉された組織に適用される圧縮力は、ステープルの幅が増加するにつれて、組織のより大きな領域に適用される。例として、ステープル５４０’’のステープル脚部５４４ｄ’’及び５４４ｐ’’は、ステープル５４０’の幅５４３’よりもクラウン部５４２から離れてより大きい幅５４３’’に設定され、したがって、ステープル５４０’’によって組織に適用される圧力は、ステープル５４０’によって適用される圧力よりも低い。ステープル５４０’’’に関して、ステープル脚部５４４ｄ’’’及び５４４ｐ’’’は、ステープル５４０’及び５４０’’のそれぞれの幅５４３’及び５４３’’の両方よりも大きい幅５４３’’’に設定される。したがって、ステープル５４０’’’によって組織に適用される圧力は、ステープル５４０’及び５４０’’によって組織に適用される圧力よりも低い。
【０１０７】
ステープル５４０’、５４０’’、及び５４０’’’の組織接触表面の表面積は、切断ラインに対して増加する。少なくとも１つの実施形態では、ステープル５４０’は、切断ラインに最も近接した位置にあり、かつステープル５４０’’及び５４０’’’の組織接触表面に対して最小の組織接触表面を備える。同じ実施形態では、ステープル５４０’’は、切断ラインの反対側のステープル５４０’に隣接した位置にあり、ステープル５４０’’は、ステープル５４０’の組織接触表面に対してより大きな組織接触表面を備える。ステープル５４０’’’は、ステープル５４０’’に隣接した位置にあり、切断ラインから最も離れている。ステープル５４０’’’は、ステープル５４０’及び５４０’’の組織接触表面に対して最大の組織接触表面を備える。
【０１０８】
図２４は、図２２に示すステープル５４０’、５４０’’、及び５４０’’’を格納するために使用されるステープルカートリッジ５３０の部分平面図を示す。図２４及び図２５を参照すると、ステープルカートリッジ５３０は、カートリッジ本体５３２を備える。カートリッジ本体５３２は、患者の組織を支持するデッキ５３３と、長手方向スロット１３５と、カートリッジ本体５３２内に画定されたステープルキャビティの６つの長手方向列とを備える。デッキ５３３は、長手方向スロット１３５の第１の側部にある第１の部分と、長手方向スロット１３５の第２の側部にある第２の部分とを備える。デッキ５３３の第１の部分及び第２の部分はそれぞれ、ステープルキャビティ５３４’の第１の又は内側の長手方向列と、ステープルキャビティ５３４’’の第２の又は中間の長手方向列と、ステープルキャビティ５３４’’’の第３又は外側の長手方向列と、を備える。各ステープルキャビティは、ステープルを受容し、その中にステープルを格納する。ステープルカートリッジ５３０は、例えば、図３Ａに関して上記で議論したステープルドライバ１８０などの複数のステープルドライバを更に備える。ステープルドライバは、ステープル５４０’、５４０’’、及び５４０’’’を、それぞれ、ステープルキャビティ５３４’、５３４’’、及び５３４’’’から押し出す。
【０１０９】
上記に加えて、デッキ５３３の第１の部分は、ステープルキャビティ５３４’の第１の内側の長手方向列と、ステープルキャビティ５３４’’の第２の中間の長手方向列と、ステープルキャビティ５３４’’’の第３の外側の長手方向列と、を備える。デッキ５３３の第２の部分は、ステープルキャビティ５３４’の第１の内側の長手方向列と、ステープルキャビティ５３４’の第２の中間列と、ステープルキャビティ５３４’’’の第３の外側の長手方向列と、を備える。実際には、デッキ５３３の第１の部分は、デッキ５３３の第２の部分の鏡像を含む。この構成により、図１２に関して上記で議論した発射部材２７０などの発射部材として組織内に形成された切断ラインに対して対称なステープルラインが生成され、例えば、発射行程中にカートリッジ本体５３０を通して遠位方向に移動される。代替的に、デッキ５３３の第１の部分は、いくつかの実施形態では、デッキ５３３の第２の部分の鏡像でなくてもよい。ステープルキャビティ５３４’、５３４’’、及び５３４’’’の長手方向列のそれぞれは、任意の好適な順序で配列することができ、とりわけステープル５４０’、５４０’’、及び５４０’’’の任意の好適な変形を記憶することができる。
【０１１０】
ステープルキャビティの長手方向列は、図２２に示す複数のステープル５４０’、５４０’’、及び５４０’’’を支持する。ステープルキャビティ５３４’の第１の内側の長手方向列は、ステープル５４０’を格納する。ステープルキャビティ５３４’’の第２の中間の長手方向列は、ステープル５４０’’を格納する。第３の外側の長手方向のステープルキャビティ５３４’’’の列は、ステープル５４０’’’を格納する。いくつかの代替的な実施形態では、ステープル５４０’は、最も外側のステープル列に格納され、ステープル５４０’’’は、最も内側のステープル列に格納される。他の代替的な実施形態では、ステープル５４０’’は、最も内側のステープル列に格納され、ステープル５４０’’’は、中間のステープル列に格納される。いくつかの代替的な実施形態では、ステープル５４０’は、中間のステープル列に格納され、ステープル５４０’’は、最も外側のステープル列に格納される。
【０１１１】
ステープルカートリッジ５３０は、長手方向スロット１３５の各側に３つのステープル列を備え、３列のそれぞれは、その中に異なる寸法のステープルを有する。代替的に、ステープルカートリッジは、同じ寸法のステープルと、異なる寸法のステープルを備える他の列と、を備える、いくつかの列を備え得る。いくつかの代替的な実施形態では、最も内側のステープル列及び中間のステープル列は、例えば、ステープル５４０’を備える。他の実施形態では、中間のステープル列及び最も外側のステープル列は、例えば、ステープル５４０’’を備える。いくつかの代替的な実施形態では、最も内側のステープル列及び最も外側のステープル列は、例えば、ステープル５４０’’’を備える。代替的に、最も内層のステープル列、中間のステープル列、及び最も外側のステープル列は、ステープル５４０’、５４０’’、及び５４０’’’の任意の好適な取り合わせ又は構成を含み得る。
【実施例】
【０１１２】
実施例１−近位端部と遠位端部とを備えるシャフトと、シャフトの遠位端部から延びるエンドエフェクタであって、開放構成と閉鎖構成との間で移動可能であるエンドエフェクタと、を備える、外科用ステープリングシステム。エンドエフェクタは、フレームと、フレームから遠位側に延びるアンビルであって、成形ポケットの長手方向列を備えるアンビルと、エンドエフェクタに取り付け可能な第１のステープルカートリッジアセンブリと、を備えている。第１のステープルカートリッジアセンブリは、ステープルキャビティの第１の長手方向列を備える第１のカートリッジ本体と、それに加えて、ステープルキャビティの第１の長手方向列に着脱可能に格納された複数の第１のステープルと、を備えている。各第１のステープルは曲がったワイヤから構成されており、エンドエフェクタが閉鎖構成にあるときに成形ポケットと整列する。外科用ステープリングシステムはまた、第１のステープルカートリッジアセンブリに代わってエンドエフェクタに取り付け可能な第２のステープルカートリッジアセンブリを備えている。第２のステープルカートリッジアセンブリは、ステープルキャビティの第２の長手方向列を備える第２のカートリッジ本体と、それに加えて、ステープルキャビティの第２の長手方向列に着脱可能に格納された複数の第２のステープルと、を備えている。各第２のステープルは平坦なストックから形成され、エンドエフェクタが閉鎖構成にあるときに成形ポケットと整列する。
【０１１３】
実施例２−各成形ポケットは、近位成形カップと遠位成形カップとを備える、実施例１の外科用ステープリングシステム。
【０１１４】
実施例３−各第１のステープルは、近位成形カップによって形成された近位脚部と、遠位成形カップによって形成された遠位脚部とを備える、実施例１又は２の外科用ステープリングシステム。
【０１１５】
実施例４−各第２のステープルは、近位成形カップによって形成された近位脚部と、遠位成形カップによって形成された遠位脚部とを備える、実施例１、２、又は３の外科用ステープリングシステム。
【０１１６】
実施例５−エンドエフェクタは、第１のステープルカートリッジアセンブリと、第１のステープルカートリッジアセンブリに代わる第２のステープルカートリッジアセンブリと、を受容するように構成された顎部を更に備える、実施例１、２、３、又は４の外科用ステープリングシステム。
【０１１７】
実施例６−顎部は、エンドエフェクタを閉鎖構成に配置するためにアンビルに対して回転可能である、実施例５の外科用ステープリングシステム。
【０１１８】
実施例７−アンビルは、エンドエフェクタを閉鎖構成に配置するために顎部に対して回転可能である、実施例５又は６の外科用ステープリングシステム。
【０１１９】
実施例８−第１のステープルカートリッジアセンブリはフレームに取り付け可能な第１の顎部を備え、第２のカートリッジアセンブリはフレームに取り付け可能な第２の顎部を備える、実施例１の外科用ステープリングシステム。
【０１２０】
実施例９−アンビルは、エンドエフェクタを閉鎖構成に配置するためにフレームに対して回転可能である、実施例８の外科用ステープリングシステム。
【０１２１】
実施例１０−第１の顎部は、第１の顎部がフレームに取り付けられているとき、エンドエフェクタを閉鎖構成に配置するためにフレームに対して回転可能であり、第２の顎部は、第２の顎部がフレームに取り付けられているとき、エンドエフェクタを閉鎖構成に配置するためにフレームに対して回転可能である、実施例８又は９の外科用ステープリングシステム。
【０１２２】
実施例１１−第１のステープルカートリッジアセンブリは、第１のステープルを第１のステープルキャビティから押し出すように構成されたステープルドライバを備え、各第２のステープルは一体的に形成されたステープルドライバを備える、実施例１、２、３、４、５、６、７、８、９、又は１０の外科用ステープリングシステム。
【０１２３】
実施例１２−近位端部と遠位端部とを備えるシャフトと、シャフトの遠位端部から延びるエンドエフェクタであって、クランプされていない構成とクランプされている構成との間で移動可能であるエンドエフェクタと、を備える、外科用ステープリングシステム。エンドエフェクタは、フレームと、フレームから遠位側に延びるアンビルであって、成形ポケットの長手方向列を備えるアンビルと、エンドエフェクタに取り付け可能な第１のステープルカートリッジアセンブリと、を備えている。第１のステープルカートリッジアセンブリは、ステープルキャビティの第１の長手方向列を備える第１のカートリッジ本体と、それに加えて、ステープルキャビティの第１の長手方向列に着脱可能に格納された複数の第１のステープルと、を備えている。各第１のステープルは曲がったワイヤから構成されており、エンドエフェクタがクランプされている構成にあるときに成形ポケットと整列する。外科用ステープリングシステムはまた、第１のステープルカートリッジアセンブリの代替物としてエンドエフェクタに取り付け可能な第２のステープルカートリッジアセンブリを備えている。第２のステープルカートリッジアセンブリは、ステープルキャビティの第２の長手方向列を備える第２のカートリッジ本体と、それに加えて、ステープルキャビティの第２の長手方向列に着脱可能に格納された複数の第２のステープルと、を備えている。第２のステープルは、１つ又は２つ以上の平坦な材料シートから打ち抜かれており、エンドエフェクタがクランプされている構成にあるときに成形ポケットと整列する。
【０１２４】
実施例１３−各成形ポケットは、近位成形カップと遠位成形カップとを備える、実施例１２の外科用ステープリングシステム。
【０１２５】
実施例１４−各第１のステープルは、近位成形カップによって形成された近位脚部と、遠位成形カップによって形成された遠位脚部とを備える、実施例１２又は１３の外科用ステープリングシステム。
【０１２６】
実施例１５−各第２のステープルは、近位成形カップによって形成された近位脚部と、遠位成形カップによって形成された遠位脚部とを備える、実施例１２、１３、又は１４の外科用ステープリングシステム。
【０１２７】
実施例１６−エンドエフェクタは、第１のステープルカートリッジアセンブリと、第１のステープルカートリッジアセンブリの代替物としての第２のステープルカートリッジアセンブリと、を受容するように構成された顎部を更に備える、実施例１２、１３、１４、又は１５の外科用ステープリングシステム。
【０１２８】
実施例１７−顎部は、エンドエフェクタをクランプされている構成に配置するためにアンビルに対して回転可能である、実施例１６の外科用ステープリングシステム。
【０１２９】
実施例１８−アンビルは、エンドエフェクタをクランプされている構成に配置するために顎部に対して回転可能である、実施例１６又は１７の外科用ステープリングシステム。
【０１３０】
実施例１９−第１のステープルカートリッジアセンブリはフレームに取り付け可能な第１の顎部を備え、第２のカートリッジアセンブリはフレームに取り付け可能な第２の顎部を備える、実施例１２の外科用ステープリングシステム。
【０１３１】
実施例２０−アンビルは、エンドエフェクタをクランプされている構成に配置するためにフレームに対して回転可能である、実施例１９の外科用ステープリングシステム。
【０１３２】
実施例２１−第１の顎部は、第１の顎部がフレームに取り付けられているとき、エンドエフェクタをクランプされている構成に配置するためにフレームに対して回転可能であり、第２の顎部は、第２の顎部がフレームに取り付けられているとき、エンドエフェクタをクランプされている構成に配置するためにフレームに対して回転可能である、実施例１９又は２０の外科用ステープリングシステム。
【０１３３】
実施例２２−第１のステープルカートリッジアセンブリは、第１のステープルを第１のステープルキャビティから押し出すように構成されたステープルドライバを備え、第２のステープルは、一体的に形成されたステープルドライバを備える、実施例１２、１３、１４、１５、１６、１７、１８、１９、２０、又は２１の外科用ステープリングシステム。
【０１３４】
実施例２３−近位端部と遠位端部とを備えるシャフトと、シャフトの遠位端部から延びるエンドエフェクタであって、開放構成と閉鎖構成との間で移動可能であるエンドエフェクタと、を備える、外科用ファスニングシステム。エンドエフェクタは、フレームと、フレームから遠位側に延びるアンビルであって、成形ポケットを備えるアンビルと、を備えている。外科用ファスニングシステムは、エンドエフェクタに取り付け可能な第１のファスナカートリッジアセンブリを更に備えている。第１のファスナカートリッジアセンブリは、第１のファスナキャビティを備える第１のカートリッジ本体と、それに加えて、第１のファスナキャビティに着脱可能に格納された複数の第１のファスナと、を備えている。各第１のファスナは曲がったワイヤから構成されており、第１のファスナキャビティは、エンドエフェクタが閉鎖構成にあるときに成形ポケットと整列する。外科用ファスニングシステムはまた、第１のファスナカートリッジアセンブリに代わってエンドエフェクタに取り付け可能な第２のファスナカートリッジアセンブリを備え、第２のファスナカートリッジアセンブリは、第２のファスナキャビティを備える第２のカートリッジ本体と、それに加えて、第２のファスナキャビティ内に着脱可能に格納された複数の第２のファスナと、を備えている。各第２のファスナは平坦なストックから形成され、第２のファスナキャビティは、エンドエフェクタが閉鎖構成にあるときに成形ポケットと整列する。
【０１３５】
実施例２４−近位端部と、遠位端部と、近位端部と遠位端部との間に延びるステープルキャビティと、を備えるカートリッジ本体と、それに加えて、ステープルキャビティ内に着脱可能に格納されたステープルであって、各ステープルは平坦なストックから形成されているステープルと、を備える、ステープルカートリッジアセンブリ。各ステープルは、クラウン部と、近位脚部と、遠位脚部であって、近位脚部及び遠位脚部がステープル脚部平面を画定する、遠位脚部と、クラウン部から延在し、かつクラウン部と一体的に形成された傾斜カム表面であって、ステープル脚部平面とは異なるカム平面を画定する傾斜カム表面と、を備えている。各ステープルはまた、近位脚部とクラウン部との間に延在し、かつ近位脚部及びクラウン部と一体的に形成された近位コネクタと、遠位脚部とクラウン部との間に延在し、かつ遠位脚部及びクラウン部と一体的に形成された遠位コネクタと、を備え、傾斜カム表面は近位コネクタから延在せず、傾斜カム表面は遠位コネクタから延在しない。ステープルカートリッジアセンブリはまた、ステープル発射行程の間に、ステープルの傾斜カム表面と係合し、ステープルをステープルキャビティから排出するように構成されたスレッドを備えている。
【０１３６】
実施例２５−傾斜カム表面は平坦であり、近位コネクタ及び遠位コネクタはステープル脚部平面に向かってカム平面から外に曲がっている、実施例２４のステープルカートリッジアセンブリ。
【０１３７】
実施例２６−傾斜カム表面はカム平面内に近位導入部を備えている、実施例２４又は２５のステープルカートリッジアセンブリ。
【０１３８】
実施例２７−各ステープルは、近位導入部と近位コネクタとの間にクリアランスノッチを更に備えており、クリアランスノッチはカム平面内に画定されている、実施例２４、２５、又は２６のステープルカートリッジアセンブリ。
【０１３９】
実施例２８−各ステープルの近位脚部及び遠位脚部は、ステープルが未発射構成にあるとき、クラウン部から非平行な方向に外向きに延びる、実施例２４、２５、２６、又は２７のステープルカートリッジアセンブリ。
【０１４０】
実施例２９−ステープルの近位脚部及び遠位脚部は、ステープルがステープルキャビティ内に格納されているとき、ステープルキャビティの側壁によって内向きに屈曲されている、実施例２４、２５、２６、２７、又は２８のステープルカートリッジアセンブリ。
【０１４１】
実施例３０−スレッドは、ステープル発射行程の間にはステープルの近位コネクタ及び遠位コネクタと係合しない、実施例２４、２５、２６、２７、２８、又は２９のステープルカートリッジアセンブリ。
【０１４２】
実施例３１−傾斜カム表面の全体が、近位ステープル脚部及び遠位ステープル脚部の下方に位置付けられている、実施例２４、２５、２６、２７、２８、２９、又は３０のステープルカートリッジアセンブリ。
【０１４３】
実施例３２−傾斜カム表面はスレッドに対する初期ピックアップ点を備える、実施例２４、２５、２６、２７、２８、２９、３０、又は３１のステープルカートリッジアセンブリ。
【０１４４】
実施例３３−近位端部と、遠位端部と、近位端部と遠位端部との間に延びるステープルキャビティと、を備えるカートリッジ本体と、それに加えて、ステープルキャビティ内に着脱可能に格納されたステープルであって、１つ又は２つ以上の金属シートから形成されているステープルと、を備える、ステープルカートリッジアセンブリ。各ステープルは、クラウン部と、近位脚部と、遠位脚部と、クラウン部から延在し、かつクラウン部と一体に形成されたカム表面と、を備え、カム表面はカム平面を画定し、近位脚部及び遠位脚部はカム平面内にない。各ステープルはまた、近位脚部とクラウン部との間に延在し、かつ近位脚部及びクラウン部と一体的に形成された近位コネクタと、遠位脚部とクラウン部との間に延在し、かつ遠位脚部及びクラウン部と一体的に形成された遠位コネクタと、を備え、カム表面は近位コネクタから延びていない。ステープルカートリッジアセンブリはまた、ステープル発射行程の間に、ステープルのカム表面と係合し、ステープルをステープルキャビティから排出するように構成されたスレッドを備えている。
【０１４５】
実施例３４−カム表面は平坦であり、近位コネクタ及び遠位コネクタはカム平面から外に曲がっている、実施例３３のステープルカートリッジアセンブリ。
【０１４６】
実施例３５−カム表面はカム平面内に近位導入部を備えている、実施例３３又は３４のステープルカートリッジアセンブリ。
【０１４７】
実施例３６−各ステープルは、近位導入部と近位コネクタとの間にクリアランスノッチを更に備えており、クリアランスノッチはカム平面内に画定されている、実施例３３、３４、又は３５のステープルカートリッジアセンブリ。
【０１４８】
実施例３７−各ステープルの近位脚部及び遠位脚部は、ステープルが未発射構成にあるとき、クラウン部から非平行な方向に外向きに延びる、実施例３３、３４、３５、又は３６のステープルカートリッジアセンブリ。
【０１４９】
実施例３８−ステープルの近位脚部及び遠位脚部は、ステープルがステープルキャビティ内に格納されているとき、ステープルキャビティの側壁によって内向きに屈曲されている、実施例３３、３４、３５、３６、又は３７のステープルカートリッジアセンブリ。
【０１５０】
実施例３９−スレッドは、ステープル発射行程の間にはステープルの近位コネクタと係合しない、実施例３３、３４、３５、３６、３７、又は３８のステープルカートリッジアセンブリ。
【０１５１】
実施例４０−カム表面の全体が、近位ステープル脚部及び遠位ステープル脚部の下方に位置付けられている、実施例３３、３４、３５、３６、３７、３８、又は３９のステープルカートリッジアセンブリ。
【０１５２】
実施例４１−カム表面は、スレッドに対する初期ピックアップ点を備える、実施例３３、３４、３５、３６、３７、３８、３９、又は４０のステープルカートリッジアセンブリ。
【０１５３】
実施例４２−近位端部と遠位端部とを備えるデッキと、デッキ内に画定された長手方向スロットであって、発射部材を受容するように構成された長手方向スロットと、ステープルキャビティの第１の長手方向列と、ステープルキャビティの第２の長手方向列と、を備えるカートリッジ本体を備える、ステープルカートリッジアセンブリ。ステープルカートリッジアセンブリは、発射行程の間に発射部材によって遠位端部に向かって移動可能なスレッドと、ステープルの第１の長手方向列内に着脱可能に格納された複数の第１のステープルと、を更に備えており、各第１のステープルは曲がったワイヤから構成されている。ステープルカートリッジアセンブリはまた、第１のステープルを支持するように構成された複数のステープルドライバであって、スレッドが、発射行程の間にステープルドライバと係合してステープルキャビティの第１の長手方向列から第１のステープルを排出するように構成されているステープルドライバと、ステープルキャビティの第２の長手方向列内に着脱可能に格納された複数の第２のステープルであって、各第２のステープルは平坦なストックから形成されており、かつ一体的に形成されたドライバを備えており、スレッドが、発射行程の間に、第２のステープルの一体的に形成されたドライバと直接的に係合し、ステープルキャビティの第２の長手方向列から第２のステープルを排出するように構成されている、複数の第２のステープルと、を備えている。
【０１５４】
実施例４３−ステープルキャビティの第１の長手方向列は長手方向スロットと隣接し、ステープルキャビティの第１の長手方向列は、長手方向スロットとステープルキャビティの第２の長手方向列との中間にある、実施例４２のステープルカートリッジアセンブリ。
【０１５５】
実施例４４−ステープルキャビティの第２の長手方向列は長手方向スロットと隣接し、ステープルキャビティの第２の長手方向列は、長手方向スロットとステープルキャビティの第１の長手方向列との中間にある、実施例４２のステープルカートリッジアセンブリ。
【０１５６】
実施例４５−カートリッジ本体はステープルキャビティの第３の長手方向列を更に備え、ステープルカートリッジアセンブリは、ステープルキャビティの第３の長手方向列内に着脱可能に格納された複数の第３のステープルを更に備え、各第３のステープルは曲がったワイヤから構成されている、実施例４２、４３、又は４４のステープルカートリッジアセンブリ。
【０１５７】
実施例４６−ステープルキャビティの第３の長手方向列はステープルキャビティの第１の長手方向列と隣接し、ステープルドライバは第３のステープルを支持するように構成され、スレッドは、発射行程の間にステープルドライバと係合して第３のステープルをステープルキャビティの第３の長手方向列から排出するように構成されている、実施例４５のステープルカートリッジアセンブリ。
【０１５８】
実施例４７−第３のステープルを支持し、発射行程の間に、スレッドによって係合されて、ステープルキャビティの第３の長手方向列から第３のステープルを排出するように構成されている複数のステープルドライバを更に備える、実施例４５のステープルカートリッジアセンブリ。
【０１５９】
実施例４８−カートリッジ本体はステープルキャビティの第３の長手方向列を更に備え、ステープルカートリッジアセンブリは、ステープルキャビティの第３の長手方向列内に着脱可能に格納された複数の第３のステープルを更に備え、各第３のステープルは平坦なストックから形成されており、かつ一体的に形成されたドライバを備え、スレッドは、発射行程の間に、第３のステープルの一体的に形成されたドライバと直接的に係合し、第３のステープルをステープルキャビティの第３の長手方向列から排出するように構成されている、実施例４２、４３、又は４４のステープルカートリッジアセンブリ。
【０１６０】
実施例４９−ステープルキャビティの第３の長手方向列は長手方向スロットと隣接し、ステープルキャビティの第２の長手方向列はステープルキャビティの第３の長手方向列と隣接し、ステープルキャビティの第２の長手方向列はステープルキャビティの第１の長手方向列とステープルキャビティの第３の長手方向列との中間にある、実施例４８のステープルカートリッジアセンブリ。
【０１６１】
実施例５０−切断部材とカートリッジ本体とを備え、カートリッジ本体は、近位端部と遠位端部とを備えるデッキと、デッキ内に画定された長手方向スロットであって、切断部材を受容するように構成された長手方向スロットと、ステープルキャビティの第１の長手方向列と、ステープルキャビティの第２の長手方向列と、を備える、ステープルカートリッジアセンブリ。ステープルカートリッジアセンブリは、発射行程の間に切断部材によって遠位端部に向かって移動可能なスレッドと、ステープルキャビティの第１の長手方向列内に着脱可能に格納された複数の第１のステープルと、を更に備えており、各第１のステープルは曲がったワイヤから構成されている。ステープルカートリッジアセンブリはまた、第１のステープルを支持するように構成された複数のステープルドライバであって、スレッドが、発射行程の間にステープルドライバと係合してステープルキャビティの第１の長手方向列から第１のステープルを排出するように構成されている、ステープルドライバと、それに加えて、ステープルキャビティの第２の長手方向列内に着脱可能に格納された複数の第２のステープルであって、第２のステープルは１つ又は２つ以上の金属シートから打ち抜かれており、スレッドが、発射行程の間に、第２のステープルと直接的に係合し、ステープルキャビティの第２の長手方向列から第２のステープルを排出するように構成されている、複数の第２のステープルと、を備えている。
【０１６２】
実施例５１−ステープルキャビティの第１の長手方向列は長手方向スロットと隣接し、ステープルキャビティの第１の長手方向列は、長手方向スロットとステープルキャビティの第２の長手方向列との中間にある、実施例５０のステープルカートリッジアセンブリ。
【０１６３】
実施例５２−ステープルキャビティの第２の長手方向列は長手方向スロットと隣接し、ステープルキャビティの第２の長手方向列は、長手方向スロットとステープルキャビティの第１の長手方向列との中間にある、実施例５０のステープルカートリッジアセンブリ。
【０１６４】
実施例５３−カートリッジ本体はステープルキャビティの第３の長手方向列を更に備え、ステープルカートリッジアセンブリは、ステープルキャビティの第３の長手方向列内に着脱可能に格納された複数の第３のステープルを更に備え、各第３のステープルは曲がったワイヤから構成されている、実施例５０、５１、又は５２のステープルカートリッジアセンブリ。
【０１６５】
実施例５４−ステープルキャビティの第３の長手方向列はステープルキャビティの第１の長手方向列と隣接し、ステープルドライバは第３のステープルを支持するように構成され、スレッドは、発射行程の間にステープルドライバと係合して第３のステープルをステープルキャビティの第３の長手方向列から排出するように構成されている、実施例５３のステープルカートリッジアセンブリ。
【０１６６】
実施例５５−第３のステープルを支持し、発射行程の間に、スレッドによって係合されてステープルキャビティの第３の長手方向列から第３のステープルを排出するように構成されている複数のステープルドライバを更に備える、実施例５３のステープルカートリッジアセンブリ。
【０１６７】
実施例５６−カートリッジ本体はステープルキャビティの第３の長手方向列を更に備え、ステープルカートリッジアセンブリは、ステープルキャビティの第３の長手方向列内に着脱可能に格納された複数の第３のステープルを更に備え、第３のステープルは１つ又は２つ以上の金属シートから形成されており、スレッドは、発射行程の間に、第３のステープルと直接的に係合し、第３のステープルをステープルキャビティの第３の長手方向列から排出するように構成されている、実施例５０、５１、５２、５３、５４、又は５５のステープルカートリッジアセンブリ。
【０１６８】
実施例５７−ステープルキャビティの第３の長手方向列は長手方向スロットと隣接し、ステープルキャビティの第２の長手方向列は、ステープルキャビティの第３の長手方向列と隣接し、ステープルキャビティの第２の長手方向列は、ステープルキャビティの第１の長手方向列とステープルキャビティの第３の長手方向列との中間にある、実施例５０、５１、又は５２のステープルカートリッジアセンブリ。
【０１６９】
実施例５８−近位端部と遠位端部とを備えるデッキと、デッキ内に画定された長手方向スロットであって、発射部材を受容するように構成された長手方向スロットと、複数のステープルキャビティと、を備えるカートリッジ本体を備える、ステープルカートリッジアセンブリ。ステープルカートリッジアセンブリは、発射行程の間に、発射部材によって遠位端部に向かって移動可能なスレッドと、ステープルキャビティ内に着脱可能に格納された複数の第１のステープルであって、各第１のステープルは曲がったワイヤから構成されている、第１のステープルと、それに加えて、複数のステープルドライバであって、スレッドが、発射行程の間にステープルドライバと係合してステープルキャビティから第１のステープルを排出するように構成されているステープルドライバと、を更に備えている。ステープルカートリッジアセンブリはまた、ステープルキャビティ内に着脱可能に格納された複数の第２のステープルであって、各第２のステープルは平坦なストックから形成されており、かつ一体的に形成されたドライバを備えており、スレッドが、発射行程の間に、第２のステープルの一体的に形成されたドライバと直接的に係合し、ステープルキャビティから第２のステープルを排出するように構成されている、複数の第２のステープルを備えている。
【０１７０】
実施例５９−近位端部と、遠位端部と、患者の組織を支持するように構成されたデッキと、デッキ内に画定された複数のステープルキャビティとを含むカートリッジ本体を備えるステープルカートリッジアセンブリ。ステープルカートリッジアセンブリはまた、ステープルキャビティ内に着脱可能に格納された複数の金属ステープルであって、各金属ステープルは、組織接触表面を備えるクラウン部と、クラウン部に連結された第１の脚部と、クラウン部に連結された第２の脚部と、クラウン部と一体的に形成されたドライバと、を備える、金属ステープルを備えている。それに加えて、ステープルカートリッジアセンブリは、発射行程の間に遠位端部に向かって移動可能なスレッドであって、発射行程の間に、金属ステープルのドライバと直接的に係合し、各金属ステープルを未発射位置と発射位置との間で移動させるように構成されており、クラウン部の組織接触表面は、金属ステープルが発射位置にあるときにデッキの上方に配置され、金属ステープルのドライバは、金属ステープルが発射位置にあるときに、デッキの少なくとも部分的に下方に配置される、スレッドを備えている。
【０１７１】
実施例６０−カートリッジ本体は、デッキから延びるガイドを更に備え、ガイドは、金属ステープルが発射位置へと移動されるとき、ステープル脚部を支持しかつデッキの上方に案内するように構成されており、クラウン部の組織接触表面は、金属ステープルが発射位置にあるときに、少なくとも部分的にガイドの上方に配置される、実施例５９のステープルカートリッジアセンブリ。
【０１７２】
実施例６１−スレッドは、金属ステープルのドライバと係合するように構成された１つ又は２つ以上の駆動表面を備え、各駆動表面は頂部表面を備え、各駆動表面の頂部表面は完全にデッキの下方にある、実施例５９又は６０のステープルカートリッジアセンブリ。
【０１７３】
実施例６２−近位端部と、遠位端部と、患者の組織を支持するように構成されたデッキと、デッキ内に画定されたステープルキャビティと、を備えるカートリッジ本体を備える、ステープルカートリッジアセンブリ。ステープルカートリッジアセンブリは、ステープルキャビティ内に着脱可能に格納されたステープルであって、組織係合表面を備えるクラウン部と、クラウン部から延びる第１の脚部と、クラウン部から延びる第２の脚部と、クラウン部と一体的に形成されたドライバと、を備える、ステープルを更に備えている。それに加えて、ステープルカートリッジアセンブリは、発射行程の間に遠位端部に向かって移動可能なスレッドであって、発射行程の間に、ステープルのドライバと直接的に係合し、ステープルを未発射位置と発射位置との間で移動させるように構成されており、クラウン部の組織係合表面は、ステープルが発射位置にあるときに、少なくとも部分的にデッキの上方に配置され、ドライバは、ステープルが発射位置にあるときに、少なくとも部分的にデッキの下方に配置される、スレッドを備えている。
【０１７４】
実施例６３−カートリッジ本体は、デッキから延びるガイドを更に備え、ガイドは、ステープルが発射位置へと移動されるときに、ステープルの第１の脚部を支持しかつデッキの上方に案内するように構成されており、クラウン部の組織接触表面は、ステープルが発射位置にあるときに、少なくとも部分的にガイドの上方に配置される、実施例６２のステープルカートリッジアセンブリ。
【０１７５】
実施例６４−スレッドは、ステープルのドライバと係合するように構成された駆動表面を備え、駆動表面は頂部表面を備え、頂部表面は完全にデッキの下方にある、実施例６２又は６３のステープルカートリッジアセンブリ。
【０１７６】
実施例６５−近位端部と、遠位端部と、患者の組織を支持するように構成されたデッキと、デッキ内に画定されたステープルキャビティと、を備えるカートリッジ本体を備える、ステープルカートリッジアセンブリ。ステープルカートリッジアセンブリは、ステープルキャビティ内に着脱可能に格納されたステープルであって、組織係合表面を備えるクラウン部と、クラウン部から延びる第１の脚部と、クラウン部から延びる第２の脚部と、クラウン部と一体的に形成されたドライバと、を備える、ステープルを更に備えている。ステープルカートリッジアセンブリはまた、発射行程の間に遠位端部に向かって移動可能な発射部材であって、発射行程の間に、ステープルのドライバと直接的に係合し、ステープルを未発射位置と発射位置との間で移動させるように構成されており、クラウン部の組織係合表面は、ステープルが発射位置にあるときに、完全にデッキの上方に配置され、ドライバは、ステープルが発射位置にあるときに、完全にデッキの下方に配置される、発射部材を備えている。
【０１７７】
実施例６６−カートリッジ本体は、デッキから延びるガイドを更に備え、ガイドは、ステープルが発射位置へと移動されるときに、ステープルの第１の脚部を支持しかつデッキの上方に案内するように構成されており、クラウン部の組織接触表面は、ステープルが発射位置にあるときに、完全に部分的にガイドの上方に配置される、実施例６５のステープルカートリッジアセンブリ。
【０１７８】
実施例６７−発射部材は、ステープルのドライバと係合するように構成された駆動表面を備え、駆動表面は頂部表面を備え、頂部表面は完全にデッキの下方にある、実施例６５又は６６のステープルカートリッジアセンブリ。
【０１７９】
実施例６８−患者の組織を支持するように構成されたデッキと、デッキに画定された長手方向スロットと、を備えるカートリッジ本体を備え、長手方向スロットは長手方向スロット軸線を画定し、長手方向スロットは切断部材を受容するように構成されており、デッキは、長手方向スロットの第１の側にある第１のデッキ部分と、長手方向スロットの第２の側にある第２のデッキ部分と、を備える、ステープルカートリッジアセンブリ。カートリッジ本体は、長手方向スロットに隣接して第１のデッキ部分に画定された第１のステープルキャビティの列であって、第１の長手方向軸線に沿って画定されており、第１の距離が第１の長手方向軸線と長手方向スロット軸線との間に画定されている、第１のステープルキャビティの列を更に備えている。カートリッジ本体はまた、長手方向スロットに隣接して第２のデッキ部分に画定された第２のステープルキャビティの列であって、第２の長手方向軸線に沿って画定されており、第２の距離が第２の長手方向軸線と長手方向スロット軸線との間に画定され、第２の距離は第１の距離とは異なる、第２のステープルキャビティの列を備えている。ステープルカートリッジアセンブリは、第１のステープルキャビティの列及び第２のステープルキャビティの列に着脱可能に格納されたステープルを更に備えている。
【０１８０】
実施例６９−スレッドを更に備え、スレッドは、第１のステープルキャビティの列からステープルを排出するように構成された第１の長手方向ランプと、第２のステープルキャビティの列からステープルを排出するように構成された第２の長手方向ランプとを備えている、実施例６８のステープルカートリッジアセンブリ。
【０１８１】
実施例７０−第１の距離は第１の長手方向ランプと長手方向スロット軸線との間に画定され、第２の距離は第２の長手方向ランプと長手方向スロット軸線との間に画定されている、実施例６９のステープルカートリッジアセンブリ。
【０１８２】
実施例７１−患者の組織を支持するように構成されたデッキと、デッキに画定された長手方向スロットとを備えるカートリッジ本体を備え、長手方向スロットは長手方向スロット軸線を画定し、長手方向スロットは切断部材を受容するように構成されており、デッキは、長手方向スロットの第１の側にある第１のデッキ部分と、長手方向スロットの第２の側にある第２のデッキ部分と、を備える、ファスナカートリッジアセンブリ。カートリッジ本体は、長手方向スロットに隣接して第１のデッキ部分に画定された第１のファスナキャビティの列であって、第１の長手方向軸線に沿って画定されており、第１の距離が第１の長手方向軸線と長手方向スロット軸線との間に画定されている、第１のファスナキャビティの列を更に備えている。カートリッジ本体はまた、長手方向スロットに隣接して第２のデッキ部分に画定された第２のファスナキャビティの列であって、第２の長手方向軸線に沿って画定されており、第２の距離が第２の長手方向軸線と長手方向スロット軸線との間に画定され、第２の距離は第１の距離とは異なる、第２のファスナキャビティの列を備えている。ファスナカートリッジアセンブリは、第１のファスナキャビティの列及び第２のファスナキャビティの列内に着脱可能に格納されたファスナを更に備え、ファスナは１つ又は２つ以上の材料シートから形成される。
【０１８３】
実施例７２−第１のファスナキャビティの列は第２のファスナキャビティの列よりも長手方向スロットに近い、実施例７１のファスナカートリッジアセンブリ。
【０１８４】
実施例７３−第２のファスナキャビティの列は第１のファスナキャビティの列よりも長手方向スロットに近い、実施例７１のファスナカートリッジアセンブリ。
【０１８５】
実施例７４−スレッドを更に備え、スレッドは、第１のファスナキャビティの列からファスナを排出するように構成された第１の長手方向ランプと、第２のファスナキャビティの列からファスナを排出するように構成された第２の長手方向ランプと、を備える、実施例７１、７２、又は７３のステープルカートリッジアセンブリ。
【０１８６】
実施例７５−第１の長手方向ランプは第２の長手方向ランプよりも長手方向スロットの近くに配置されている、実施例７４のファスナカートリッジアセンブリ。
【０１８７】
実施例７６−第２の長手方向ランプは第１の長手方向ランプよりも長手方向スロットの近くに配置されている、実施例７４のファスナカートリッジアセンブリ。
【０１８８】
実施例７７−患者の組織を支持するように構成されたデッキと、デッキに画定された長手方向スロットとを備えるカートリッジ本体を備え、長手方向スロットは切断部材を受容するように構成されており、デッキは、長手方向スロットの第１の側にある第１のデッキ部分と、長手方向スロットの第２の側にある第２のデッキ部分と、を備える、ステープルカートリッジアセンブリ。
【０１８９】
カートリッジ本体は、長手方向スロットに隣接して第１のデッキ部分に画定された第１のステープルキャビティの列を更に備え、第１の距離は第１のステープルキャビティの列と長手方向スロットとの間に画定されている。カートリッジ本体はまた、長手方向スロットに隣接して第２のデッキ部分に画定された第２のステープルキャビティの列を備え、第２の距離は第２のステープルキャビティの列と長手方向スロットとの間に画定され、第２の距離は第１の距離とは異なる。ステープルカートリッジアセンブリは、第１のステープルキャビティの列及び第２のステープルキャビティの列に着脱可能に格納されたステープルを更に備えている。
【０１９０】
実施例７８−スレッドを更に備え、スレッドは、第１のステープルキャビティの列からステープルを排出するように構成された第１の長手方向ランプと、第２のステープルキャビティの列からステープルを排出するように構成された第２の長手方向ランプとを備える、実施例７７のステープルカートリッジアセンブリ。
【０１９１】
実施例７９−第１の距離は第１の長手方向ランプと長手方向スロットとの間に画定され、第２の距離は第２の長手方向ランプと長手方向スロットとの間に画定される、実施例７８のステープルカートリッジアセンブリ。
【０１９２】
実施例８０−各ステープルが、クラウン部と、クラウン部と一体的に形成されたカム部分であって、スレッドがカム部分と直接的に係合するように構成されている、カム部分と、カム部分から偏位している組織締め付け部分と、を備える、実施例７８又は７９のステープルカートリッジアセンブリ。
【０１９３】
実施例８１−ステープルのカム部分は組織締め付け部分よりも長手方向スロットの近くに配置されている、実施例８０のステープルカートリッジアセンブリ。
【０１９４】
実施例８２−ステープルの組織締め付け部分はカム部分よりも長手方向スロットの近くに配置されている、実施例８０のステープルカートリッジアセンブリ。
【０１９５】
実施例８３−第１の距離は第２の距離よりも短い、実施例７７、７８、７９、８０、８１、又は８２のステープルカートリッジアセンブリ。
【０１９６】
実施例８４−第２の距離は第１の距離よりも短い、実施例７７、７８、７９、８０、８１、又は８２のステープルカートリッジアセンブリ。
【０１９７】
実施例８５−カートリッジ本体を備え、カートリッジ本体は、ステープルキャビティの第１の長手方向列と、ステープルキャビティの第２の長手方向列とを備える、ステープルカートリッジアセンブリ。ステープルカートリッジアセンブリはまた、ステープルキャビティの第１の長手方向列に着脱可能に格納された複数の第１のステープルと、ステープルキャビティの第２の長手方向列内に着脱可能に格納された複数の第２のステープルとを備える。各第１のステープルは、第１のクラウン部、第１の近位脚部、及び第１の遠位脚部を備え、第１の近位脚部及び第１の遠位脚部は、第１の脚部平面を画定する。各第１のステープルはまた、第１のクラウン部から延在し、かつ第１のクラウン部と一体的に形成された第１のカム表面を備え、第１のカム表面は第１のカム定位置を画定する。各第１のステープルはまた、第１の近位脚部と第１のクラウン部との間に延在し、かつ第１の近位脚部及び第１のクラウン部と一体的に形成された第１の近位コネクタを備える。各第１のステープルは、第１の遠位脚部と第１のクラウン部との間に延在し、かつ第１の遠位脚部及び第１のクラウン部と一体的に形成された第１の遠位コネクタを更に備え、第１の近位コネクタ及び第１の遠位コネクタは、第１のカム平面と第１の脚部平面との間の第１の距離を画定する。各第２のステープルは、第２のクラウン部、第２の近位脚部、及び第２の遠位脚部を備え、第２の近位脚部及び第２の遠位脚部は、第２の脚部平面を画定する。各第２のステープルはまた、第２のクラウン部から延在し、かつ第２のクラウン部と一体的に形成された第２のカム表面を備え、第２のカム表面は第２のカム平面を画定する。各第２のステープルはまた、第２の近位脚部と第２のクラウン部との間に延在し、かつ第２の近位脚部及び第２のクラウン部と一体的に形成された第２の近位コネクタを備える。各第２のステープルは、第２の遠位脚部と第２のクラウン部との間に延在し、かつ第２の遠位脚部及び第２のクラウン部と一体的に形成された第２の遠位コネクタを更に備え、第２の近位コネクタ及び第２の遠位コネクタは、第２のカム平面と第２の脚部平面との間に第２の距離を画定し、第２の距離は第１の距離とは異なる。
【０１９８】
実施例８６−カートリッジ本体は、切断部材を受容するように構成された長手方向スロットを更に備える、実施例８５のステープルカートリッジアセンブリ。
【０１９９】
実施例８７−第１の距離は第２の距離よりも長く、ステープルキャビティの第１の長手方向列は長手方向スロットと隣接し、ステープルキャビティの第１の長手方向列は、長手方向スロットとステープルキャビティの第２の長手方向列との中間にある、実施例８５又は８６のステープルカートリッジアセンブリ。
【０２００】
実施例８８−第１の距離は第２の距離よりも長く、ステープルキャビティの第２の長手方向列は長手方向スロットと隣接し、ステープルキャビティの第２の長手方向列は、長手方向スロットとステープルキャビティの第１の長手方向列との中間にある、実施例８５又は８６のステープルカートリッジアセンブリ。
【０２０１】
実施例８９−第１のステープルの第１のカム平面は第１の脚部平面よりも長手方向スロットに近い、実施例８５、８６、８７、又は８８のステープルカートリッジアセンブリ。
【０２０２】
実施例９０−第２のステープルの第２のカム平面は第２の脚部平面よりも長手方向スロットに近い、実施例８５、８６、８７、８８、又は８９のステープルカートリッジアセンブリ。
【０２０３】
実施例９１−第２のステープルの第２の脚部平面は第２のカム平面よりも長手方向スロットに近い、実施例８５、８６、８７、８８、又は８９のステープルカートリッジアセンブリ。
【０２０４】
実施例９２−第１のステープルの第１の脚部平面は第１のカム平面よりも長手方向スロットに近い、実施例８５又は８６のステープルカートリッジアセンブリ。
【０２０５】
実施例９３−第２のステープルの第２のカム平面は第２の脚部平面よりも長手方向スロットに近い、実施例８５、８６、又は９２のステープルカートリッジアセンブリ。
【０２０６】
実施例９４−第２のステープルの第２の脚部平面は第２のカム平面よりも長手方向スロットに近い、実施例８５、８６、又は９２のステープルカートリッジアセンブリ。
【０２０７】
実施例９５−カートリッジ本体はステープルキャビティの第３の長手方向列を更に備え、ステープルカートリッジアセンブリは、ステープルキャビティの第３の長手方向列内に着脱可能に格納された複数の第３のステープルを更に備える、実施例８５のステープルカートリッジアセンブリ。各第３のステープルは、第３のクラウン部、第３の近位脚部、及び第３の遠位脚部を備え、第３の近位脚部及び第３の遠位脚部は、第３のステープル脚部平面を画定する。各第３のステープルはまた、第３のクラウン部から延在し、かつ第３のクラウン部と一体的に形成された第３のカム表面であって、第３のカム平面を画定する、第３のカム表面と、第３の近位脚部と第３のクラウン部との間に延在し、かつ第３の近位脚部及び第３のクラウン部と一体的に形成された第３の近位コネクタと、を備える。各第３のステープルは、第３の遠位脚部と第３のクラウン部との間に延在し、かつ第３の遠位脚部及び第３のクラウン部と一体的に形成された第３の遠位コネクタを更に備え、第３の近位コネクタ及び第３の遠位コネクタは、第３のカム平面と第３のステープル脚部平面との間の第３の距離を画定し、第３の距離は、第２の距離及び第１の距離とは異なる。
【０２０８】
実施例９６−カートリッジ本体は、切断部材を受容するように構成された長手方向スロットを更に備える、実施例９５のステープルカートリッジアセンブリ。
【０２０９】
実施例９７−第１のステープルの第１のカム平面は第１の脚部平面よりも長手方向スロットに近く、第２のステープルの第２のカム平面は第２の脚部平面よりも長手方向スロットに近く、第３のステープルの第３のカム平面は第３の脚部平面よりも長手方向スロットに近い、実施例９５又は９６のステープルカートリッジアセンブリ。
【０２１０】
実施例９８−第１のステープルの第１の脚部平面は第１のカム平面よりも長手方向スロットに近く、第２のステープルの第２の脚部平面は第２のカム平面よりも長手方向スロットに近く、第３のステープルの第３の脚部平面は第３のカム平面よりも長手方向スロットに近い、実施例９５又は９６のステープルカートリッジアセンブリ。
【０２１１】
実施例９９−第１のステープルの第１のカム表面は互いに長手方向に整列し、第２のカム表面は互いに長手方向に整列している、実施例９５のステープルカートリッジアセンブリ。
【０２１２】
実施例１００−第１のステープル及び第２のステープルは平坦なストックから打ち抜かれている、実施例９５のステープルカートリッジアセンブリ。
【０２１３】
実施例１０１−第１のステープル及び第２のステープルは１つ又は２つ以上の材料シートから形成されている、実施例９５のステープルカートリッジアセンブリ。
【０２１４】
実施例１０２−カートリッジ本体を備え、カートリッジ本体は、ステープルキャビティの第１の長手方向列と、ステープルキャビティの第２の長手方向列と、を備える、ステープルカートリッジアセンブリ。ステープルカートリッジアセンブリはまた、ステープルキャビティの第１の長手方向列内に着脱可能に格納された複数の第１のステープルを備える。各第１のステープルは、第１のクラウン部、第１の近位脚部、及び第１の遠位脚部を備え、第１の近位脚部及び第１の遠位脚部は、第１の脚部平面を画定する。各第１のステープルはまた、第１のクラウン部から延在し、かつ第１のクラウン部と一体的に形成された第１の駆動表面と、第１の近位脚部と第１のクラウン部との間に延在し、かつ第１の近位脚部及び第１のクラウン部と一体的に形成された第１の近位コネクタと、を備える。各第１のステープルは、第１の遠位脚部と第１のクラウン部との間に延在し、かつ第１の遠位脚部及び第１のクラウン部と一体的に形成された第１の遠位コネクタを更に備え、第１の近位コネクタ及び第１の遠位コネクタは、第１のクラウン部と第１の脚部平面との間に第１の幅を画定する。ステープルカートリッジアセンブリはまた、ステープルキャビティの第２の長手方向列内に着脱可能に格納された複数の第２のステープルを備える。各第２のステープルは、第２のクラウン部、第２の近位脚部、及び第２の遠位脚部を備え、第２の近位脚部及び第２の遠位脚部は、第２の脚部平面を画定する。各第２のステープルはまた、第２のクラウン部から延在し、かつ第２のクラウン部と一体的に形成された第２の駆動表面と、第２の近位脚部と第２のクラウン部との間に延在し、かつ第２の近位脚部及び第２のクラウン部と一体的に形成された第２の近位コネクタと、を備える。各第２のステープルは、第２の遠位脚部と第２のクラウン部との間に延在し、かつ第２の遠位脚部及び第２のクラウン部と一体的に形成された第２の遠位コネクタを更に備え、第２の近位コネクタ及び第２の遠位コネクタは、第２のクラウン部と第２の脚部平面との間に第２の幅を画定し、第２の幅は第１の幅とは異なる。
【０２１５】
実施例１０３−カートリッジ本体を備え、カートリッジ本体は、ステープルキャビティの第１の長手方向列と、ステープルキャビティの第２の長手方向列とを備える、ステープルカートリッジアセンブリ。ステープルカートリッジアセンブリはまた、ステープルキャビティの第１の長手方向列内に着脱可能に格納された複数の第１のステープルを備える。各第１のステープルは、第１のクラウン部、第１の近位脚部、及び第１の遠位脚部を備え、第１の近位脚部及び第１の遠位脚部は、第１のクランプ部分を画定する。各第１のステープルはまた、第１のクラウン部と一体的に形成された第１のカムと、第１の近位脚部と第１のクラウン部との間に延在し、かつ第１の近位脚部及び第１のクラウン部と一体的に形成された第１の近位コネクタとを備える。各第１のステープルは、第１の遠位脚部と第１のクラウン部との間に延在し、かつ第１の遠位脚部及び第１のクラウン部と一体的に形成された第１の遠位コネクタを更に備え、第１の近位コネクタ及び第１の遠位コネクタは、第１のクラウン部と第１のクランプ部分との間に第１の幅を画定する。ステープルカートリッジアセンブリはまた、ステープルキャビティの第２の長手方向列内に着脱可能に格納された複数の第２のステープルを備える。各第２のステープルは、第２のクラウン部、第２の近位脚部、及び第２の遠位脚部を備え、第２の近位脚部及び第２の遠位脚部は、第２のクランプ部分を画定する。各第２のステープルはまた、第２のクラウン部と一体的に形成された第２のカムと、第２の近位脚部と第２のクラウン部との間に延在し、かつ第２の近位脚部及び第２のクラウン部と一体的に形成された第２の近位コネクタとを備える。
【０２１６】
各第２のステープルは、第２の遠位コネクタを更に備え、第２の遠位コネクタは、第２の遠位脚部と第２のクラウン部との間に延在し、かつ第２の遠位脚部及び第２のクラウン部と一体的に形成され、第２の近位コネクタ及び第２の遠位コネクタは、第２のクラウン部と第２のクランプ部分との間に第２の幅を画定し、第２の幅は第１の幅とは異なる。
【０２１７】
本明細書で説明した外科用器具システムの多くは、電動モータにより動作するが、本明細書で説明した外科用器具システムは、任意の好適な方式で動作することができる。様々な事例において、本明細書で説明した外科用器具システムは、例えば、手動操作トリガにより動作することができる。ある特定の例において、本明細書に開示されるモータは、ロボット制御システムの部分を備えてもよい。更に、本明細書に開示されるエンドエフェクタ及び／又は工具アセンブリのいずれもロボット手術器具システムと共に利用することができる。例えば、米国特許出願第１３／１１８，２４１号、発明の名称「ＳＵＲＧＩＣＡＬ  ＳＴＡＰＬＩＮＧ  ＩＮＳＴＲＵＭＥＮＴＳ  ＷＩＴＨ  ＲＯＴＡＴＡＢＬＥ  ＳＴＡＰＬＥ  ＤＥＰＬＯＹＭＥＮＴ  ＡＲＲＡＮＧＥＭＥＮＴＳ」（現在は米国特許第９，０７２，５３５号）は、ロボット外科用器具システムのいくつかの例をより詳細に開示している。
【０２１８】
本明細書で説明した外科用器具システムは、ステープルの配備及び変形と関連させて説明されているが、本明細書で説明した実施形態は、これに限定されない。ステープル以外の締結具、例えばクランプ又はタックなどを配備する、様々な実施形態も想到される。更に、組織を封止するための任意の好適な手段を利用する、様々な実施形態も想到される。例えば、様々な実施形態によるエンドエフェクタは、組織を加熱して封止するように構成された電極を備え得る。また例えば、特定の実施形態によるエンドエフェクタは、組織を封止するために振動エネルギーを加えることができる。
【０２１９】
以下の開示内容全体が参照により本明細書に組み込まれる。
１９９５年４月４日に発行された米国特許第５，４０３，３１２号、発明の名称「ＥＬＥＣＴＲＯＳＵＲＧＩＣＡＬ  ＨＥＭＯＳＴＡＴＩＣ  ＤＥＶＩＣＥ」、
２００６年２月２１日に発行された米国特許第７，０００，８１８号、発明の名称「ＳＵＲＧＩＣＡＬ  ＳＴＡＰＬＩＮＧ  ＩＮＳＴＲＵＭＥＮＴ  ＨＡＶＩＮＧ  ＳＥＰＡＲＡＴＥ  ＤＩＳＴＩＮＣＴ  ＣＬＯＳＩＮＧ  ＡＮＤ  ＦＩＲＩＮＧ  ＳＹＳＴＥＭＳ」、
２００８年９月９日に発行された米国特許第７，４２２，１３９号、発明の名称「ＭＯＴＯＲ−ＤＲＩＶＥＮ  ＳＵＲＧＩＣＡＬ  ＣＵＴＴＩＮＧ  ＡＮＤ  ＦＡＳＴＥＮＩＮＧ  ＩＮＳＴＲＵＭＥＮＴ  ＷＩＴＨ  ＴＡＣＴＩＬＥ  ＰＯＳＩＴＩＯＮ  ＦＥＥＤＢＡＣＫ」、
２００８年１２月１６日に発行された米国特許第７，４６４，８４９号、発明の名称「ＥＬＥＣＴＲＯ−ＭＥＣＨＡＮＩＣＡＬ  ＳＵＲＧＩＣＡＬ  ＩＮＳＴＲＵＭＥＮＴ  ＷＩＴＨ  ＣＬＯＳＵＲＥ  ＳＹＳＴＥＭ  ＡＮＤ  ＡＮＶＩＬ  ＡＬＩＧＮＭＥＮＴ  ＣＯＭＰＯＮＥＮＴＳ」、
２０１０年３月２日に発行された米国特許第７，６７０，３３４号、発明の名称「ＳＵＲＧＩＣＡＬ  ＩＮＳＴＲＵＭＥＮＴ  ＨＡＶＩＮＧ  ＡＮ  ＡＲＴＩＣＵＬＡＴＩＮＧ  ＥＮＤ  ＥＦＦＥＣＴＯＲ」、
２０１０年７月１３日に発行された米国特許第７，７５３，２４５号、発明の名称「ＳＵＲＧＩＣＡＬ  ＳＴＡＰＬＩＮＧ  ＩＮＳＴＲＵＭＥＮＴＳ」、
２０１３年３月１２日に発行された米国特許第８，３９３，５１４号、発明の名称「ＳＥＬＥＣＴＩＶＥＬＹ  ＯＲＩＥＮＴＡＢＬＥ  ＩＭＰＬＡＮＴＡＢＬＥ  ＦＡＳＴＥＮＥＲ  ＣＡＲＴＲＩＤＧＥ」、
米国特許出願第１１／３４３，８０３号、名称「ＳＵＲＧＩＣＡＬ  ＩＮＳＴＲＵＭＥＮＴ  ＨＡＶＩＮＧ  ＲＥＣＯＲＤＩＮＧ  ＣＡＰＡＢＩＬＩＴＩＥＳ」、現在は米国特許第７，８４５，５３７号、
２００８年２月１４日に出願された米国特許出願第１２／０３１，５７３号、発明の名称「ＳＵＲＧＩＣＡＬ  ＣＵＴＴＩＮＧ  ＡＮＤ  ＦＡＳＴＥＮＩＮＧ  ＩＮＳＴＲＵＭＥＮＴ  ＨＡＶＩＮＧ  ＲＦ  ＥＬＥＣＴＲＯＤＥＳ」、
２００８年２月１５日に出願された米国特許出願第１２／０３１，８７３号、名称「ＥＮＤ  ＥＦＦＥＣＴＯＲＳ  ＦＯＲ  Ａ  ＳＵＲＧＩＣＡＬ  ＣＵＴＴＩＮＧ  ＡＮＤ  ＳＴＡＰＬＩＮＧ  ＩＮＳＴＲＵＭＥＮＴ」、現在は米国特許第７，９８０，４４３号、
米国特許出願第１２／２３５，７８２号、発明の名称「ＭＯＴＯＲ−ＤＲＩＶＥＮ  ＳＵＲＧＩＣＡＬ  ＣＵＴＴＩＮＧ  ＩＮＳＴＲＵＭＥＮＴ」、現在は米国特許第８，２１０，４１１号、
米国特許出願第１２／２４９，１１７号、発明の名称「ＰＯＷＥＲＥＤ  ＳＵＲＧＩＣＡＬ  ＣＵＴＴＩＮＧ  ＡＮＤ  ＳＴＡＰＬＩＮＧ  ＡＰＰＡＲＡＴＵＳ  ＷＩＴＨ  ＭＡＮＵＡＬＬＹ  ＲＥＴＲＡＣＴＡＢＬＥ  ＦＩＲＩＮＧ  ＳＹＳＴＥＭ」、現在は米国特許第８，６０８，０４５号、
２００９年１２月２４日に出願された米国特許出願第１２／６４７，１００号、名称「ＭＯＴＯＲ−ＤＲＩＶＥＮ  ＳＵＲＧＩＣＡＬ  ＣＵＴＴＩＮＧ  ＩＮＳＴＲＵＭＥＮＴ  ＷＩＴＨ  ＥＬＥＣＴＲＩＣ  ＡＣＴＵＡＴＯＲ  ＤＩＲＥＣＴＩＯＮＡＬ  ＣＯＮＴＲＯＬ  ＡＳＳＥＭＢＬＹ」、現在は米国特許第８，２２０，６８８号、
２０１２年９月２９日に出願された米国特許出願第１２／８９３，４６１号、発明の名称「ＳＴＡＰＬＥ  ＣＡＲＴＲＩＤＧＥ」、現在は米国特許第８，７３３，６１３号、
２０１１年２月２８日に出願された米国特許出願第１３／０３６，６４７号、発明の名称「ＳＵＲＧＩＣＡＬ  ＳＴＡＰＬＩＮＧ  ＩＮＳＴＲＵＭＥＮＴ」、現在は米国特許第８，５６１，８７０号、
米国特許出願第１３／１１８，２４１号、発明の名称「ＳＵＲＧＩＣＡＬ  ＳＴＡＰＬＩＮＧ  ＩＮＳＴＲＵＭＥＮＴＳ  ＷＩＴＨ  ＲＯＴＡＴＡＢＬＥ  ＳＴＡＰＬＥ  ＤＥＰＬＯＹＭＥＮＴ  ＡＲＲＡＮＧＥＭＥＮＴＳ」、現在は米国特許第９，０７２，５３５号、
２０１２年６月１５日出願の米国特許出願第１３／５２４，０４９号、発明の名称「ＡＲＴＩＣＵＬＡＴＡＢＬＥ  ＳＵＲＧＩＣＡＬ  ＩＮＳＴＲＵＭＥＮＴ  ＣＯＭＰＲＩＳＩＮＧ  Ａ  ＦＩＲＩＮＧ  ＤＲＩＶＥ」、現在は米国特許第９，１０１，３５８号、
２０１３年３月１３日に出願された米国特許出願第１３／８００，０２５号、発明の名称「ＳＴＡＰＬＥ  ＣＡＲＴＲＩＤＧＥ  ＴＩＳＳＵＥ  ＴＨＩＣＫＮＥＳＳ  ＳＥＮＳＯＲ  ＳＹＳＴＥＭ」、現在は米国特許第９，３４５，４８１号、
２０１３年３月１３日に出願された米国特許出願第１３／８００，０６７号、発明の名称「ＳＴＡＰＬＥ  ＣＡＲＴＲＩＤＧＥ  ＴＩＳＳＵＥ  ＴＨＩＣＫＮＥＳＳ  ＳＥＮＳＯＲ  ＳＹＳＴＥＭ」、現在は米国特許出願公開第２０１４／０２６３５５２号、
２００６年１月３１日に出願された米国特許出願公開第２００７／０１７５９５５号、発明の名称「ＳＵＲＧＩＣＡＬ  ＣＵＴＴＩＮＧ  ＡＮＤ  ＦＡＳＴＥＮＩＮＧ  ＩＮＳＴＲＵＭＥＮＴ  ＷＩＴＨ  ＣＬＯＳＵＲＥ  ＴＲＩＧＧＥＲ  ＬＯＣＫＩＮＧ  ＭＥＣＨＡＮＩＳＭ」、及び、
２０１０年４月２２日に出願された米国特許出願公開第２０１０／０２６４１９４号、発明の名称「ＳＵＲＧＩＣＡＬ  ＳＴＡＰＬＩＮＧ  ＩＮＳＴＲＵＭＥＮＴ  ＷＩＴＨ  ＡＮ  ＡＲＴＩＣＵＬＡＴＡＢＬＥ  ＥＮＤ  ＥＦＦＥＣＴＯＲ」、現在は米国特許第８，３０８，０４０号。
【０２２０】
特定の実施形態と共に本明細書で様々な器具について説明したが、それらの実施形態に対して修正及び変更が実施されてもよい。更に、特定の特徴、構造、又は特性を、１つ又は２つ以上の実施形態では任意の好適な方法で組み合わせることもできる。したがって、１つの実施形態に関して例示又は記載される特定の特徴、構造、又は特性は、無制限に１つ若しくは２つ以上の他の実施形態の特徴、構造、又は特性と全て、あるいは、部分的に組み合わせてもよい。また、材料が特定の構成要素に関して開示されているが、他の材料が使用されてもよい。更に、様々な実施形態に従って、所与の機能（複数可）を実行するために、単一の構成要素を複数の構成要素に置き換えてもよく、また複数の構成要素を単一の構成要素に置き換えてもよい。以上の説明及び以下の特許請求の範囲は、そのような修正形態及び変形形態を全て包含することが意図される。
【０２２１】
本明細書に開示されるデバイスは、１回の使用後に廃棄されるように設計することができ、又は複数回使用されるように設計することができる。しかしながら、いずれの場合も、デバイスは少なくとも１回の使用後に再利用のために再調整され得る。再調整には、デバイスの分解工程、それに続くデバイスの特定の部品の洗浄工程又は交換工程、及びその後のデバイスの再組立工程の任意の組み合わせを含むことができるが、これらに限定されない。具体的には、再調整の施設及び／又は外科チームは、デバイスを分解することができ、デバイスの特定の部品を洗浄及び／又は交換した後、デバイスをその後の使用のために再組立することができる。当業者であれば、デバイスの再調整が、分解、洗浄／交換、及び再組立のための様々な技術を利用できることを理解するであろう。このような技術の使用、及び結果として得られる再調整されたデバイスは、全て本出願の範囲内にある。
【０２２２】
本明細書に開示のデバイスは、手術前に処理され得る。最初に、新品又は使用済みの器具が入手され、必要に応じて洗浄されてもよい。次いで、器具を滅菌することができる。１つの滅菌技術では、器具は、プラスチックバッグ又はＴＹＶＥＫバッグなど、閉鎖され密封された容器に入れられる。次いで、容器及び器具を、γ線、Ｘ線、及び／又は高エネルギー電子などの、容器を透過し得る放射線野に置くことができる。放射線は、器具上及び容器内の細菌を死滅させることができる。次いで、滅菌済みの器具を滅菌容器内で保管することができる。密封容器は、医療施設で開けられるまで、器具を滅菌状態に保つことができる。デバイスはまた、β線、γ線、エチレンオキシド、過酸化水素プラズマ、及び／又は水蒸気が挙げられるが、これらに限定されない、当該技術分野で既知の任意の他の技術を用いて滅菌され得る。
【０２２３】
代表的な設計を有するものとして本発明について記載してきたが、本発明は、本開示の趣旨及び範囲内で更に修正されてもよい。したがって、本出願は、その一般的原理を使用する本発明のあらゆる変形、使用、又は適合を包含するものとする。
【０２２４】
その全体又は部分において本明細書に援用されたものとする全ての特許、刊行物、又はその他の開示物は、援用される資料が本開示に記載される既存の定義、記述、又はその他の開示内容と矛盾しない範囲においてのみ本明細書に援用されるものとする。それ自体、また必要な範囲で、本明細書に明瞭に記載される開示内容は、参考により本明細書に組み込まれるあらゆる矛盾する記載に優先するものとする。現行の定義、見解、又は本明細書に記載される他の開示内容と矛盾する任意の内容、又はそれらの部分は本明細書に参考として組み込まれるものとするが、参照内容と現行の開示内容との間に矛盾が生じない範囲においてのみ、参照されるものとする。
【０２２５】
〔実施の態様〕
（１）  ステープルカートリッジアセンブリであって、
カートリッジ本体であって、
ステープルキャビティの第１の長手方向列、及び
ステープルキャビティの第２の長手方向列、を含む、カートリッジ本体と、
前記ステープルキャビティの第１の長手方向列内に着脱可能に格納された複数の第１のステープルであって、各前記第１のステープルが、
第１のクラウン部、
第１の近位脚部、
第１の遠位脚部であって、前記第１の近位脚部及び前記第１の遠位脚部が第１の脚部平面を画定する、第１の遠位脚部、
前記第１のクラウン部から延在し、かつ前記第１のクラウン部と一体的に形成された第１のカム表面であって、第１のカム平面を画定する、第１のカム表面、
前記第１の近位脚部と前記第１のクラウン部との間に延在し、かつ前記第１の近位脚部及び前記第１のクラウン部と一体的に形成された第１の近位コネクタ、並びに
前記第１の遠位脚部と前記第１のクラウン部との間に延在し、かつ前記第１の遠位脚部及び前記第１のクラウン部と一体的に形成された第１の遠位コネクタであって、前記第１の近位コネクタ及び前記第１の遠位コネクタが、前記第１のカム平面と前記第１の脚部平面との間に第１の距離を画定する、第１の遠位コネクタ、を備える、複数の第１のステープルと、
前記ステープルキャビティの第２の長手方向列内に着脱可能に格納された複数の第２のステープルであって、各前記第２のステープルが、
第２のクラウン部、
第２の近位脚部、
第２の遠位脚部であって、前記第２の近位脚部及び前記第２の遠位脚部が第２の脚部平面を画定する、第２の遠位脚部、
前記第２のクラウン部から延在し、かつ前記第２のクラウン部と一体的に形成された第２のカム表面であって、第２のカム平面を画定する、第２のカム表面、
前記第２の近位脚部と前記第２のクラウン部との間に延在し、かつ前記第２の近位脚部及び前記第２のクラウン部と一体的に形成された第２の近位コネクタ、並びに
前記第２の遠位脚部と前記第２のクラウン部との間に延在し、かつ前記第２の遠位脚部及び前記第２のクラウン部と一体的に形成された第２の遠位コネクタであって、前記第２の近位コネクタ及び前記第２の遠位コネクタが、前記第２のカム平面と前記第２の脚部平面との間に第２の距離を画定し、前記第２の距離が前記第１の距離とは異なる、第２の遠位コネクタ、を備える、複数の第２のステープルと、を備える、ステープルカートリッジアセンブリ。
（２）  前記カートリッジ本体が、切断部材を受容するように構成された長手方向スロットを更に備える、実施態様１に記載のステープルカートリッジアセンブリ。
（３）  前記第１の距離が前記第２の距離よりも長く、前記ステープルキャビティの第１の長手方向列が、前記長手方向スロットと隣接し、前記ステープルキャビティの第１の長手方向列が、前記長手方向スロットと前記ステープルキャビティの第２の長手方向列との中間にある、実施態様２に記載のステープルカートリッジアセンブリ。
（４）  前記第１の距離が前記第２の距離よりも長く、前記ステープルキャビティの第２の長手方向列が、前記長手方向スロットと隣接し、前記ステープルキャビティの第２の長手方向列が、前記長手方向スロットと前記ステープルキャビティの第１の長手方向列との中間にある、実施態様２に記載のステープルカートリッジアセンブリ。
（５）  前記第１のステープルの前記第１のカム平面が、前記第１の脚部平面よりも前記長手方向スロットに近い、実施態様２に記載のステープルカートリッジアセンブリ。
【０２２６】
（６）  前記第２のステープルの前記第２のカム平面が、前記第２の脚部平面よりも前記長手方向スロットに近い、実施態様５に記載のステープルカートリッジアセンブリ。
（７）  前記第２のステープルの前記第２の脚部平面が、前記第２のカム平面よりも前記長手方向スロットに近い、実施態様５に記載のステープルカートリッジアセンブリ。
（８）  前記第１のステープルの前記第１の脚部平面が、前記第１のカム平面よりも前記長手方向スロットに近い、実施態様２に記載のステープルカートリッジアセンブリ。
（９）  前記第２のステープルの前記第２のカム平面が、前記第２の脚部平面よりも前記長手方向スロットに近い、実施態様８に記載のステープルカートリッジアセンブリ。
（１０）  前記第２のステープルの前記第２の脚部平面が、前記第２のカム平面よりも前記長手方向スロットに近い、実施態様８に記載のステープルカートリッジアセンブリ。
【０２２７】
（１１）  前記カートリッジ本体が、ステープルキャビティの第３の長手方向列を更に含み、前記ステープルカートリッジアセンブリが、前記ステープルキャビティの第３の長手方向列内に着脱可能に格納された複数の第３のステープルを更に備え、各前記第３のステープルが、
第３のクラウン部、
第３の近位脚部、
第３の遠位脚部であって、前記第３の近位脚部及び前記第３の遠位脚部が第３のステープル脚部平面を画定する、第３の遠位脚部、
前記第３のクラウン部から延在し、かつ前記第３のクラウン部と一体的に形成された第３のカム表面であって、第３のカム平面を画定する、第３のカム表面、
前記第３の近位脚部と前記第３のクラウン部との間に延在し、かつ前記第３の近位脚部及び前記第３のクラウン部と一体的に形成された第３の近位コネクタ、並びに
前記第３の遠位脚部と前記第３のクラウン部との間に延在し、かつ前記第３の遠位脚部及び前記第３のクラウン部と一体的に形成された第３の遠位コネクタであって、前記第３の近位コネクタ及び前記第３の遠位コネクタが、前記第３のカム平面と前記第３のステープル脚部平面との間に第３の距離を画定し、前記第３の距離が前記第２の距離及び前記第１の距離とは異なる、第３の遠位コネクタと、を備える、実施態様１に記載のステープルカートリッジアセンブリ。
（１２）  前記カートリッジ本体が、切断部材を受容するように構成された長手方向スロットを更に備える、実施態様１１に記載のステープルカートリッジアセンブリ。
（１３）  前記第１のステープルの前記第１のカム平面が、前記第１の脚部平面よりも前記長手方向スロットに近く、前記第２のステープルの前記第２のカム平面が、前記第２の脚部平面よりも前記長手方向スロットに近く、前記第３のステープルの前記第３のカム平面が、前記第３の脚部平面よりも前記長手方向スロットに近い、実施態様１２に記載のステープルカートリッジアセンブリ。
（１４）  前記第１のステープルの前記第１の脚部平面が、前記第１のカム平面よりも前記長手方向スロットに近く、前記第２のステープルの前記第２の脚部平面が、前記第２のカム平面よりも前記長手方向スロットに近く、前記第３のステープルの前記第３の脚部平面が、前記第３のカム平面よりも前記長手方向スロットに近い、実施態様１２に記載のステープルカートリッジアセンブリ。
（１５）  前記第１のステープルの前記第１のカム平面が互いに長手方向に整列し、前記第２のカム平面が互いに長手方向に整列している、実施態様１に記載のステープルカートリッジアセンブリ。
【０２２８】
（１６）  前記第１のステープル及び前記第２のステープルが平坦なストックから打ち抜かれている、実施態様１に記載のステープルカートリッジアセンブリ。
（１７）  前記第１のステープル及び前記第２のステープルが１つ又は２つ以上の材料シートから形成されている、実施態様１に記載のステープルカートリッジアセンブリ。
（１８）  ステープルカートリッジアセンブリであって、
カートリッジ本体であって、
ステープルキャビティの第１の長手方向列、及び
ステープルキャビティの第２の長手方向列、を含む、カートリッジ本体と、
前記ステープルキャビティの第１の長手方向列内に着脱可能に格納された複数の第１のステープルであって、各前記第１のステープルが、
第１のクラウン部、
第１の近位脚部、
第１の遠位脚部であって、前記第１の近位脚部及び前記第１の遠位脚部が第１の脚部平面を画定する、第１の遠位脚部、
前記第１のクラウン部から延在し、かつ前記第１のクラウン部と一体的に形成された第１の駆動表面、
前記第１の近位脚部と前記第１のクラウン部との間に延在し、かつ前記第１の近位脚部及び前記第１のクラウン部と一体的に形成された第１の近位コネクタ、並びに
前記第１の遠位脚部と前記第１のクラウン部との間に延在し、かつ前記第１の遠位脚部及び前記第１のクラウン部と一体的に形成された第１の遠位コネクタであって、前記第１の近位コネクタ及び前記第１の遠位コネクタが、前記第１のクラウン部と前記第１の脚部平面との間に第１の幅を画定する、第１の遠位コネクタを備える、複数の第１のステープルと、
前記ステープルキャビティの第２の長手方向列内に着脱可能に格納された複数の第２のステープルであって、各前記第２のステープルが、
第２のクラウン部、
第２の近位脚部、
第２の遠位脚部であって、前記第２の近位脚部及び前記第２の遠位脚部が第２の脚部平面を画定する、第２の遠位脚部、
前記第２のクラウン部から延在し、かつ前記第２のクラウン部と一体的に形成された第２の駆動表面、
前記第２の近位脚部と前記第２のクラウン部との間に延在し、かつ前記第２の近位脚部及び前記第２のクラウン部と一体的に形成された第２の近位コネクタ、並びに
前記第２の遠位脚部と前記第２のクラウン部との間に延在し、かつ前記第２の遠位脚部及び前記第２のクラウン部と一体的に形成された第２の遠位コネクタであって、前記第２の近位コネクタ及び前記第２の遠位コネクタが、前記第２のクラウン部と前記第２の脚部平面との間に第２の幅を画定し、前記第２の幅が前記第１の幅とは異なる、第２の遠位コネクタ、を備える、複数の第２のステープルと、を備える、ステープルカートリッジアセンブリ。
（１９）  ステープルカートリッジアセンブリであって、
カートリッジ本体であって、
ステープルキャビティの第１の長手方向列、及び
ステープルキャビティの第２の長手方向列、を含む、カートリッジ本体と、
前記ステープルキャビティの第１の長手方向列内に着脱可能に格納された複数の第１のステープルであって、各前記第１のステープルが、
第１のクラウン部、
第１の近位脚部、
第１の遠位脚部であって、前記第１の近位脚部及び前記第１の遠位脚部が第１のクランプ部分を画定する、第１の遠位脚部、
前記第１のクラウン部と一体的に形成された第１のカム、
前記第１の近位脚部と前記第１のクラウン部との間に延在し、かつ前記第１の近位脚部及び前記第１のクラウン部と一体的に形成された第１の近位コネクタ、並びに
前記第１の遠位脚部と前記第１のクラウン部との間に延在し、かつ前記第１の遠位脚部及び前記第１のクラウン部と一体的に形成された第１の遠位コネクタであって、前記第１の近位コネクタ及び前記第１の遠位コネクタが、前記第１のクラウン部と前記第１のクランプ部分との間に第１の幅を画定する、第１の遠位コネクタ、を備える、複数の第１のステープルと、
前記ステープルキャビティの第２の長手方向列内に着脱可能に格納された複数の第２のステープルであって、各前記第２のステープルが、
第２のクラウン部、
第２の近位脚部、
第２の遠位脚部であって、前記第２の近位脚部及び前記第２の遠位脚部が第２のクランプ部分を画定する、第２の遠位脚部、
前記第２のクラウン部と一体的に形成された第２のカム、
前記第２の近位脚部と前記第２のクラウン部との間に延在し、かつ前記第２の近位脚部及び前記第２のクラウン部と一体的に形成された第２の近位コネクタ、並びに
前記第２の遠位脚部と前記第２のクラウン部との間に延在し、かつ前記第２の遠位脚部及び前記第２のクラウン部と一体的に形成された第２の遠位コネクタであって、前記第２の近位コネクタ及び前記第２の遠位コネクタが、前記第２のクラウン部と前記第２のクランプ部分との間に第２の幅を画定し、前記第２の幅が前記第１の幅とは異なる、第２の遠位コネクタ、を備える、複数の第２のステープルと、を備える、ステープルカートリッジアセンブリ。
【図１】
2020501799.tif 000003
【図２】
2020501799.tif 000004
【図３】
2020501799.tif 000005
【図３Ａ】
2020501799.tif 000006
【図４】
2020501799.tif 000007
【図５】
2020501799.tif 000008
【図６】
2020501799.tif 000009
【図７】
2020501799.tif 000010
【図８】
2020501799.tif 000011
【図９】
2020501799.tif 000012
【図１０】
2020501799.tif 000013
【図１１】
2020501799.tif 000014
【図１２】
2020501799.tif 000015
【図１３】
2020501799.tif 000016
【図１４】
2020501799.tif 000017
【図１５】
2020501799.tif 000018
【図１６】
2020501799.tif 000019
【図１７】
2020501799.tif 000020
【図１８】
2020501799.tif 000021
【図１９】
2020501799.tif 000022
【図２０】
2020501799.tif 000023
【図２１】
2020501799.tif 000024
【図２２】
2020501799.tif 000025
【図２３】
2020501799.tif 000026
【図２４】
2020501799.tif 000027
【図２５】
2020501799.tif 000028
【国際調査報告】
2020501799.tif 000029
2020501799.tif 000030
2020501799.tif 000031
2020501799.tif 000032